(57)【特許請求の範囲】
【請求項１】
データ伝送のための肯定応答指示の方法であって、
基地局が、肯定応答グループにおける各ユーザ機器（ＵＥ）がデータを伝送したかどうかを検出し、検出結果を取得する段階であって、前記肯定応答グループは、データが前記基地局によって検出されることになっている各ＵＥを含む、段階と、
前記基地局が、前記検出結果に従って、第１レベル肯定応答指示メッセージを生成する段階であって、前記第１レベル肯定応答指示メッセージは、前記肯定応答グループにおける各ＵＥに対応するフラグビットステータスを示すために使用され、前記フラグビットステータスは、第１状態または第２状態を含み、前記第１状態は、前記基地局がデータを発見したことを示すために使用され、前記第２状態は、前記基地局がデータを発見しなかったことを示すために使用される、段階と、
前記基地局が前記第１レベル肯定応答指示メッセージを送信する段階と、
前記肯定応答グループにおける前記ＵＥの中に目標ＵＥがあるとき、前記基地局が、前記目標ＵＥによって伝送されたデータを点検し、点検結果を取得する段階であって、前記目標ＵＥは、フラグビットステータスが前記第１状態であるすべてのＵＥである、段階と、
前記基地局が、前記点検結果に従って、第２レベル肯定応答指示メッセージを生成する段階であって、前記第２レベル肯定応答指示メッセージは、前記目標ＵＥによって伝送された前記データに対応する肯定応答フィードバック情報のタイプを示すために使用され、前記肯定応答フィードバック情報の前記タイプは、第１タイプまたは第２タイプを含み、前記第１タイプは、前記基地局によって前記データに対して実行された前記点検が成功したことを示すために使用され、前記第２タイプは、前記基地局によって前記データに対して実行された前記点検が失敗したことを示すために使用される、段階と、
前記基地局が、前記第２レベル肯定応答指示メッセージを送信する段階と
を備える方法。
【請求項２】
前記第１レベル肯定応答指示メッセージのデータ長は、前記肯定応答グループにおける前記ＵＥの数によって決定される、請求項１に記載の方法。
【請求項３】
前記基地局が前記第１レベル肯定応答指示メッセージを送信する前記段階は、前記基地局が、前記肯定応答グループに対応する第１肯定応答リソース上で前記第１レベル肯定応答指示メッセージを送信する段階を含む、請求項１または２に記載の方法。
【請求項４】
前記基地局が前記第２レベル肯定応答指示メッセージを送信する前記段階は、前記基地局が、前記肯定応答グループに対応する第２肯定応答リソース上で前記第２レベル肯定応答指示メッセージを送信する段階を含む、請求項１から３のいずれか一項に記載の方法。
【請求項５】
前記第２レベル肯定応答指示メッセージのデータ長は、前記目標ＵＥの数によって決定される、請求項１から４のいずれか一項に記載の方法。
【請求項６】
少なくとも１つの目標ＵＥによって伝送されたデータに対応する肯定応答フィードバック情報のタイプが第２タイプであることを前記第２レベル肯定応答指示メッセージが示すとき、前記第２レベル肯定応答指示メッセージはさらに、前記少なくとも１つの目標ＵＥによって伝送された前記データに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、請求項１から５のいずれか一項に記載の方法。
【請求項７】
基地局が、肯定応答グループにおける各ユーザ機器（ＵＥ）がデータを伝送したかどうかを検出し、検出結果を取得する前記段階の前に、前記方法はさらに、前記基地局が、前記肯定応答グループにおける各ユーザ機器（ＵＥ）へ構成情報を送信する段階であって、前記構成情報は、各ＵＥが属する前記肯定応答グループと、前記肯定応答グループにおける前記ＵＥの数と、前記肯定応答グループにおける各ＵＥに対応するフラグビットとを示すために使用される、段階を備える、請求項１から６のいずれか一項に記載の方法。
【請求項８】
データ伝送のための肯定応答指示の方法であって、
基地局が、肯定応答グループにおける各ユーザ機器（ＵＥ）がデータを伝送したかどうかを検出し、検出結果を取得する段階であって、前記肯定応答グループは、データが前記基地局によって検出されることになっている各ＵＥを含む段階と、
前記基地局が、前記検出結果に従って肯定応答指示メッセージを生成する段階であって、前記肯定応答指示メッセージは、前記肯定応答グループにおける目標ＵＥに対応するインデックス番号を示すために使用され、前記目標ＵＥは、前記肯定応答グループにおける、データが前記基地局によって発見された少なくとも１つのＵＥであり、前記インデックス番号は、前記肯定応答グループにおける前記目標ＵＥの番号であり、前記肯定応答グループにおける異なる目標ＵＥは、異なるインデックス番号に対応する、段階と、
前記基地局が、前記肯定応答指示メッセージを送信する段階と
を備え、
前記肯定応答指示メッセージはさらに、前記目標ＵＥに対応する前記インデックス番号のフラグビットを示すために使用され、前記基地局が前記肯定応答指示メッセージを送信する前記段階の前に、前記方法は、
前記基地局が、前記目標ＵＥによって伝送されたデータを点検し、点検結果を取得する段階と、
前記基地局が、前記点検結果に従って、前記目標ＵＥに対応する前記インデックス番号のフラグビットステータスを生成する段階であって、前記インデックス番号の前記フラグビットステータスは、第１状態または第２状態を含み、前記第１状態は、前記基地局によって前記データに対して実行された前記点検が成功したことを示すために使用され、前記第２状態は、前記基地局によって前記データに対して実行された前記点検が失敗したことを示すために使用される、段階と
をさらに備え、
前記肯定応答指示メッセージが、フラグビットステータスが前記第２状態であるインデックス番号に対応する目標ＵＥがあることを示すとき、前記肯定応答指示メッセージはさらに、フラグビットステータスが前記第２状態である前記インデックス番号に対応する前記目標ＵＥによって伝送されたデータに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、
方法。
【請求項９】
前記基地局が前記肯定応答指示メッセージを送信する前記段階は、前記基地局が、前記肯定応答グループに対応する肯定応答リソース上で前記肯定応答指示メッセージを送信する段階を含む、請求項８に記載の方法。
【請求項１０】
前記肯定応答指示メッセージのデータ長は予め設定されたデータ長であり、前記肯定応答指示メッセージによって示される、前記肯定応答グループにおける目標ＵＥに対応するインデックス番号の数は、前記予め設定されたデータ長を超えない、請求項８または９に記載の方法。
【請求項１１】
基地局が、肯定応答グループにおける各ユーザ機器（ＵＥ）がデータを伝送したかどうかを検出し、検出結果を取得する前記段階の前に、前記方法はさらに、前記基地局が、前記肯定応答グループにおける各ユーザ機器（ＵＥ）へ構成情報を送信する段階であって、前記構成情報は、各ＵＥが属する前記肯定応答グループと、前記基地局が前記肯定応答グループにおいて予め設定した、フィードバックする前記ＵＥの数と、前記肯定応答グループにおける各ＵＥに対応するインデックス番号とを示すために使用される、段階を備える、請求項８から１０のいずれか一項に記載の方法。
【請求項１２】
データ伝送のための肯定応答指示の方法であって、
ユーザ機器（ＵＥ）が、データを基地局へ送信した後に、前記基地局によってフィードバックされた第１レベル肯定応答指示メッセージを受信する段階であって、前記第１レベル肯定応答指示メッセージは、前記ＵＥが属する肯定応答グループにおける各ＵＥに対応するフラグビットステータスを示すために使用され、前記フラグビットステータスは、第１状態または第２状態を含み、前記第１状態は、前記基地局がデータを発見したことを示すために使用され、前記第２状態は、前記基地局がデータを発見しなかったことを示すために使用され、前記肯定応答グループは、データが前記基地局によって検出されることになっている各ＵＥを含む、段階と、
前記ＵＥが、前記第１レベル肯定応答指示メッセージに基づいて、前記肯定応答グループにおける前記ＵＥに対応するフラグビットステータスを解析する段階と、
前記ＵＥが、解析を用いて、前記肯定応答グループにおける前記ＵＥに対応する前記フラグビットステータスが前記第１状態であることを認識したとき、前記ＵＥが、前記基地局によってフィードバックされた第２レベル肯定応答指示メッセージを受信する段階であって、前記第２レベル肯定応答指示メッセージは、目標ＵＥによって送信されたデータに対応する肯定応答フィードバック情報のタイプを示すために使用され、前記目標ＵＥは、前記肯定応答グループにおける、フラグビットステータスが前記第１状態であるすべてのＵＥであり、前記肯定応答フィードバック情報の前記タイプは、第１タイプまたは第２タイプを含み、前記第１タイプは、前記基地局によって実行されたデータ点検が成功したことを示すために使用され、前記第２タイプは、前記基地局によって実行された前記データ点検が失敗したことを示すために使用される、段階と、
前記ＵＥが、前記第２レベル肯定応答指示メッセージに基づいて、前記ＵＥによって送信された前記データに対応する肯定応答フィードバック情報のタイプを解析する段階と
を備える方法。
【請求項１３】
前記第１レベル肯定応答指示メッセージのデータ長は、前記肯定応答グループにおける前記ＵＥの数によって決定される、請求項１２に記載の方法。
【請求項１４】
前記第２レベル肯定応答指示メッセージのデータ長は、前記目標ＵＥの数によって決定される、請求項１２または１３に記載の方法。
【請求項１５】
前記ＵＥが、前記第２レベル肯定応答指示メッセージに基づいて、前記ＵＥによって送信された前記データに対応する肯定応答フィードバック情報のタイプを解析する段階は、
前記ＵＥが、前記目標ＵＥの数についての統計を収集する段階と、
前記ＵＥが、前記目標ＵＥにおける前記ＵＥの位置を決定する段階であって、前記第２レベル肯定応答指示メッセージにおける前記ＵＥの位置は、前記目標ＵＥにおける前記ＵＥの前記位置によって決定される段階と、
前記ＵＥが、前記第２レベル肯定応答指示メッセージにおける前記ＵＥの前記位置に基づいて、前記ＵＥによって送信された前記データに対応する前記肯定応答フィードバック情報の前記タイプを解析する段階と
を備える、請求項１２から１４のいずれか一項に記載の方法。
【請求項１６】
少なくとも１つの目標ＵＥによって伝送されたデータに対応する肯定応答フィードバック情報のタイプが前記第２タイプであることを前記第２レベル肯定応答指示メッセージが示すとき、前記第２レベル肯定応答指示メッセージはさらに、前記少なくとも１つの目標ＵＥによって送信された前記データに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、請求項１２から１５のいずれか一項に記載の方法。
【請求項１７】
前記方法は、前記ＵＥによって送信された前記データに対応する前記肯定応答フィードバック情報の前記タイプが前記第１タイプであることを前記ＵＥが解析を用いて認識したとき、前記ＵＥによって送信された前記データに対して前記基地局によって実行された点検が成功したと前記ＵＥが決定する段階をさらに備える、請求項１２から１６のいずれか一項に記載の方法。
【請求項１８】
前記方法は、前記ＵＥによって送信された前記データに対応する前記肯定応答フィードバック情報の前記タイプが前記第２タイプであることを前記ＵＥが解析を用いて認識したとき、前記ＵＥによって送信された前記データに対して前記基地局によって実行された点検が失敗したと前記ＵＥが決定する段階をさらに備える、請求項１２から１７のいずれか一項に記載の方法。
【請求項１９】
前記方法は、前記ＵＥによって送信された前記データに対応する前記肯定応答フィードバック情報の前記タイプが前記第２タイプであることを、前記ＵＥが解析を用いて認識したとき、前記ＵＥが、前記第２レベル肯定応答指示メッセージに基づいて、前記ＵＥによって送信された前記データに対応する点検失敗ステータスを解析する段階をさらに備える、請求項１６に記載の方法。
【請求項２０】
前記方法は、前記ＵＥによって送信された前記データに対応する前記点検失敗ステータスが前記第３状態であることを、前記ＵＥが解析を用いて認識したとき、前記ＵＥは、前記ＵＥによって送信された前記データに対して前記基地局によって実行された点検が、前記低いアップリンクマルチユーザマッチング度によって生じた前記衝突に起因して失敗したと決定する段階をさらに備える、請求項１９に記載の方法。
【請求項２１】
前記方法は、前記ＵＥによって送信された前記データに対応する前記点検失敗ステータスが前記第４状態であることを、前記ＵＥが解析を用いて認識したとき、前記ＵＥは、前記ＵＥによって送信された前記データに対して前記基地局によって実行された点検が、前記低いデータ伝送チャネル品質に起因して失敗したと決定する段階をさらに備える、請求項１９に記載の方法。
【請求項２２】
前記方法は、前記肯定応答グループにおける前記ＵＥに対応する前記フラグビットステータスが前記第２状態であることを、前記ＵＥが解析を用いて認識したとき、前記ＵＥによって送信された前記データを前記基地局が発見しなかったと前記ＵＥが決定する段階をさらに備える、請求項１２から２１のいずれか一項に記載の方法。
【請求項２３】
ユーザ機器（ＵＥ）がデータを基地局へ送信した後、前記基地局によってフィードバックされた第１レベル肯定応答指示メッセージを受信する前記段階の前に、前記方法はさらに、前記ユーザ機器（ＵＥ）が、前記基地局によって送信された構成情報を受信する段階であって、前記構成情報は、前記ＵＥが属する前記肯定応答グループと、前記肯定応答グループにおける前記ＵＥの数と、前記肯定応答グループにおける前記ＵＥに対応するフラグビットとを示すために使用される、段階を備える、請求項１２から２２のいずれか一項に記載の方法。
【請求項２４】
データ伝送のための肯定応答指示の方法であって、
ユーザ機器（ＵＥ）が、データを基地局へ送信した後、前記基地局によってフィードバックされた肯定応答指示メッセージを受信する段階であって、前記肯定応答指示メッセージは、前記ＵＥが属する肯定応答グループにおける目標ＵＥに対応するインデックス番号を示すために使用され、前記目標ＵＥは、データが前記基地局によって発見された、前記肯定応答グループにおける少なくとも１つのＵＥであり、前記インデックス番号は、前記肯定応答グループにおける前記目標ＵＥの番号であり、前記肯定応答グループにおける異なる目標ＵＥは、異なるインデックス番号に対応し、前記肯定応答グループは、データが前記基地局によって検出されることになっている各ＵＥを含む、段階と、
前記ＵＥが、前記肯定応答指示メッセージを解析し、前記ＵＥに対応するインデックス番号が前記肯定応答指示メッセージの中にあるかどうかを検出する段階と
を備え、
前記肯定応答指示メッセージはさらに、前記目標ＵＥに対応する前記インデックス番号のフラグビットを示すために使用され、前記方法はさらに、前記ＵＥに対応する前記インデックス番号が前記肯定応答指示メッセージの中にあると、前記ＵＥが解析を用いて認識したとき、前記ＵＥが、前記ＵＥに対応する前記インデックス番号のフラグビットステータスを解析する段階であって、前記インデックス番号の前記フラグビットステータスは、第１状態または第２状態を含み、前記第１状態は、前記基地局によって実行されたデータ点検が成功したことを示すために使用され、前記第２状態は、前記基地局によって実行された前記データ点検が失敗したことを示すために使用される、段階を備え、
フラグビットステータスが前記第２状態であるインデックス番号に対応する目標ＵＥがあることを前記肯定応答指示メッセージが示すとき、前記肯定応答指示メッセージはさらに、フラグビットステータスが前記第２状態である前記インデックス番号に対応する前記目標ＵＥによって送信されたデータに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、
方法。
【請求項２５】
前記方法はさらに、前記ＵＥに対応する前記インデックス番号の前記フラグビットステータスが前記第１状態であると、前記ＵＥが解析を用いて認識したとき、前記ＵＥによって送信された前記データに対して前記基地局によって実行された点検が成功したと前記ＵＥが決定する段階を備える、請求項２４に記載の方法。
【請求項２６】
前記方法はさらに、前記ＵＥに対応する前記インデックス番号の前記フラグビットステータスが前記第２状態であると、前記ＵＥが解析を用いて認識したとき、前記ＵＥによって送信された前記データに対して前記基地局によって実行された点検が失敗したと前記ＵＥが決定する段階を備える、請求項２４または２５に記載の方法。
【請求項２７】
前記方法は、前記ＵＥに対応する前記インデックス番号の前記フラグビットステータスが前記第２状態であると、前記ＵＥが解析を用いて認識したとき、前記ＵＥが、前記肯定応答指示メッセージに基づいて、前記ＵＥによって送信された前記データに対応する点検失敗ステータスを解析する段階をさらに備える、請求項２４から２６のいずれか一項に記載の方法。
【請求項２８】
前記方法は、前記ＵＥによって送信された前記データに対応する前記点検失敗ステータスが前記第３状態であることを、前記ＵＥが解析を用いて認識したとき、前記ＵＥは、前記ＵＥによって送信された前記データに対して前記基地局によって実行された点検が、前記低いアップリンクマルチユーザマッチング度によって生じた前記衝突に起因して失敗したと決定する段階をさらに備える、請求項２７に記載の方法。
【請求項２９】
前記方法は、前記ＵＥによって送信された前記データに対応する前記点検失敗ステータスが前記第４状態であることを、前記ＵＥが解析を用いて認識したとき、前記ＵＥは、前記ＵＥによって送信された前記データに対して前記基地局によって実行された点検が、前記低いデータ伝送チャネル品質に起因して失敗したと決定する段階をさらに備える、請求項２７に記載の方法。
【請求項３０】
前記方法は、前記ＵＥに対応するインデックス番号が前記肯定応答指示メッセージの中に無いことを、前記ＵＥが解析を用いて認識したとき、前記基地局が、前記ＵＥによって送信された前記データを発見しなかったと前記ＵＥが決定する段階をさらに備える、請求項２４から２９のいずれか一項に記載の方法。
【請求項３１】
前記肯定応答指示メッセージのデータ長は予め設定されたデータ長であり、前記肯定応答指示メッセージによって示される、前記ＵＥが属する前記肯定応答グループにおける目標ＵＥに対応するインデックス番号の数は、前記予め設定されたデータ長を超えない、請求項２４から３０のいずれか一項に記載の方法。
【請求項３２】
ユーザ機器（ＵＥ）がデータを基地局へ送信した後、前記基地局によってフィードバックされた肯定応答指示メッセージを受信する前記段階の前に、前記方法はさらに、前記ユーザ機器（ＵＥ）が、前記基地局によって送信された構成情報を受信する段階であって、前記構成情報は、前記ＵＥが属する前記肯定応答グループと、前記基地局が前記肯定応答グループにおいて予め設定した、フィードバックする前記ＵＥの数と、前記肯定応答グループにおける前記ＵＥに対応する前記インデックス番号とを示すために使用される、段階を備える、請求項２４から３１のいずれか一項に記載の方法。
【請求項３３】
基地局であって、プロセッサ、メモリ、出力装置および通信バスを備え、
前記メモリは、プログラムおよびデータを記憶し、
前記通信バスは、前記プロセッサ、前記メモリおよび前記出力装置の間の接続および通信を確立し、
前記プロセッサは、
肯定応答グループにおける各ユーザ機器（ＵＥ）がデータを伝送したかどうかを検出し、検出結果を取得する段階であって、前記肯定応答グループは、データが前記基地局によって検出されることになっている各ＵＥを含む、段階と、
前記検出結果に従って、第１レベル肯定応答指示メッセージを生成する段階であって、前記第１レベル肯定応答指示メッセージは、前記肯定応答グループにおける各ＵＥに対応するフラグビットステータスを示すために使用され、前記フラグビットステータスは、第１状態または第２状態を含み、前記第１状態は、前記基地局がデータを発見したことを示すために使用され、前記第２状態は、前記基地局がデータを発見しなかったことを示すために使用される、段階と、
前記第１レベル肯定応答指示メッセージを送信するように前記出力装置を制御する段階と、
前記肯定応答グループにおける前記ＵＥの中に目標ＵＥがあるとき、前記目標ＵＥによって伝送されたデータを点検し、点検結果を取得する段階であって、前記目標ＵＥは、フラグビットステータスが前記第１状態であるすべてのＵＥである、段階と、
前記点検結果に従って、第２レベル肯定応答指示メッセージを生成する段階であって、前記第２レベル肯定応答指示メッセージは、前記目標ＵＥによって伝送された前記データに対応する肯定応答フィードバック情報のタイプを示すために使用され、前記肯定応答フィードバック情報の前記タイプは、第１タイプまたは第２タイプを含み、前記第１タイプは、前記基地局によって前記データに対して実行された前記点検が成功したことを示すために使用され、前記第２タイプは、前記基地局によって前記データに対して実行された前記点検が失敗したことを示すために使用される、段階と、
前記第２レベル肯定応答指示メッセージを送信するように前記出力装置を制御する段階と
を実行するために、前記メモリに記憶された前記プログラムを呼び出す、
基地局。
【請求項３４】
前記第１レベル肯定応答指示メッセージのデータ長は、前記肯定応答グループにおける前記ＵＥの数によって決定される、請求項３３に記載の基地局。
【請求項３５】
前記プロセッサが、前記第１レベル肯定応答指示メッセージを送信するように前記出力装置を制御する方式は、具体的には、前記肯定応答グループに対応する第１肯定応答リソース上で前記第１レベル肯定応答指示メッセージを送信するように前記出力装置を制御することである、請求項３３または３４に記載の基地局。
【請求項３６】
前記プロセッサが、前記第２レベル肯定応答指示メッセージを送信するように前記出力装置を制御する方式は、具体的には、前記肯定応答グループに対応する第２肯定応答リソース上で前記第２レベル肯定応答指示メッセージを送信するように前記出力装置を制御することである、請求項３３から３５のいずれか一項に記載の基地局。
【請求項３７】
前記第２レベル肯定応答指示メッセージのデータ長は、前記目標ＵＥの数によって決定される、請求項３３から３６のいずれか一項に記載の基地局。
【請求項３８】
少なくとも１つの目標ＵＥによって伝送されたデータに対応する肯定応答フィードバック情報のタイプが前記第２タイプであることを前記第２レベル肯定応答指示メッセージが示すとき、前記第２レベル肯定応答指示メッセージはさらに、前記少なくとも１つの目標ＵＥによって伝送された前記データに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、請求項３３から３７のいずれか一項に記載の基地局。
【請求項３９】
肯定応答グループにおける各ユーザ機器（ＵＥ）がデータを伝送したかどうかを検出し、検出結果を取得する前記段階の前に、前記プロセッサはさらに、前記肯定応答グループにおける各ユーザ機器（ＵＥ）へ、前記メモリに記憶された前記データに含まれる構成情報を送信するように前記出力装置を制御する段階であって、前記構成情報は、各ＵＥが属する前記肯定応答グループと、前記肯定応答グループにおける前記ＵＥの数と、前記肯定応答グループにおける各ＵＥに対応するフラグビットとを示すために使用される、段階を実行するために、前記メモリに記憶された前記プログラムを呼び出す、請求項３３から３８のいずれか一項に記載の基地局。
【請求項４０】
基地局であって、プロセッサ、メモリ、出力装置および通信バスを備え、
前記メモリは、プログラムおよびデータを記憶し、
前記通信バスは、前記プロセッサ、前記メモリおよび前記出力装置の間の接続および通信を確立し、
前記プロセッサは、
肯定応答グループにおける各ユーザ機器（ＵＥ）がデータを伝送したかどうかを検出し、検出結果を取得する段階であって、前記肯定応答グループは、データが前記基地局によって検出されることになっている各ＵＥを含む、段階と、
前記検出結果に従って、肯定応答指示メッセージを生成する段階であって、前記肯定応答指示メッセージは、前記肯定応答グループにおける目標ＵＥに対応するインデックス番号を示すために使用され、前記目標ＵＥは、データが前記肯定応答グループにおける前記基地局によって発見された少なくとも１つのＵＥであり、前記インデックス番号は、前記肯定応答グループにおける前記目標ＵＥの番号であり、前記肯定応答グループにおける異なる目標ＵＥは、異なるインデックス番号に対応する、段階と、
前記肯定応答指示メッセージを送信するように前記出力装置を制御する段階と
を実行するために、前記メモリに記憶された前記プログラムを呼び出し、
前記肯定応答指示メッセージはさらに、前記目標ＵＥに対応する前記インデックス番号のフラグビットを示すために使用され、前記肯定応答指示メッセージを送信するように前記出力装置を制御する前記段階の前に、前記プロセッサはさらに、
前記目標ＵＥによって伝送されたデータを点検し、点検結果を取得する段階と、
前記点検結果に従って、前記目標ＵＥに対応する前記インデックス番号のフラグビットステータスを生成する段階であって、前記インデックス番号の前記フラグビットステータスは、第１状態または第２状態を含み、前記第１状態は、前記基地局によって前記データに対して実行された前記点検が成功したことを示すために使用され、前記第２状態は、前記基地局によって前記データに対して実行された前記点検が失敗したことを示すために使用される、段階と
を実行するために、前記メモリに記憶された前記プログラムを呼び出し、
前記肯定応答指示メッセージが、フラグビットステータスが前記第２状態であるインデックス番号に対応する目標ＵＥがあることを示すとき、前記肯定応答指示メッセージはさらに、フラグビットステータスが前記第２状態である前記インデックス番号に対応する前記目標ＵＥによって伝送されたデータに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、
基地局。
【請求項４１】
前記プロセッサが、前記肯定応答指示メッセージを送信するように前記出力装置を制御する方式は、具体的には、前記肯定応答グループに対応する肯定応答リソース上で前記肯定応答指示メッセージを送信するように前記出力装置を制御することである、請求項４０に記載の基地局。
【請求項４２】
前記肯定応答指示メッセージのデータ長は予め設定されたデータ長であり、前記肯定応答指示メッセージによって示される、前記肯定応答グループにおける目標ＵＥに対応するインデックス番号の数は、前記予め設定されたデータ長を超えない、請求項４０または４１に記載の基地局。
【請求項４３】
肯定応答グループにおける各ユーザ機器（ＵＥ）がデータを伝送したかどうかを検出し、検出結果を取得する前記段階の前に、前記プロセッサはさらに、前記肯定応答グループにおける各ユーザ機器（ＵＥ）へ、前記メモリに記憶された前記データに含まれる構成情報を送信するように前記出力装置を制御する段階であって、前記構成情報は、各ＵＥが属する前記肯定応答グループと、前記基地局が前記肯定応答グループにおいて予め設定した、フィードバックするＵＥの数と、前記肯定応答グループにおける各ＵＥに対応するインデックス番号とを示すために使用される、段階を実行するために、前記メモリに記憶された前記プログラムを呼び出す、請求項４０から４２のいずれか一項に記載の基地局。
【請求項４４】
ユーザ機器（ＵＥ）であって、プロセッサ、メモリ、出力装置、入力装置および通信バスを備え、
前記メモリは、プログラムおよびデータを記憶し、
前記通信バスは、前記プロセッサ、前記メモリ、前記出力装置および前記入力装置の間で接続および通信を確立し、
前記プロセッサは、
データを基地局へ送信するように前記出力装置を制御した後、前記基地局によってフィードバックされた第１レベル肯定応答指示メッセージを受信するように前記入力装置を制御する段階であって、前記第１レベル肯定応答指示メッセージは、前記ＵＥが属する肯定応答グループにおける各ＵＥに対応するフラグビットステータスを示すために使用され、前記フラグビットステータスは、第１状態または第２状態を含み、前記第１状態は、前記基地局がデータを発見したことを示すために使用され、前記第２状態は、前記基地局がデータを発見しなかったことを示すために使用され、前記肯定応答グループは、データが前記基地局によって検出されることになっている各ＵＥを含む、段階と、
前記第１レベル肯定応答指示メッセージに基づいて、前記肯定応答グループにおける前記ＵＥに対応するフラグビットステータスを解析する段階と、
前記肯定応答グループにおける前記ＵＥに対応する前記フラグビットステータスが前記第１状態であることが、解析を用いて認識されたとき、前記基地局によってフィードバックされた第２レベル肯定応答指示メッセージを受信するように前記入力装置を制御する段階であって、前記第２レベル肯定応答指示メッセージは、目標ＵＥによって送信されたデータに対応する肯定応答フィードバック情報のタイプを示すために使用され、前記目標ＵＥは、前記肯定応答グループにおける、フラグビットステータスが前記第１状態であるすべてのＵＥであり、前記肯定応答フィードバック情報の前記タイプは、第１タイプまたは第２タイプを含み、前記第１タイプは、前記基地局によって実行されたデータ点検が成功したことを示すために使用され、前記第２タイプは、前記基地局によって実行された前記データ点検が失敗したことを示すために使用される、段階と、
前記第２レベル肯定応答指示メッセージに基づいて、前記出力装置によって送信された前記データに対応する肯定応答フィードバック情報のタイプを解析する段階と
を実行するために、前記メモリに記憶された前記プログラムを呼び出す、
ＵＥ。
【請求項４５】
前記第１レベル肯定応答指示メッセージのデータ長は、前記肯定応答グループにおける前記ＵＥの数によって決定される、請求項４４に記載のＵＥ。
【請求項４６】
前記第２レベル肯定応答指示メッセージのデータ長は、前記目標ＵＥの数によって決定される、請求項４４または４５に記載のＵＥ。
【請求項４７】
前記プロセッサが、前記第２レベル肯定応答指示メッセージに基づいて、前記出力装置によって送信された前記データに対応する前記肯定応答フィードバック情報の前記タイプを解析する方式は、具体的には、
前記目標ＵＥの数についての統計を収集すること、
前記目標ＵＥにおける前記ＵＥの位置を決定することであって、前記第２レベル肯定応答指示メッセージにおける前記ＵＥの位置は、前記目標ＵＥにおける前記ＵＥの前記位置によって決定される、こと、ならびに、
前記第２レベル肯定応答指示メッセージにおける前記ＵＥの前記位置に基づいて、前記出力装置によって送信された前記データに対応する前記肯定応答フィードバック情報の前記タイプを解析すること
である、請求項４４から４６のいずれか一項に記載のＵＥ。
【請求項４８】
少なくとも１つの目標ＵＥによって伝送されたデータに対応する肯定応答フィードバック情報のタイプが前記第２タイプであることを前記第２レベル肯定応答指示メッセージが示すとき、前記第２レベル肯定応答指示メッセージはさらに、前記少なくとも１つの目標ＵＥによって送信された前記データに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、請求項４４から４７のいずれか一項に記載のＵＥ。
【請求項４９】
前記プロセッサはさらに、前記出力装置によって送信された前記データに対応する前記肯定応答フィードバック情報の前記タイプが前記第１タイプであることが、解析を用いて認識されたとき、前記出力装置によって送信された前記データに対して、前記基地局によって実行された点検が成功したと決定する段階を実行するために、前記メモリに記憶された前記プログラムを呼び出す、請求項４４から４８のいずれか一項に記載のＵＥ。
【請求項５０】
前記プロセッサはさらに、前記出力装置によって送信された前記データに対応する前記肯定応答フィードバック情報の前記タイプが前記第２タイプであることが、解析を用いて認識されたとき、前記出力装置によって送信された前記データに対して前記基地局によって実行された点検が失敗したと決定する段階を実行するために、前記メモリに記憶された前記プログラムを呼び出す、請求項４４から４８のいずれか一項に記載のＵＥ。
【請求項５１】
前記プロセッサはさらに、前記出力装置によって送信された前記データに対応する前記肯定応答フィードバック情報の前記タイプが前記第２タイプであることが、解析を用いて認識されたとき、前記第２レベル肯定応答指示メッセージに基づいて、前記出力装置によって送信された前記データに対応する点検失敗ステータスを解析する段階を実行するために、前記メモリに記憶された前記プログラムを呼び出す、請求項４８に記載のＵＥ。
【請求項５２】
前記プロセッサはさらに、前記出力装置によって送信された前記データに対応する前記点検失敗ステータスが前記第３状態であることが、解析を用いて認識されたとき、前記出力装置によって送信された前記データに対して前記基地局によって実行された点検が、前記低いアップリンクマルチユーザマッチング度によって生じた前記衝突に起因して失敗したと決定する段階を実行するために、前記メモリに記憶された前記プログラムを呼び出す、請求項５１に記載のＵＥ。
【請求項５３】
前記プロセッサはさらに、前記出力装置によって送信された前記データに対応する前記点検失敗ステータスが前記第４状態であることが、解析を用いて認識されたとき、前記出力装置によって送信された前記データに対して前記基地局によって実行された点検が、前記低いデータ伝送チャネル品質に起因して失敗したと決定する段階を実行するために、前記メモリに記憶された前記プログラムを呼び出す、請求項５１に記載のＵＥ。
【請求項５４】
前記プロセッサはさらに、前記肯定応答グループにおける前記ＵＥに対応する前記フラグビットステータスが前記第２状態であることが解析を用いて認識されたとき、前記基地局が、前記出力装置によって送信された前記データを発見しなかったと決定する段階を実行するために、前記メモリに記憶された前記プログラムを呼び出す、請求項４４から５３のいずれか一項に記載のＵＥ。
【請求項５５】
データを基地局へ送信するように前記出力装置を制御した後、前記基地局によってフィードバックされた第１レベル肯定応答指示メッセージを受信するように前記入力装置を制御する前記段階の前に、前記プロセッサはさらに、前記基地局によって送信された構成情報を受信するように前記入力装置を制御する段階であって、前記構成情報は、前記ＵＥが属する前記肯定応答グループと、前記肯定応答グループにおける前記ＵＥの数と、前記肯定応答グループにおける前記ＵＥに対応するフラグビットとを示すために使用される段階を実行するために、前記メモリに記憶された前記プログラムを呼び出す、請求項４４から５４のいずれか一項に記載のＵＥ。
【請求項５６】
ユーザ機器（ＵＥ）であって、プロセッサ、メモリ、出力装置、入力装置および通信バスを備え、
前記メモリは、プログラムおよびデータを記憶し、
前記通信バスは、前記プロセッサ、前記メモリ、前記出力装置および前記入力装置の間で接続および通信を確立し、
前記プロセッサは、
データを基地局へ送信するように前記出力装置を制御した後、前記基地局によってフィードバックされた肯定応答指示メッセージを受信するように前記入力装置を制御する段階であって、前記肯定応答指示メッセージは、前記ＵＥが属する肯定応答グループにおける目標ＵＥに対応するインデックス番号を示すために使用され、前記目標ＵＥは、前記肯定応答グループにおける、前記基地局によってデータが発見された少なくとも１つのＵＥであり、前記インデックス番号は、前記肯定応答グループにおける前記目標ＵＥの番号であり、前記肯定応答グループにおける異なる目標ＵＥは、異なるインデックス番号に対応し、前記肯定応答グループは、データが前記基地局によって検出されることになっている各ＵＥを含む、段階と、
前記肯定応答指示メッセージを解析し、前記肯定応答指示メッセージの中に、前記ＵＥに対応するインデックス番号があるかどうかを検出する段階と
を実行するために、前記メモリに記憶された前記プログラムを呼び出し、
前記肯定応答指示メッセージはさらに、前記目標ＵＥに対応する前記インデックス番号のフラグビットを示すために使用され、前記プロセッサはさらに、前記肯定応答指示メッセージの中に前記ＵＥに対応する前記インデックス番号があることが、解析を用いて認識されたとき、前記ＵＥに対応する前記インデックス番号のフラグビットステータスを解析する段階であって、前記インデックス番号の前記フラグビットステータスは、第１状態または第２状態を含み、前記第１状態は、前記基地局によって実行されたデータ点検が成功したことを示すために使用され、前記第２状態は、前記基地局によって実行された前記データ点検が失敗したことを示すために使用される、段階を実行するために、前記メモリに記憶された前記プログラムを呼び出し、
フラグビットステータスが前記第２状態であるインデックス番号に対応する目標ＵＥがあることを前記肯定応答指示メッセージが示すとき、前記肯定応答指示メッセージはさらに、フラグビットステータスが前記第２状態である前記インデックス番号に対応する前記目標ＵＥによって送信されたデータに対応する点検失敗ステータスを示すために使用され、前記点検失敗ステータスは、第３状態または第４状態を含み、前記第３状態は、データ点検失敗が、低いアップリンクマルチユーザマッチング度によって生じた衝突によって引き起こされたことを示すために使用され、前記第４状態は、前記データ点検失敗が、低いデータ伝送チャネル品質によって引き起こされたことを示すために使用される、
ＵＥ。
【請求項５７】
前記プロセッサはさらに、前記ＵＥに対応する前記インデックス番号の前記フラグビットステータスが前記第１状態であることが、解析を用いて認識されたとき、前記出力装置によって送信された前記データに対して、前記基地局によって実行された点検が成功したと決定する段階を実行するために、前記メモリに記憶された前記プログラムを呼び出す、請求項５６に記載のＵＥ。
【請求項５８】
前記プロセッサはさらに、前記ＵＥに対応する前記インデックス番号の前記フラグビットステータスが前記第２状態であることが、解析を用いて認識されたとき、前記出力装置によって送信された前記データに対して前記基地局によって実行された点検が失敗したと決定する段階を実行するために、前記メモリに記憶された前記プログラムを呼び出す、請求項５６または５７に記載のＵＥ。
【請求項５９】
前記プロセッサはさらに、前記ＵＥに対応する前記インデックス番号の前記フラグビットステータスが前記第２状態であることが、解析を用いて認識されたとき、前記肯定応答指示メッセージに基づいて、前記出力装置によって送信された前記データに対応する点検失敗ステータスを解析する段階を実行するために、前記メモリに記憶された前記プログラムを呼び出す、請求項５６から５８のいずれか一項に記載のＵＥ。
【請求項６０】
前記プロセッサはさらに、前記出力装置によって送信された前記データに対応する前記点検失敗ステータスが前記第３状態であることが、解析を用いて認識されたとき、前記出力装置によって送信された前記データに対して前記基地局によって実行された点検が、前記低いアップリンクマルチユーザマッチング度によって生じた前記衝突に起因して失敗したと決定する段階を実行するために、前記メモリに記憶された前記プログラムを呼び出す、請求項５９に記載のＵＥ。
【請求項６１】
前記プロセッサはさらに、前記出力装置によって送信された前記データに対応する前記点検失敗ステータスが前記第４状態であることが、解析を用いて認識されたとき、前記出力装置によって送信された前記データに対して前記基地局によって実行された点検が、前記低いデータ伝送チャネル品質に起因して失敗したと決定する段階を実行するために、前記メモリに記憶された前記プログラムを呼び出す、請求項５９に記載のＵＥ。
【請求項６２】
前記プロセッサはさらに、前記肯定応答指示メッセージの中に、前記ＵＥに対応するインデックス番号が無いことが、解析を用いて認識されたとき、前記出力装置によって送信された前記データを前記基地局が発見しなかったと決定する段階を実行するために、前記メモリに記憶された前記プログラムを呼び出す、請求項５６から６１のいずれか一項に記載のＵＥ。
【請求項６３】
前記肯定応答指示メッセージのデータ長は、予め設定されたデータ長であり、前記肯定応答指示メッセージによって示される、前記ＵＥが属する前記肯定応答グループにおける目標ＵＥ対応するインデックス番号の数が、前記予め設定されたデータ長を超えない、請求項５６から６２のいずれか一項に記載のＵＥ。
【請求項６４】
データを基地局へ送信するように前記出力装置を制御した後、前記基地局によってフィードバックされた肯定応答指示メッセージを受信するように前記入力装置を制御する前記段階の前に、前記プロセッサはさらに、前記基地局によって送信された構成情報を受信するように前記入力装置を制御する段階であって、前記構成情報は、前記ＵＥが属する前記肯定応答グループと、前記基地局が前記肯定応答グループにおいて予め設定した、フィードバックするＵＥの数と、前記肯定応答グループにおける前記ＵＥに対応する前記インデックス番号とを示すために使用される、段階を実行するために、前記メモリに記憶されたプログラムを呼び出す、請求項５６から６３のいずれか一項に記載のＵＥ。
【請求項６５】
請求項１から３２のいずれか一項に記載の方法をコンピュータに実行させるコンピュータプログラム。
【発明の詳細な説明】
【技術分野】
【０００１】
本発明は通信技術の分野に関し、特に、データ伝送のための肯定応答指示方法および関連するデバイスに関する。
【背景技術】
【０００２】
ＬＴＥ（Ｌｏｎｇ  Ｔｅｒｍ  Ｅｖｏｌｕｔｉｏｎ、ロングタームエボリューション）システムにおいて、ユーザ機器ＵＥ（Ｕｓｅｒ  Ｅｑｕｉｐｍｅｎｔ）のアップリンクデータは、基地局のＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）シグナリングを使用することによってスケジューリングされる。基地局は、ＵＥがデータを伝送する必要があるかどうかについて、いつでも明確に把握している。基地局がＵＥによって伝送されたデータを検出し損なった場合でも、または、検出が不正確であった場合でも、基地局は、ＵＥに対応する肯定応答リソース上で、否定応答メッセージをＵＥへフィードバックする。しかしながら、コンテンションベースの伝送方式において、ＵＥによるアップリンクデータ伝送は、基地局にとって不定のイベントである。基地局がＵＥによって伝送されたアップリンクデータを検出し損なったとき、基地局は、ＵＥがデータを伝送しなかったとみなす。従って、基地局は、ＵＥに対応する肯定応答リソース上で肯定応答メッセージをフィードバックしない。その結果、アップリンクデータ伝送の決定を誤るという状況が生じる。
【発明の概要】
【０００３】
本発明の実施形態では、ＵＥがデータを伝送したが、基地局がデータを検出し損ない、肯定応答指示メッセージをフィードバックしないという問題を解決するために、データ伝送のための肯定応答指示方法、および、関連するデバイスを開示する。
【０００４】
本発明の実施形態の第１態様は、データ伝送のための肯定応答指示方法であって、基地局が、肯定応答グループにおける各ユーザ機器（ＵＥ）がデータを伝送したかどうかを検出し、検出結果を取得する段階であって、肯定応答グループは、データが基地局によって検出されることになっている各ＵＥを含む、段階と、基地局が、検出結果に従って、第１レベル肯定応答指示メッセージを生成する段階であって、第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される、段階と、基地局が第１レベル肯定応答指示メッセージを送信する段階とを備える方法を開示する。
【０００５】
本発明の実施形態の第１態様に関連して、本発明の実施形態の第１態様の第１の可能な実装において、第１レベル肯定応答指示メッセージのデータ長は、肯定応答グループにおけるＵＥの数によって決定される。
【０００６】
本発明の実施形態の第１態様、または、第１態様の第１の可能な実装に関連して、本発明の実施形態の第１態様の第２の可能な実装において、基地局が第１レベル肯定応答指示メッセージを送信する段階は、基地局が、肯定応答グループに対応する第１肯定応答リソース上で第１レベル肯定応答指示メッセージを送信する段階を含む。
【０００７】
本発明の実施形態の第１態様、または、第１態様の第１から第２の可能な実装のいずれか１つに関連して、本発明の実施形態の第１態様の第３の可能な実装において、方法は、肯定応答グループにおけるＵＥの中に目標ＵＥがあるとき、基地局が、目標ＵＥによって伝送されたデータを点検し、点検結果を取得する段階であって、目標ＵＥは、フラグビットステータスが第１状態であるすべてのＵＥである、段階と、基地局は、点検結果に従って、第２レベル肯定応答指示メッセージを生成する段階であって、第２レベル肯定応答指示メッセージは、目標ＵＥによって伝送されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される、段階と、基地局は、第２レベル肯定応答指示メッセージを送信する段階とをさらに備える。
【０００８】
本発明の実施形態の第１態様の第３の可能な実装に関連して、本発明の実施形態の第１態様の第４の可能な実装において、基地局が第２レベル肯定応答指示メッセージを送信する段階は、基地局が、肯定応答グループに対応する第２肯定応答リソース上で第２レベル肯定応答指示メッセージを送信する段階を含む。
【０００９】
本発明の実施形態の第１態様の第３の可能な実装、または、第１態様の第４の可能な実装に関連して、本発明の実施形態の第１態様の第５の可能な実装において、第２レベル肯定応答指示メッセージのデータ長は、目標ＵＥの数によって決定される。
【００１０】
本発明の実施形態の第１態様の第３から第５の可能な実装のいずれか１つに関連して、本発明の実施形態の第１態様の第６の可能な実装において、少なくとも１つの目標ＵＥによって伝送されたデータに対応する肯定応答フィードバック情報のタイプが第２タイプであることを第２レベル肯定応答指示メッセージが示すとき、第２レベル肯定応答指示メッセージはさらに、少なくとも１つの目標ＵＥによって伝送されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００１１】
本発明の実施形態の第１態様、または、第１態様の第１から第６の可能な実装のいずれか１つに関連して、本発明の実施形態の第１態様の第７の可能な実装において、肯定応答グループにおける各ユーザ機器（ＵＥ）がデータを伝送したかどうかを基地局が検出し、検出結果を取得する段階の前に、方法はさらに、基地局が、肯定応答グループにおける各ユーザ機器（ＵＥ）へ構成情報を送信する段階であって、構成情報は、各ＵＥが属する肯定応答グループと、肯定応答グループにおけるＵＥの数と、肯定応答グループにおける各ＵＥに対応するフラグビットとを示すために使用される、段階を備える。
【００１２】
本発明の実施形態の第２態様は、データ伝送のための肯定応答指示方法であって、肯定応答グループにおける各ユーザ機器（ＵＥ）がデータを伝送したかどうかを基地局が検出し、検出結果を取得する段階であって、肯定応答グループは、データが基地局によって検出されることになっている各ＵＥを含む段階と、基地局が、検出結果に従って肯定応答指示メッセージを生成する段階であって、肯定応答指示メッセージは、肯定応答グループにおける目標ＵＥに対応するインデックス番号を示すために使用され、目標ＵＥは、肯定応答グループにおける、データが基地局によって発見された少なくとも１つのＵＥであり、インデックス番号は、肯定応答グループにおける目標ＵＥの番号であり、肯定応答グループにおける異なる目標ＵＥは、異なるインデックス番号に対応する、段階と、基地局が、肯定応答指示メッセージを送信する段階とを備える方法を開示する。
【００１３】
本発明の実施形態の第２態様に関連して、本発明の実施形態の第２態様の第１の可能な実装において、基地局が肯定応答指示メッセージを送信する段階は、基地局が、肯定応答グループに対応する肯定応答リソース上で肯定応答指示メッセージを送信する段階を含む。
【００１４】
本発明の実施形態の第２態様、または、第２態様の第１の可能な実装に関連して、本発明の実施形態の第２態様の第２の可能な実装において、肯定応答指示メッセージはさらに、目標ＵＥに対応するインデックス番号のフラグビットを示すために使用され、基地局が肯定応答指示メッセージを送信する段階の前に、方法は、基地局が、目標ＵＥによって伝送されたデータを点検し、点検結果を取得する段階と、基地局が、点検結果に従って、目標ＵＥに対応するインデックス番号のフラグビットステータスを生成する段階であって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、段階とをさらに備える。
【００１５】
本発明の実施形態の第２態様の第２の可能な実装に関連して、本発明の実施形態の第２態様の第３の可能な実装において、肯定応答指示メッセージが、フラグビットステータスが第２状態であるインデックス番号に対応する目標ＵＥがあることを示すとき、肯定応答指示メッセージはさらに、フラグビットステータスが第２状態であるインデックス番号に対応する目標ＵＥによって伝送されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００１６】
本発明の実施形態の第２態様、または、第２態様の第１から第３の可能な実装のいずれか１つに関連して、本発明の実施形態の第２態様の第４の可能な実装において、肯定応答指示メッセージのデータ長は予め設定されたデータ長であり、肯定応答指示メッセージによって示される、肯定応答グループにおける目標ＵＥに対応するインデックス番号の数は、予め設定されたデータ長を超えない。
【００１７】
本発明の実施形態の第２態様、または、第２態様の第１から第４の可能な実装のいずれか１つに関連して、本発明の実施形態の第２態様の第５の可能な実装において、肯定応答グループにおける各ユーザ機器（ＵＥ）がデータを伝送したかどうかを基地局が検出し、検出結果を取得する段階の前に、方法はさらに、基地局が、肯定応答グループにおける各ユーザ機器（ＵＥ）へ構成情報を送信する段階であって、構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される、段階を備える。
【００１８】
本発明の実施形態の第３態様は、データ伝送のための肯定応答指示の方法であって、ユーザ機器（ＵＥ）が、データを基地局へ送信した後に、基地局によってフィードバックされた第１レベル肯定応答指示メッセージを受信する段階であって、第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用され、肯定応答グループは、データが基地局によって検出されることになっている各ＵＥを含む、段階と、ＵＥが、第１レベル肯定応答指示メッセージに基づいて、肯定応答グループにおけるＵＥに対応するフラグビットステータスを解析する段階とを備える方法を開示する。
【００１９】
本発明の実施形態の第３態様に関連して、本発明の実施形態の第３態様の第１の可能な実装において、第１レベル肯定応答指示メッセージのデータ長は、肯定応答グループにおけるＵＥの数によって決定される。
【００２０】
本発明の実施形態の第３態様、または、第３態様の第１の可能な実装に関連して、本発明の実施形態の第３態様の第２の可能な実装において、方法は、ＵＥが、解析を用いて、肯定応答グループにおけるＵＥに対応するフラグビットステータスが第１状態であることを認識したとき、ＵＥが、基地局によってフィードバックされた第２レベル肯定応答指示メッセージを受信する段階であって、第２レベル肯定応答指示メッセージは、目標ＵＥによって送信されたデータに対応する肯定応答フィードバック情報のタイプを示すために使用され、目標ＵＥは、肯定応答グループにおける、フラグビットステータスが第１状態であるすべてのＵＥであり、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される、段階と、ＵＥが、第２レベル肯定応答指示メッセージに基づいて、ＵＥによって送信されたデータに対応する肯定応答フィードバック情報のタイプを解析する段階とをさらに備える。
【００２１】
本発明の実施形態の第３態様の第２の可能な実装に関連して、本発明の実施形態の第３態様の第３の可能な実装において、第２レベル肯定応答指示メッセージのデータ長は、目標ＵＥの数によって決定される。
【００２２】
本発明の実施形態の第３態様の第２または第３の可能な実装に関連して、本発明の実施形態の第３態様の第４の可能な実装において、ＵＥが、第２レベル肯定応答指示メッセージに基づいて、ＵＥによって送信されたデータに対応する肯定応答フィードバック情報のタイプを解析する段階は、ＵＥが、目標ＵＥの数についての統計を収集する段階と、ＵＥが、目標ＵＥにおけるＵＥの位置を決定する段階であって、第２レベル肯定応答指示メッセージにおけるＵＥの位置は、目標ＵＥにおけるＵＥの位置によって決定される段階と、ＵＥが、第２レベル肯定応答指示メッセージにおけるＵＥの位置に基づいて、ＵＥによって送信されたデータに対応する肯定応答フィードバック情報のタイプを解析する段階とを備える。
【００２３】
本発明の実施形態の第３態様の第２から第４の可能な実装のいずれか１つに関連して、本発明の実施形態の第３態様の第５の可能な実装において、少なくとも１つの目標ＵＥによって伝送されたデータに対応する肯定応答フィードバック情報のタイプが第２タイプであることを第２レベル肯定応答指示メッセージが示すとき、第２レベル肯定応答指示メッセージはさらに、少なくとも１つの目標ＵＥによって送信されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００２４】
本発明の実施形態の第３態様の第２から第５の可能な実装のいずれか１つに関連して、本発明の実施形態の第３態様の第６の可能な実装において、方法は、ＵＥによって送信されたデータに対応する肯定応答フィードバック情報のタイプが第１タイプであることをＵＥが解析を用いて認識したとき、ＵＥによって送信されたデータに対して基地局によって実行された点検が成功したとＵＥが決定する段階をさらに備える。
【００２５】
本発明の実施形態の第３態様の第２から第５の可能な実装のいずれか１つに関連して、本発明の実施形態の第３態様の第７の可能な実装において、方法は、ＵＥによって送信されたデータに対応する肯定応答フィードバック情報のタイプが第２タイプであることをＵＥが解析を用いて認識したとき、ＵＥによって送信されたデータに対して基地局によって実行された点検が失敗したとＵＥが決定する段階をさらに備える。
【００２６】
本発明の実施形態の第３態様の第５の可能な実装に関連して、本発明の実施形態の第３態様の第８の可能な実装において、方法は、ＵＥによって送信されたデータに対応する肯定応答フィードバック情報のタイプが第２タイプであることを、ＵＥが解析を用いて認識したとき、ＵＥが、第２レベル肯定応答指示メッセージに基づいて、ＵＥによって送信されたデータに対応する点検失敗ステータスを解析する段階をさらに備える。
【００２７】
本発明の実施形態の第３態様の第８の可能な実装に関連して、本発明の実施形態の第３態様の第９の可能な実装において、方法は、ＵＥによって送信されたデータに対応する点検失敗ステータスが第３状態であることを、ＵＥが解析を用いて認識したとき、ＵＥは、ＵＥによって送信されたデータに対して基地局によって実行された点検が、低いアップリンクマルチユーザマッチング度によって生じた衝突に起因して失敗したと決定する段階をさらに備える。
【００２８】
本発明の実施形態の第３態様の第８の可能な実装に関連して、本発明の実施形態の第３態様の第１０の可能な実装において、方法は、ＵＥによって送信されたデータに対応する点検失敗ステータスが第４状態であることを、ＵＥが解析を用いて認識したとき、ＵＥは、ＵＥによって送信されたデータに対して基地局によって実行された点検が、低いデータ伝送チャネル品質に起因して失敗したと決定する段階をさらに備える。
【００２９】
本発明の実施形態の第３態様、または、第３態様の第１の可能な実装に関連して、本発明の実施形態の第３態様の第１１の可能な実装において、方法は、肯定応答グループにおけるＵＥに対応するフラグビットステータスが第２状態であることを、ＵＥが解析を用いて認識したとき、ＵＥによって送信されたデータを基地局が発見しなかったとＵＥが決定する段階をさらに備える。
【００３０】
本発明の実施形態の第３態様、または、第３態様の第１から第１１の可能な実装のいずれか１つに関連して、本発明の実施形態の第３態様の第１２の可能な実装において、ユーザ機器（ＵＥ）がデータを基地局へ送信した後、基地局によってフィードバックされた第１レベル肯定応答指示メッセージを受信する段階の前に、方法はさらに、ユーザ機器（ＵＥ）が、基地局によって送信された構成情報を受信する段階であって、構成情報は、ＵＥが属する肯定応答グループと、肯定応答グループにおけるＵＥの数と、肯定応答グループにおけるＵＥに対応するフラグビットとを示すために使用される、段階を備える。
【００３１】
本発明の実施形態の第４態様は、データ伝送のための肯定応答指示の方法であって、ユーザ機器（ＵＥ）が、データを基地局へ送信した後、基地局によってフィードバックされた肯定応答指示メッセージを受信する段階であって、肯定応答指示メッセージは、ＵＥが属する肯定応答グループにおける目標ＵＥに対応するインデックス番号を示すために使用され、目標ＵＥは、データが基地局によって発見された、肯定応答グループにおける少なくとも１つのＵＥであり、インデックス番号は、肯定応答グループにおける目標ＵＥの番号であり、肯定応答グループにおける異なる目標ＵＥは、異なるインデックス番号に対応し、肯定応答グループは、データが基地局によって検出されることになっている各ＵＥを含む、段階と、ＵＥが、肯定応答指示メッセージを解析し、ＵＥに対応するインデックス番号が肯定応答指示メッセージの中にあるかどうかを検出する段階とを備える方法を開示する。
【００３２】
本発明の実施形態の第４態様に関連して、本発明の実施形態の第４態様の第１の可能な実装において、肯定応答指示メッセージはさらに、目標ＵＥに対応するインデックス番号のフラグビットを示すために使用され、方法はさらに、ＵＥに対応するインデックス番号が肯定応答指示メッセージの中にあると、ＵＥが解析を用いて認識したとき、ＵＥが、ＵＥに対応するインデックス番号のフラグビットステータスを解析する段階であって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、段階を備える。
【００３３】
本発明の実施形態の第４態様の第１の可能な実装に関連して、本発明の実施形態の第４態様の第２の可能な実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって送信されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００３４】
本発明の実施形態の第４態様の第１または第２の可能な実装に関連して、本発明の実施形態の第４態様の第３の可能な実装において、方法はさらに、ＵＥに対応するインデックス番号のフラグビットステータスが第１状態であると、ＵＥが解析を用いて認識したとき、ＵＥによって送信されたデータに対して基地局によって実行された点検が成功したとＵＥが決定する段階を備える。
【００３５】
本発明の実施形態の第４態様の第１または第２の可能な実装に関連して、本発明の実施形態の第４態様の第４の可能な実装において、方法はさらに、ＵＥに対応するインデックス番号のフラグビットステータスが第２状態であると、ＵＥが解析を用いて認識したとき、ＵＥによって送信されたデータに対して基地局によって実行された点検が失敗したとＵＥが決定する段階を備える。
【００３６】
本発明の実施形態の第４態様の第２の可能な実装に関連して、本発明の実施形態の第４態様の第５の可能な実装において、方法は、ＵＥに対応するインデックス番号のフラグビットステータスが第２状態であると、ＵＥが解析を用いて認識したとき、ＵＥが、肯定応答指示メッセージに基づいて、ＵＥによって送信されたデータに対応する点検失敗ステータスを解析する段階をさらに備える。
【００３７】
本発明の実施形態の第４態様の第５の可能な実装に関連して、本発明の実施形態の第４態様の第６の可能な実装において、方法は、ＵＥによって送信されたデータに対応する点検失敗ステータスが第３状態であることを、ＵＥが解析を用いて認識したとき、ＵＥは、ＵＥによって送信されたデータに対して基地局によって実行された点検が、低いアップリンクマルチユーザマッチング度によって生じた衝突に起因して失敗したと決定する段階をさらに備える。
【００３８】
本発明の実施形態の第４態様の第５の可能な実装に関連して、本発明の実施形態の第４態様の第７の可能な実装において、方法は、ＵＥによって送信されたデータに対応する点検失敗ステータスが第４状態であることを、ＵＥが解析を用いて認識したとき、ＵＥは、ＵＥによって送信されたデータに対して基地局によって実行された点検が、低いデータ伝送チャネル品質に起因して失敗したと決定する段階をさらに備える。
【００３９】
本発明の実施形態の第４態様に関連して、本発明の実施形態の第４態様の第８の可能な実装において、方法は、ＵＥに対応するインデックス番号が肯定応答指示メッセージの中に無いことを、ＵＥが解析を用いて認識したとき、基地局が、ＵＥによって送信されたデータを発見しなかったとＵＥが決定する段階をさらに備える。
【００４０】
本発明の実施形態の第４態様、または、第４態様の第１から第８の可能な実装のいずれか１つに関連して、本発明の実施形態の第４態様の第９の可能な実装において、肯定応答指示メッセージのデータ長は予め設定されたデータ長であり、肯定応答指示メッセージによって示される、ＵＥが属する肯定応答グループにおける目標ＵＥに対応するインデックス番号の数は、予め設定されたデータ長を超えない。
【００４１】
本発明の実施形態の第４態様、または、第４態様の第１から第９の可能な実装のいずれか１つに関連して、本発明の実施形態の第４態様の第１０の可能な実装において、ユーザ機器（ＵＥ）がデータを基地局へ送信した後、基地局によってフィードバックされた肯定応答指示メッセージを受信する段階の前に、方法はさらに、ユーザ機器（ＵＥ）が、基地局によって送信された構成情報を受信する段階であって、構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される、段階を備える。
【００４２】
本発明の実施形態の第５態様は、基地局を開示し、基地局は、肯定応答グループにおける各ユーザ機器（ＵＥ）がデータを伝送したかどうかを検出し、検出結果を取得するように構成されている検出ユニットであって、肯定応答グループは、データが基地局によって検出されることになっている各ＵＥを含む、検出ユニットと、検出結果に従って、第１レベル肯定応答指示メッセージを生成するように構成されている生成ユニットであって、第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される、生成ユニットと、第１レベル肯定応答指示メッセージを送信するように構成されている送信ユニットとを備える。
【００４３】
本発明の実施形態の第５態様に関連して、本発明の実施形態の第５態様の第１の可能な実装において、第１レベル肯定応答指示メッセージのデータ長は、肯定応答グループにおけるＵＥの数によって決定される。
【００４４】
本発明の実施形態の第５態様、または、第５態様の第１の可能な実装に関連して、本発明の実施形態の第５態様の第２の可能な実装において、送信ユニットが第１レベル肯定応答指示メッセージを送信する方式は、具体的には、送信ユニットが、肯定応答グループに対応する第１肯定応答リソース上で第１レベル肯定応答指示メッセージを送信することである。
【００４５】
本発明の実施形態の第５態様、または、第５態様の第１から第２の可能な実装のいずれか１つに関連して、本発明の実施形態の第５態様の第３の可能な実装において、基地局は、肯定応答グループにおけるＵＥの中に目標ＵＥがあるとき、目標ＵＥによって伝送されたデータを点検し、点検結果を取得するように構成された点検ユニットをさらに備え、目標ＵＥは、フラグビットステータスが第１状態であるすべてのＵＥであり、生成ユニットはさらに、点検結果に従って、第２レベル肯定応答指示メッセージを生成するように構成され、第２レベル肯定応答指示メッセージは、目標ＵＥによって伝送されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用され、送信ユニットはさらに、第２レベル肯定応答指示メッセージを送信するように構成されている。
【００４６】
本発明の実施形態の第５態様の第３の可能な実装に関連して、本発明の実施形態の第５態様の第４の可能な実装において、送信ユニットが第２レベル肯定応答指示メッセージを送信する方式は、具体的には、送信ユニットが、肯定応答グループに対応する第２肯定応答リソース上で、第２レベル肯定応答指示メッセージを送信することである。
【００４７】
本発明の実施形態の第５態様の第３の可能な実装、または、第５態様の第４の可能な実装に関連して、本発明の実施形態の第５態様の第５の可能な実装において、第２レベル肯定応答指示メッセージのデータ長は、目標ＵＥの数によって決定される。
【００４８】
本発明の実施形態の第５態様の第３から第５の可能な実装のいずれか１つに関連して、本発明の実施形態の第５態様の第６の可能な実装において、少なくとも１つの目標ＵＥによって伝送されたデータに対応する肯定応答フィードバック情報のタイプが第２タイプであることを第２レベル肯定応答指示メッセージが示すとき、第２レベル肯定応答指示メッセージはさらに、少なくとも１つの目標ＵＥによって伝送されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００４９】
本発明の実施形態の第５態様、または、第５態様の第１から第６の可能な実装のいずれか１つに関連して、本発明の実施形態の第５態様の第７の可能な実装において、検出ユニットが、肯定応答グループにおける各ユーザ機器（ＵＥ）がデータを伝送したかどうかを検出し、検出結果を取得する前に、送信ユニットはさらに、肯定応答グループにおける各ユーザ機器（ＵＥ）へ構成情報を送信するように構成され、構成情報は、各ＵＥが属する肯定応答グループと、肯定応答グループにおけるＵＥの数と、肯定応答グループにおける各ＵＥに対応するフラグビットとを示すために使用される。
【００５０】
本発明の実施形態の第６態様は、基地局を開示し、基地局は、肯定応答グループにおける各ユーザ機器（ＵＥ）がデータを伝送したかどうかを検出し、検出結果を取得するように構成されている検出ユニットであって、肯定応答グループは、データが基地局によって検出されることになっている各ＵＥを含む、検出ユニットと、検出結果に従って肯定応答指示メッセージを生成するように構成されている生成ユニットであって、肯定応答指示メッセージは、肯定応答グループにおける目標ＵＥに対応するインデックス番号を示すために使用され、目標ＵＥは、肯定応答グループにおける、データが基地局によって発見された少なくとも１つのＵＥであり、インデックス番号は、肯定応答グループにおける目標ＵＥの番号であり、肯定応答グループにおける異なる目標ＵＥは、異なるインデックス番号に対応する、生成ユニットと、肯定応答指示メッセージを送信するように構成されている送信ユニットとを備える。
【００５１】
本発明の実施形態の第６態様に関連して、本発明の実施形態の第６態様の第１の可能な実装において、送信ユニットが肯定応答指示メッセージを送信する方式は、具体的には、送信ユニットが、肯定応答グループに対応する肯定応答リソース上で肯定応答指示メッセージを送信することである。
【００５２】
本発明の実施形態の第６態様、または、第６態様の第１の可能な実装に関連して、本発明の実施形態の第６態様の第２の可能な実装において、肯定応答指示メッセージはさらに、目標ＵＥに対応するインデックス番号のフラグビットを示すために使用され、基地局はさらに、点検ユニットであって、送信ユニットが肯定応答指示メッセージを送信する前に、目標ＵＥによって伝送されたデータを点検し、点検結果を取得するように構成されている点検ユニットと、生成ユニットであって、点検結果に従って、目標ＵＥに対応するインデックス番号のフラグビットステータスを生成するようにさらに構成され、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、生成ユニットとを備える。
【００５３】
本発明の実施形態の第６態様の第２の可能な実装に関連して、本発明の実施形態の第６態様の第３の可能な実装において、肯定応答指示メッセージが、フラグビットステータスが第２状態であるインデックス番号に対応する目標ＵＥがあることを示すとき、肯定応答指示メッセージはさらに、フラグビットステータスが第２状態であるインデックス番号に対応する目標ＵＥによって伝送されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００５４】
本発明の実施形態の第６態様、または、第６態様の第１から第３の可能な実装のいずれか１つに関連して、本発明の実施形態の第６態様の第４の可能な実装において、肯定応答指示メッセージのデータ長は予め設定されたデータ長であり、肯定応答指示メッセージによって示される、肯定応答グループにおける目標ＵＥに対応するインデックス番号の数は、予め設定されたデータ長を超えない。
【００５５】
本発明の実施形態の第６態様、または、第６態様の第１から第４の可能な実装のいずれか１つに関連して、本発明の実施形態の第６態様の第５の可能な実装において、検出ユニットが、肯定応答グループにおける各ユーザ機器（ＵＥ）がデータを伝送したかどうかを検出し、検出結果を取得する前に、送信ユニットはさらに、肯定応答グループにおける各ユーザ機器（ＵＥ）へ構成情報を送信するように構成され、構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される。
【００５６】
本発明の実施形態の第７態様は、ユーザ機器（ＵＥ）を開示し、ＵＥは、ＵＥがデータを基地局へ送信した後に、基地局によってフィードバックされた第１レベル肯定応答指示メッセージを受信するように構成されている受信ユニットであって、第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用され、肯定応答グループは、データが基地局によって検出されることになっている各ＵＥを含む、受信ユニットと、第１レベル肯定応答指示メッセージに基づいて、肯定応答グループにおけるＵＥに対応するフラグビットステータスを解析するように構成されている第１解析ユニットとを備える。
【００５７】
本発明の実施形態の第７態様に関連して、本発明の実施形態の第７態様の第１の可能な実装において、第１レベル肯定応答指示メッセージのデータ長は、肯定応答グループにおけるＵＥの数によって決定される。
【００５８】
本発明の実施形態の第７態様、または、第７態様の第１の可能な実装に関連して、本発明の実施形態の第７態様の第２の可能な実装において、受信ユニットはさらに、第１解析ユニットが、解析を用いて、肯定応答グループにおけるＵＥに対応するフラグビットステータスが第１状態であることを認識したとき、基地局によってフィードバックされた第２レベル肯定応答指示メッセージを受信するように構成され、第２レベル肯定応答指示メッセージは、目標ＵＥによって送信されたデータに対応する肯定応答フィードバック情報のタイプを示すために使用され、目標ＵＥは、肯定応答グループにおける、フラグビットステータスが第１状態であるすべてのＵＥであり、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用され、ＵＥは、第２レベル肯定応答指示メッセージに基づいて、ＵＥによって送信されたデータに対応する肯定応答フィードバック情報のタイプを解析するように構成されている第２解析ユニットをさらに備える。
【００５９】
本発明の実施形態の第７態様の第２の可能な実装に関連して、本発明の実施形態の第７態様の第３の可能な実装において、第２レベル肯定応答指示メッセージのデータ長は、目標ＵＥの数によって決定される。
【００６０】
本発明の実施形態の第７態様の第２または第３の可能な実装に関連して、本発明の実施形態の第７態様の第４の可能な実装において、第２解析ユニットは、目標ＵＥの数についての統計を収集するように構成されている統計収集サブユニットと、目標ＵＥにおけるＵＥの位置を決定するように構成され、第２レベル肯定応答指示メッセージにおけるＵＥの位置は、目標ＵＥにおけるＵＥの位置によって決定される、決定サブユニットと、第２レベル肯定応答指示メッセージにおけるＵＥの位置に基づいて、ＵＥによって送信されたデータに対応する肯定応答フィードバック情報のタイプを解析するように構成されている解析サブユニットとを有する。
【００６１】
本発明の実施形態の第７態様の第２から第４の可能な実装のいずれか１つに関連して、本発明の実施形態の第７態様の第５の可能な実装において、少なくとも１つの目標ＵＥによって伝送されたデータに対応する肯定応答フィードバック情報のタイプが第２タイプであることを第２レベル肯定応答指示メッセージが示すとき、第２レベル肯定応答指示メッセージはさらに、少なくとも１つの目標ＵＥによって送信されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００６２】
本発明の実施形態の第７態様の第２から第５の可能な実装のいずれか１つに関連して、本発明の実施形態の第７態様の第６の可能な実装において、ＵＥは、第２解析ユニットが解析を用いて、ＵＥによって送信されたデータに対応する肯定応答フィードバック情報のタイプが第１タイプであると認識したとき、ＵＥによって送信されたデータに対して基地局によって実行された点検が成功したと決定するように構成されている第１決定ユニットをさらに備える。
【００６３】
本発明の実施形態の第７態様の第２から第５の可能な実装のいずれか１つに関連して、本発明の実施形態の第７態様の第７の可能な実装において、ＵＥは、第２解析ユニットが解析を用いて、ＵＥによって送信されたデータに対応する肯定応答フィードバック情報のタイプが第２タイプであると認識したとき、ＵＥによって送信されたデータに対して基地局によって実行された点検が失敗したと決定するように構成されている第２決定ユニットをさらに備える。
【００６４】
本発明の実施形態の第７態様の第５の可能な実装に関連して、本発明の実施形態の第７態様の第８の可能な実装において、ＵＥは、ＵＥによって送信されたデータに対応する肯定応答フィードバック情報のタイプが第２タイプであることを、第２解析ユニットが解析を用いて認識したとき、第２レベル肯定応答指示メッセージに基づいて、ＵＥによって送信されたデータに対応する点検失敗ステータスを解析するように構成されている第３解析ユニットをさらに備える。
【００６５】
本発明の実施形態の第７態様の第８の可能な実装に関連して、本発明の実施形態の第７態様の第９の可能な実装において、ＵＥは、第３解析ユニットが解析を用いて、ＵＥによって送信されたデータに対応する点検失敗ステータスが第３状態であることを認識したとき、ＵＥによって送信されたデータに対して基地局によって実行された点検が、低いアップリンクマルチユーザマッチング度によって生じた衝突に起因して失敗したと決定するように構成されている第３決定ユニットをさらに備える。
【００６６】
本発明の実施形態の第７態様の第８の可能な実装に関連して、本発明の実施形態の第７態様の第１０の可能な実装において、ＵＥは、第３解析ユニットが解析を用いて、ＵＥによって送信されたデータに対応する点検失敗ステータスが第４状態であることを認識したとき、ＵＥによって送信されたデータに対して基地局によって実行された点検が、低いデータ伝送チャネル品質に起因して失敗したと決定するように構成されている第４決定ユニットをさらに備える。
【００６７】
本発明の実施形態の第７態様、または、第７態様の第１の可能な実装に関連して、本発明の実施形態の第７態様の第１１の可能な実装において、ＵＥは、第１解析ユニットが解析を用いて、肯定応答グループにおけるＵＥに対応するフラグビットステータスが第２状態であると認識したとき、ＵＥによって送信されたデータを基地局が発見しなかったと決定するように構成されている第５決定ユニットをさらに備える。
【００６８】
本発明の実施形態の第７態様、または、第７態様の第１から第１１の可能な実装のいずれか一項に関連して、本発明の実施形態の第７態様の第１２の可能な実装において、受信ユニットはさらに、ＵＥがデータを基地局へ送信した後、基地局によってフィードバックされた第１レベル肯定応答指示メッセージを受信する前に、基地局によって送信された構成情報を受信するように構成され、構成情報は、ＵＥが属する肯定応答グループと、肯定応答グループにおけるＵＥの数と、肯定応答グループにおけるＵＥに対応するフラグビットとを示すために使用される。
【００６９】
本発明の実施形態の第８態様は、ユーザ機器（ＵＥ）を開示し、ユーザ機器（ＵＥ）は、ＵＥが、データを基地局へ送信した後、基地局によってフィードバックされた肯定応答指示メッセージを受信するように構成されている受信ユニットであって、肯定応答指示メッセージは、ＵＥが属する肯定応答グループにおける目標ＵＥに対応するインデックス番号を示すために使用され、目標ＵＥは、データが基地局によって発見された、肯定応答グループにおける少なくとも１つのＵＥであり、インデックス番号は、肯定応答グループにおける目標ＵＥの番号であり、肯定応答グループにおける異なる目標ＵＥは、異なるインデックス番号に対応し、肯定応答グループは、データが基地局によって検出されることになっている各ＵＥを含む、受信ユニットと、肯定応答指示メッセージを解析し、ＵＥに対応するインデックス番号が肯定応答指示メッセージの中にあるかどうかを検出するように構成されている第１解析ユニットとを備える。
【００７０】
本発明の実施形態の第８態様に関連して、本発明の実施形態の第８態様の第１の可能な実装において、肯定応答指示メッセージはさらに、目標ＵＥに対応するインデックス番号のフラグビットを示すために使用され、ＵＥはさらに、ＵＥに対応するインデックス番号が肯定応答指示メッセージの中にあると、第１解析ユニットが解析を用いて認識したとき、ＵＥに対応するインデックス番号のフラグビットステータスを解析するように構成されている第２解析ユニットであって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、第２解析ユニットを備える。
【００７１】
本発明の実施形態の第８態様の第１の可能な実装に関連して、本発明の実施形態の第８態様の第２の可能な実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって送信されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００７２】
本発明の実施形態の第８態様の第１または第２の可能な実装に関連して、本発明の実施形態の第８態様の第３の可能な実装において、ＵＥは、第２解析ユニットが解析を用いて、ＵＥに対応するインデックス番号のフラグビットステータスが第１状態であると認識したとき、ＵＥによって送信されたデータに対して基地局によって実行された点検が成功したと決定するように構成されている第１決定ユニットをさらに備える。
【００７３】
本発明の実施形態の第８態様の第１または第２の可能な実装に関連して、本発明の実施形態の第８態様の第４の可能な実装において、ＵＥは、第２解析ユニットが解析を用いて、ＵＥに対応するインデックス番号のフラグビットステータスが第２状態であると認識したとき、ＵＥによって送信されたデータに対して基地局によって実行された点検が失敗したと決定するように構成されている第２決定ユニットをさらに備える。
【００７４】
本発明の実施形態の第８態様の第２の可能な実装に関連して、本発明の実施形態の第８態様の第５の可能な実装において、ＵＥは、第２解析ユニットが解析を用いて、ＵＥに対応するインデックス番号のフラグビットステータスが第２状態であると認識したとき、肯定応答指示メッセージに基づいて、ＵＥによって送信されたデータに対応する点検失敗ステータスを解析するように構成されている第３解析ユニットをさらに備える。
【００７５】
本発明の実施形態の第８態様の第５の可能な実装に関連して、本発明の実施形態の第８態様の第６の可能な実装において、ＵＥは、第３解析ユニットが解析を用いて、ＵＥによって送信されたデータに対応する点検失敗ステータスが第３状態であることを認識したとき、ＵＥによって送信されたデータに対して基地局によって実行された点検が、低いアップリンクマルチユーザマッチング度によって生じた衝突に起因して失敗したと決定するように構成されている第３決定ユニットをさらに備える。
【００７６】
本発明の実施形態の第８態様の第５の可能な実装に関連して、本発明の実施形態の第８態様の第７の可能な実装において、ＵＥは、第３解析ユニットが解析を用いて、ＵＥによって送信されたデータに対応する点検失敗ステータスが第４状態であることを認識したとき、ＵＥによって送信されたデータに対して基地局によって実行された点検が、低いデータ伝送チャネル品質に起因して失敗したと決定するように構成されている第４決定ユニットをさらに備える。
【００７７】
本発明の実施形態の第８態様に関連して、本発明の実施形態の第８態様の第８の可能な実装において、ＵＥはさらに、第１解析ユニットが解析を用いて、ＵＥに対応するインデックス番号が肯定応答指示メッセージの中に無いと認識したとき、ＵＥによって送信されたデータを基地局が発見しなかったと決定するように構成されている第５決定ユニットを備える。
【００７８】
本発明の実施形態の第８態様、または、第８態様の第１から第８の可能な実装のいずれか１つに関連して、本発明の実施形態の第８態様の第９の可能な実装において、肯定応答指示メッセージのデータ長は予め設定されたデータ長であり、肯定応答指示メッセージによって示される、ＵＥが属する肯定応答グループにおける目標ＵＥに対応するインデックス番号の数は、予め設定されたデータ長を超えない。
【００７９】
本発明の実施形態の第８態様、または、第８態様の第１から第９の可能な実装のいずれか一項に関連して、本発明の実施形態の第８態様の第１０の可能な実装において、受信ユニットはさらに、ＵＥがデータを基地局へ送信した後、基地局によってフィードバックされた肯定応答指示メッセージを受信する前に、基地局によって送信された構成情報を受信するように構成され、構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される。
【００８０】
本発明の実施形態の第９態様は、基地局を開示し、基地局は、プロセッサ、メモリ、出力装置および通信バスを備え、メモリは、プログラムおよびデータを記憶するように構成され、通信バスは、プロセッサ、メモリおよび出力装置の間の接続および通信を確立するように構成され、プロセッサは、肯定応答グループにおける各ユーザ機器（ＵＥ）がデータを伝送したかどうかを検出し、検出結果を取得する段階であって、肯定応答グループは、データが基地局によって検出されることになっている各ＵＥを含む、段階と、検出結果に従って、第１レベル肯定応答指示メッセージを生成する段階であって、第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される、段階と、第１レベル肯定応答指示メッセージを送信するように出力装置を制御する段階とを実行するために、メモリに記憶されたプログラムを呼び出すように構成されている。
【００８１】
本発明の実施形態の第９態様に関連して、本発明の実施形態の第９態様の第１の可能な実装において、第１レベル肯定応答指示メッセージのデータ長は、肯定応答グループにおけるＵＥの数によって決定される。
【００８２】
本発明の実施形態の第９態様、または、第９態様の第１の可能な実装に関連して、本発明の実施形態の第９態様の第２の可能な実装において、第１レベル肯定応答指示メッセージを送信するようにプロセッサが出力装置を制御する方式は、具体的には、肯定応答グループに対応する第１肯定応答リソース上で第１レベル肯定応答指示メッセージを送信するように出力装置を制御することである。
【００８３】
本発明の実施形態の第９態様、または、第９態様の第１から第２の可能な実装のいずれか１つに関連して、本発明の実施形態の第９態様の第３の可能な実装において、プロセッサはさらに、肯定応答グループにおけるＵＥの中に目標ＵＥがあるとき、目標ＵＥによって伝送されたデータを点検し、点検結果を取得する段階であって、目標ＵＥは、フラグビットステータスが第１状態であるすべてのＵＥである、段階と、点検結果に従って、第２レベル肯定応答指示メッセージを生成する段階であって、第２レベル肯定応答指示メッセージは、目標ＵＥによって伝送されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される、段階と、第２レベル肯定応答指示メッセージを送信するように出力装置を制御する段階とを実行するために、メモリに記憶されたプログラムを呼び出すように構成されている。
【００８４】
本発明の実施形態の第９態様の第３の可能な実装に関連して、本発明の実施形態の第９態様の第４の可能な実装において、プロセッサが、第２レベル肯定応答指示メッセージを送信するように出力装置を制御する方式は、具体的には、肯定応答グループに対応する第２肯定応答リソース上で、第２レベル肯定応答指示メッセージを送信するように出力装置を制御することである。
【００８５】
本発明の実施形態の第９態様の第３の可能な実装、または、第９態様の第４の可能な実装に関連して、本発明の実施形態の第９態様の第５の可能な実装において、第２レベル肯定応答指示メッセージのデータ長は、目標ＵＥの数によって決定される。
【００８６】
本発明の実施形態の第９態様の第３から第５の可能な実装のいずれか１つに関連して、本発明の実施形態の第９態様の第６の可能な実装において、少なくとも１つの目標ＵＥによって伝送されたデータに対応する肯定応答フィードバック情報のタイプが第２タイプであることを第２レベル肯定応答指示メッセージが示すとき、第２レベル肯定応答指示メッセージはさらに、少なくとも１つの目標ＵＥによって伝送されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００８７】
本発明の実施形態の第９態様、または、第９態様の第１から第６の可能な実装のいずれか１つに関連して、本発明の実施形態の第９態様の第７の可能な実装において、肯定応答グループにおける各ユーザ機器（ＵＥ）がデータを伝送したかどうかを検出し、検出結果を取得する段階の前に、プロセッサはさらに、肯定応答グループにおける各ユーザ機器（ＵＥ）へ、メモリに記憶されたデータに含まれる構成情報を送信するように出力装置を制御する段階であって、構成情報は、各ＵＥが属する肯定応答グループと、肯定応答グループにおけるＵＥの数と、肯定応答グループにおける各ＵＥに対応するフラグビットとを示すために使用される、段階を実行するために、メモリに記憶されたプログラムを呼び出すように構成されている。
【００８８】
本発明の実施形態の第１０態様は、基地局を開示し、基地局は、プロセッサ、メモリ、出力装置および通信バスを備え、メモリは、プログラムおよびデータを記憶するように構成され、通信バスは、プロセッサ、メモリおよび出力装置の間の接続および通信を確立するように構成され、プロセッサは、肯定応答グループにおける各ユーザ機器（ＵＥ）がデータを伝送したかどうかを検出し、検出結果を取得する段階であって、肯定応答グループは、データが基地局によって検出されることになっている各ＵＥを含む、段階と、検出結果に従って、肯定応答指示メッセージを生成する段階であって、肯定応答指示メッセージは、肯定応答グループにおける目標ＵＥに対応するインデックス番号を示すために使用され、目標ＵＥは、データが肯定応答グループにおける基地局によって発見された少なくとも１つのＵＥであり、インデックス番号は、肯定応答グループにおける目標ＵＥの番号であり、肯定応答グループにおける異なる目標ＵＥは、異なるインデックス番号に対応する、段階と、肯定応答指示メッセージを送信するように出力装置を制御する段階とを実行するために、メモリに記憶されたプログラムを呼び出すように構成されている。
【００８９】
本発明の実施形態の第１０態様に関連して、本発明の実施形態の第１０態様の第１の可能な実装において、プロセッサが、肯定応答指示メッセージを送信するように出力装置を制御する方式は、具体的には、肯定応答グループに対応する肯定応答リソース上で、肯定応答指示メッセージを送信するように出力装置を制御することである。
【００９０】
本発明の実施形態の第１０態様、または、第１０態様の第１の可能な実装に関連して、本発明の実施形態の第１０態様の第２の可能な実装において、肯定応答指示メッセージはさらに、目標ＵＥに対応するインデックス番号のフラグビットを示すために使用され、肯定応答指示メッセージを送信するように出力装置を制御する前に、プロセッサはさらに、目標ＵＥによって伝送されたデータを点検し、点検結果を取得する段階と、点検結果に従って、目標ＵＥに対応するインデックス番号のフラグビットステータスを生成する段階であって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、段階とを実行するために、メモリに記憶されたアプリケーションプログラムを呼び出すように構成されている。
【００９１】
本発明の実施形態の第１０態様の第２の可能な実装に関連して、本発明の実施形態の第１０態様の第３の可能な実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって伝送されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【００９２】
本発明の実施形態の第１０態様、または、第１０態様の第１から第３の可能な実装のいずれか１つに関連して、本発明の実施形態の第１０態様の第４の可能な実装において、肯定応答指示メッセージのデータ長は予め設定されたデータ長であり、肯定応答指示メッセージによって示される、肯定応答グループにおける目標ＵＥに対応するインデックス番号の数は、予め設定されたデータ長を超えない。
【００９３】
本発明の実施形態の第１０態様、または、第１０態様の第１から第４の可能な実装のいずれか１つに関連して、本発明の実施形態の第１０態様の第５の可能な実装において、肯定応答グループにおける各ユーザ機器（ＵＥ）がデータを伝送したかどうかを検出し、検出結果を取得する段階の前に、プロセッサはさらに、肯定応答グループにおける各ユーザ機器（ＵＥ）へ、メモリに記憶されたデータに含まれる構成情報を送信するように出力装置を制御する段階であって、構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される、段階を実行するために、メモリに記憶されたプログラムを呼び出すように構成されている。
【００９４】
本発明の実施形態の第１１態様は、ユーザ機器（ＵＥ）を開示し、ＵＥは、プロセッサ、メモリ、出力装置、入力装置および通信バスを備え、メモリは、プログラムおよびデータを記憶するように構成され、通信バスは、プロセッサ、メモリ、出力装置および入力装置の間で接続および通信を確立するように構成され、プロセッサは、データを基地局へ送信するように出力装置を制御した後、基地局によってフィードバックされた第１レベル肯定応答指示メッセージを受信するように入力装置を制御する段階であって、第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用され、肯定応答グループは、データが基地局によって検出されることになっている各ＵＥを含む、段階と、第１レベル肯定応答指示メッセージに基づいて、肯定応答グループにおけるＵＥに対応するフラグビットステータスを解析する段階とを実行するために、メモリに記憶されたプログラムを呼び出すように構成されている。
【００９５】
本発明の実施形態の第１１態様に関連して、本発明の実施形態の第１１態様の第１の可能な実装において、第１レベル肯定応答指示メッセージのデータ長は、肯定応答グループにおけるＵＥの数によって決定される。
【００９６】
本発明の実施形態の第１１態様、または、第１１態様の第１の可能な実装に関連して。本発明の実施形態の第１１態様の第２の可能な実装において、プロセッサはさらに、肯定応答グループにおけるＵＥに対応するフラグビットステータスが第１状態であることが、解析を用いて認識されたとき、基地局によってフィードバックされた第２レベル肯定応答指示メッセージを受信するように入力装置を制御する段階であって、第２レベル肯定応答指示メッセージは、目標ＵＥによって送信されたデータに対応する肯定応答フィードバック情報のタイプを示すために使用され、目標ＵＥは、肯定応答グループにおける、フラグビットステータスが第１状態であるすべてのＵＥであり、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される、段階と、第２レベル肯定応答指示メッセージに基づいて、出力装置によって送信されたデータに対応する肯定応答フィードバック情報のタイプを解析する段階とを実行するために、メモリに記憶されたプログラムを呼び出すように構成されている。
【００９７】
本発明の実施形態の第１１態様の第２の可能な実装に関連して、本発明の実施形態の第１１態様の第３の可能な実装において、第２レベル肯定応答指示メッセージのデータ長は、目標ＵＥの数によって決定される。
【００９８】
本発明の実施形態の第１１態様の第２または第３の可能な実装に関連して、本発明の実施形態の第１１態様の第４の可能な実装において、プロセッサが、第２レベル肯定応答指示メッセージに基づいて、出力装置によって送信されたデータに対応する肯定応答フィードバック情報のタイプを解析する方式は、具体的には、目標ＵＥの数についての統計を収集すること、目標ＵＥにおけるＵＥの位置を決定することであって、第２レベル肯定応答指示メッセージにおけるＵＥの位置は、目標ＵＥにおけるＵＥの位置によって決定されること、および、第２レベル肯定応答指示メッセージにおけるＵＥの位置に基づいて、出力装置によって送信されたデータに対応する肯定応答フィードバック情報のタイプを解析することである。
【００９９】
本発明の実施形態の第１１態様の第２から第４の可能な実装のいずれか１つに関連して、本発明の実施形態の第１１態様の第５の可能な実装において、少なくとも１つの目標ＵＥによって伝送されたデータに対応する肯定応答フィードバック情報のタイプが第２タイプであることを第２レベル肯定応答指示メッセージが示すとき、第２レベル肯定応答指示メッセージはさらに、少なくとも１つの目標ＵＥによって送信されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０１００】
本発明の実施形態の第１１態様の第２から第５の可能な実装のいずれか１つに関連して、本発明の実施形態の第１１態様の第６の可能な実装において、プロセッサはさらに、出力装置によって送信されたデータに対応する肯定応答フィードバック情報のタイプが第１タイプであることが解析を用いて認識されたとき、出力装置によって送信されたデータに対して基地局によって実行された点検が成功したと決定する段階を実行するために、メモリに記憶されたプログラムを呼び出すように構成されている。
【０１０１】
本発明の実施形態の第１１態様の第２から第５の可能な実装のいずれか１つに関連して、本発明の実施形態の第１１態様の第７の可能な実装において、プロセッサはさらに、出力装置によって送信されたデータに対応する肯定応答フィードバック情報のタイプが第２タイプであることが解析を用いて認識されたとき、出力装置によって送信されたデータに対して基地局によって実行された点検が失敗したと決定する段階を実行するために、メモリに記憶されたプログラムを呼び出すように構成されている。
【０１０２】
本発明の実施形態の第１１態様の第５の可能な実装に関連して、本発明の実施形態の第１１態様の第８の可能な実装において、プロセッサはさらに、出力装置によって送信されたデータに対応する肯定応答フィードバック情報のタイプが第２タイプであることが解析を用いて認識されたされたとき、第２レベル肯定応答指示メッセージに基づいて、出力装置によって送信されたデータに対応する点検失敗ステータスを解析する段階を実行するために、メモリに記憶されたプログラムを呼び出すように構成されている。
【０１０３】
本発明の実施形態の第１１態様の第８の可能な実装に関連して、本発明の実施形態の第１１態様の第９の可能な実装において、プロセッサはさらに、解析を用いて、出力装置によって送信されたデータに対応する点検失敗ステータスが第３状態であると認識されたとき、出力装置によって送信されたデータに対して基地局によって実行された点検が、低いアップリンクマルチユーザマッチング度によって生じた衝突に起因して失敗したと決定する段階を実行するために、メモリに記憶されたプログラムを呼び出すように構成されている。
【０１０４】
本発明の実施形態の第１１態様の第８の可能な実装に関連して、本発明の実施形態の第１１態様の第１０の可能な実装において、プロセッサはさらに、解析を用いて、出力装置によって送信されたデータに対応する点検失敗ステータスが第４状態であると認識されたとき、出力装置によって送信されたデータに対して基地局によって実行された点検が、低いデータ伝送チャネル品質に起因して失敗したと決定する段階を実行するために、メモリに記憶されたプログラムを呼び出すように構成されている。
【０１０５】
本発明の実施形態の第１１態様、または、第１１態様の第１の可能な実装に関連して、本発明の実施形態の第１１態様の第１１の可能な実装において、プロセッサはさらに、解析を用いて、肯定応答グループにおけるＵＥに対応するフラグビットステータスが第２状態であることが認識されたされたとき、出力装置によって送信されたデータを基地局が発見しなかったと決定する段階を実行するために、メモリに記憶されたプログラムを呼び出すように構成されている。
【０１０６】
本発明の実施形態の第１１態様、または、第１１態様の第１から第１１の可能な実装のいずれか１つに関連して、本発明の実施形態の第１１態様の第１２の可能な実装において、データを基地局へ送信するように出力装置を制御した後、基地局によってフィードバックされた第１レベル肯定応答指示メッセージを受信するように入力装置を制御する段階の前に、プロセッサはさらに、基地局によって送信された構成情報を受信するように入力装置を制御する段階であって、構成情報は、ＵＥが属する肯定応答グループと、肯定応答グループにおけるＵＥの数と、肯定応答グループにおけるＵＥに対応するフラグビットとを示すために使用される段階を実行するために、メモリに記憶されたプログラムを呼び出すように構成されている。
【０１０７】
本発明の実施形態の第１２態様は、ユーザ機器（ＵＥ）を開示し、ＵＥは、プロセッサ、メモリ、出力装置、入力装置および通信バスを備え、メモリは、プログラムおよびデータを記憶するように構成され、通信バスは、プロセッサ、メモリ、出力装置および入力装置の間で接続および通信を確立するように構成され、プロセッサは、データを基地局へ送信するように出力装置を制御した後、基地局によってフィードバックされた肯定応答指示メッセージを受信するように入力装置を制御する段階であって、肯定応答指示メッセージは、ＵＥが属する肯定応答グループにおける目標ＵＥに対応するインデックス番号を示すために使用され、目標ＵＥは、肯定応答グループにおける、基地局によってデータが発見された少なくとも１つのＵＥであり、インデックス番号は、肯定応答グループにおける目標ＵＥの番号であり、肯定応答グループにおける異なる目標ＵＥは、異なるインデックス番号に対応し、肯定応答グループは、データが基地局によって検出されることになっている各ＵＥを含む、段階と、肯定応答指示メッセージを解析し、肯定応答指示メッセージの中に、ＵＥに対応するインデックス番号があるかどうかを検出する段階とを実行するために、メモリに記憶されたプログラムを呼び出すように構成されている。
【０１０８】
本発明の実施形態の第１２態様に関連して、本発明の実施形態の第１２態様の第１の可能な実装において、肯定応答指示メッセージはさらに、目標ＵＥに対応するインデックス番号のフラグビットを示すために使用され、プロセッサはさらに、ＵＥに対応するインデックス番号が肯定応答指示メッセージの中にあることが、解析を用いて認識されたとき、ＵＥに対応するインデックス番号のフラグビットステータスを解析する段階であって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、段階を実行するために、メモリに記憶されたプログラムを呼び出すように構成されている。
【０１０９】
本発明の実施形態の第１２態様の第１の可能な実装に関連して、本発明の実施形態の第１２態様の第２の可能な実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって送信されたデータに対応する点検失敗ステータスを示すために使用され、点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０１１０】
本発明の実施形態の第１２態様の第１または第２の可能な実装に関連して、本発明の実施形態の第１２態様の第３の可能な実装において、プロセッサはさらに、ＵＥに対応するインデックス番号のフラグビットステータスが第１状態であることが、解析を用いて認識されたとき、出力装置によって送信されたデータに対して基地局によって実行された点検が成功したと決定する段階を実行するために、メモリに記憶されたプログラムを呼び出すように構成されている。
【０１１１】
本発明の実施形態の第１２態様の第１または第２の可能な実装に関連して、本発明の実施形態の第１２態様の第４の可能な実装において、プロセッサはさらに、ＵＥに対応するインデックス番号のフラグビットステータスが第２状態であることが、解析を用いて認識されたとき、出力装置によって送信されたデータに対して基地局によって実行された点検が失敗したと決定する段階を実行するために、メモリに記憶されたプログラムを呼び出すように構成されている。
【０１１２】
本発明の実施形態の第１２態様の第２の可能な実装に関連して、本発明の実施形態の第１２態様の第５の可能な実装において、プロセッサはさらに、ＵＥに対応するインデックス番号のフラグビットステータスが第２状態であることが、解析を用いて認識されたとき、肯定応答指示メッセージに基づいて、出力装置によって送信されたデータに対応する点検失敗ステータスを解析する段階を実行するために、メモリに記憶されたプログラムを呼び出すように構成されている。
【０１１３】
本発明の実施形態の第１２態様の第５の可能な実装に関連して、本発明の実施形態の第１２態様の第６の可能な実装において、プロセッサはさらに、解析を用いて、出力装置によって送信されたデータに対応する点検失敗ステータスが第３状態であると認識されたとき、出力装置によって送信されたデータに対して基地局によって実行された点検が、低いアップリンクマルチユーザマッチング度によって生じた衝突に起因して失敗したと決定する段階を実行するために、メモリに記憶されたプログラムを呼び出すように構成されている。
【０１１４】
本発明の実施形態の第１２態様の第５の可能な実装に関連して、本発明の実施形態の第１２態様の第７の可能な実装において、プロセッサはさらに、解析を用いて、出力装置によって送信されたデータに対応する点検失敗ステータスが第４状態であると認識されたとき、出力装置によって送信されたデータに対して基地局によって実行された点検が、低いデータ伝送チャネル品質に起因して失敗したと決定する段階を実行するために、メモリに記憶されたプログラムを呼び出すように構成されている。
【０１１５】
本発明の実施形態の第１２態様に関連して、本発明の実施形態の第１２態様の第８の可能な実装において、プロセッサはさらに、肯定応答指示メッセージの中に、ＵＥに対応するインデックス番号が無いことが、解析を用いて認識されたとき、出力装置によって送信されたデータを基地局が発見しなかったと決定する段階を実行するために、メモリに記憶されたプログラムを呼び出すように構成されている。
【０１１６】
本発明の実施形態の第１２態様、または、第１２態様の第１から第８の可能な実装のいずれか１つに関連して、本発明の実施形態の第１２態様の第９の可能な実装において、肯定応答指示メッセージのデータ長は予め設定されたデータ長であり、肯定応答指示メッセージによって示される、ＵＥが属する肯定応答グループにおける目標ＵＥに対応するインデックス番号の数は、予め設定されたデータ長を超えない。
【０１１７】
本発明の実施形態の第１２態様、または、第１２態様の第１から第９の可能な実装のいずれか１つに関連して、本発明の実施形態の第１２態様の第１０の可能な実装において、データを基地局へ送信するように出力装置を制御した後、基地局によってフィードバックされた肯定応答指示メッセージを受信するように入力装置を制御する段階の前に、プロセッサはさらに、基地局によって送信された構成情報を受信するように入力装置を制御する段階であって、構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される、段階を実行するために、メモリに記憶されたプログラムを呼び出すように構成されている。
【０１１８】
本発明の実施形態において、基地局は、コンテンション伝送に基づくアップリンクデータ伝送モードにおいて、肯定応答グループにおける各ＵＥがデータを伝送したかどうかを検出し、検出結果を取得し得て、検出結果に従って、第１レベル肯定応答指示メッセージを生成し得る。第１レベル肯定応答指示メッセージは、肯定応答グループにおける各ＵＥに対応するフラグビットステータスを示すために使用され、各ＵＥに対応するフラグビットステータスは、第１状態または第２状態を含み、第１状態は、ＵＥによって伝送されたデータを基地局が発見したことを示すために使用され、第２状態は、ＵＥによって伝送されたデータを基地局が発見しなかったことを示すために使用される。基地局は、第１レベル肯定応答指示メッセージを送信し得て、その結果、ＵＥは、第１レベル肯定応答指示メッセージを受信し、第１レベル肯定応答指示メッセージに基づいて、ＵＥに対応するフラグビットステータスを解析し、解析の結果に従って、ＵＥによって送信されたデータが基地局によって発見されたかどうかを認識できる。本発明の実施形態によれば、基地局は、肯定応答指示メッセージを、肯定応答グループにおける複数のＵＥへ同時にフィードバックでき、その結果、ＵＥは、ＵＥによって伝送されたデータが基地局によって発見されたかどうかを適時に認識することが分かり得る。このようにして、ＵＥがデータを伝送したが、基地局がデータを検出し損ない、肯定応答指示メッセージをフィードバックしないという問題を解決できる。
【図面の簡単な説明】
【０１１９】
本発明の実施形態における技術的解決法をより明確に説明すべく、以下、実施形態を説明するために必要な添付図面を簡潔に説明する。以下の説明における添付図面は、本発明の一部の実施形態を示しているに過ぎず、当業者ならば、創造的努力なく、これらの添付図面から他の図面をさらに導き出し得ることは明らかである。
【０１２０】
【図１】本発明の実施形態に係るネットワークアーキテクチャの概略図である。
【０１２１】
【図２】本発明の実施形態に係る、データ伝送のための肯定応答指示方法の概略フローチャートである。
【０１２２】
【図３】本発明の実施形態に係るビットマップベース肯定応答指示の初期構成の概略図である。
【０１２３】
【図４】本発明の実施形態に係る、データ伝送のための別の肯定応答指示方法の概略フローチャートである。
【０１２４】
【図５】本発明の実施形態に係る、ビットマップベースの肯定応答指示メッセージの概略図である。
【０１２５】
【図６】本発明の実施形態に係る、データ伝送のためのさらに別の肯定応答指示方法の概略フローチャートである。
【０１２６】
【図７】本発明の実施形態に係る、データ伝送のためのさらに別の肯定応答指示方法の概略フローチャートである。
【０１２７】
【図８】本発明の実施形態に係る、インデックスベースの肯定応答指示メッセージの概略図である。
【０１２８】
【図９】本発明の実施形態に係る、データ伝送のためのなおさらに別の肯定応答指示方法の概略フローチャートである。
【０１２９】
【図１０】本発明の実施形態に係る、データ伝送のためのさらなる肯定応答指示方法の概略フローチャートである。
【０１３０】
【図１１】本発明の実施形態に係る、データ伝送のためのなおさらなる肯定応答指示方法の概略フローチャートである。
【０１３１】
【図１２】本発明の実施形態に係る、データ伝送のためのなおさらなる肯定応答指示方法の概略フローチャートである。
【０１３２】
【図１３】本発明の実施形態に従って基地局の概略構造図である。
【０１３３】
【図１４】本発明の実施形態に係る別の基地局の概略構造図である。
【０１３４】
【図１５】本発明の実施形態に係るさらに別の基地局の概略構造図である。
【０１３５】
【図１６】本発明の実施形態に係るさらに別の基地局の概略構造図である。
【０１３６】
【図１７】本発明の実施形態に係るなおさらに別の基地局の概略構造図である。
【０１３７】
【図１８】本発明の実施形態に係るさらなる基地局の概略構造図である。
【０１３８】
【図１９】本発明の実施形態に係るユーザ機器の概略構造図である。
【０１３９】
【図２０】本発明の実施形態に係る別のユーザ機器の概略構造図である。
【０１４０】
【図２１】本発明の実施形態に係るさらに別のユーザ機器の概略構造図である。
【０１４１】
【図２２】本発明の実施形態に係るさらに別のユーザ機器の概略構造図である。
【０１４２】
【図２３】本発明の実施形態に係るなおさらに別のユーザ機器の概略構造図である。
【０１４３】
【図２４】本発明の実施形態に係るさらなるユーザ機器の概略構造図である。
【発明を実施するための形態】
【０１４４】
本発明の実施形態における添付図面を参照して、本発明の実施形態における技術的解決法を以下で明確かつ完全に説明する。説明される実施形態が、本発明の実施形態のすべてではなく一部であるに過ぎないことは明らかである。当業者によって、創造的努力なく、本発明の実施形態に基づいて取得されるすべての他の実施形態は、本発明の保護範囲に属するものとする。
【０１４５】
本発明の実施形態は、データ伝送のための肯定応答指示方法、および、関連デバイスを開示する。それにより、肯定応答指示メッセージを肯定応答グループにおける複数のＵＥへ同時にフィードバックでき、ＵＥは、ＵＥによって伝送されたデータが基地局によって発見されたかどうかを適時に認識することができる。このようにして、ＵＥがデータを伝送したが、基地局がデータを検出し損ない、肯定応答指示メッセージをフィードバックしないという問題を解決できる。詳細は以下で個別に説明する。
【０１４６】
本発明の実施形態において開示される、データ伝送のための肯定応答指示方法および関連デバイスを理解しやすくするために、最初に、本発明の実施形態が適用されるネットワークアーキテクチャを以下において説明する。図１を参照すると、図１は、本発明の実施形態に係るネットワークアーキテクチャの概略図である。図１に示されるネットワークアーキテクチャは、基地局および複数のユーザ機器（Ｕｓｅｒ  Ｅｑｕｉｐｍｅｎｔ、略称：ＵＥ）を含み得る。基地局は、無線ローカルエリアネットワーク（Ｗｉｒｅｌｅｓｓ  Ｌｏｃａｌ  Ａｒｅａ  Ｎｅｔｗｏｒｋ，  ＷＬＡＮ）を使用することによって、複数のＵＥへ通信可能に接続され得る。図１に示されるネットワークアーキテクチャにおいて、ＵＥは、携帯電話、タブレットコンピュータ、パームトップコンピュータ、パーソナルデジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、またはウェアラブルデバイス（スマートウォッチまたはスマートバンドなど）などを含み得る。これは、本発明の実施形態において限定されるものではない。
【０１４７】
図１に示されるネットワークアーキテクチャにおいて、基地局は、複数のＵＥの同時アクセスを許容でき、基地局は、アクセスされた複数のＵＥにトランスポートチャンネルを割り当て得る。トランスポートチャンネルが割り当てられたＵＥは、ＵＥの対応するトランスポートチャンネル上で、アップリンクデータを基地局へ伝送する。加えて、基地局は、アクセスされたいくつかのＵＥに任意のトランスポートチャンネルを割り当てないことがあり得て、いずれのＵＥにも割り当てられていないアイドルチャネルがある。どのトランスポートチャンネルも割り当てられていないＵＥは、コンテンション方式を用いて、いずれのＵＥにも割り当てられていないアイドルチャネル上で、データを基地局へ伝送し得る。図１に示されるネットワークアーキテクチャにおいて、複数のユーザ機器、すなわち、ＵＥ１、ＵＥ２、...、およびＵＥｎは、それぞれ対応するトランスポートチャンネル上で、アップリンクデータを基地局へ伝送し得る。ここで、ｎは０より大きい正の整数である。基地局は、データを検出し、肯定応答指示メッセージをＵＥへフィードバックし得る。その結果、ＵＥは、ＵＥによって伝送されたデータが基地局によって発見されたかどうかを適時に認識する。基地局は、アクセスされたＵＥをグループすることによって、複数のＵＥを複数の肯定応答グループにグループ化し得る。基地局は、各肯定応答グループについて、肯定応答グループにおけるＵＥによって伝送されたデータを検出し、同時に、肯定応答指示メッセージを肯定応答グループにおけるＵＥへフィードバックし得る。  ここで、ＵＥ１、ＵＥ２、...、およびＵＥｎは、同一の肯定応答グループにおけるＵＥとみなされ得る。基地局は、この肯定応答グループにおけるデータを検出し、同時に、ビットマップまたはインデックスを使用することによって、肯定応答指示メッセージをＵＥ１、ＵＥ２、...、およびＵＥｎへフィードバックし得て、肯定応答グループにおけるＵＥは、肯定応答指示メッセージを受信および解析し得る。図１に示されるネットワークアーキテクチャによれば、基地局は、肯定応答指示メッセージを、肯定応答グループにおける複数のＵＥへ同時にフィードバックでき、その結果、ＵＥは、ＵＥによって伝送されたデータが基地局によって発見されたかどうかを適時に認識する。このようにして、ＵＥがデータを伝送したが、基地局がデータを検出し損ない、肯定応答指示メッセージをフィードバックしないという問題を解決できる。
【０１４８】
図１に示されるネットワークアーキテクチャに基づいて、本発明の実施形態は、データ伝送のための肯定応答指示方法を開示する。図２を参照すると、図２は、本発明の実施形態に係る、データ伝送のための肯定応答指示方法の概略フローチャートである。図２に記載されている方法において、肯定応答指示メッセージは、ビットマップ指示方式で、複数のＵＥへ同時にフィードバックされる。図２に示されるように、データ伝送のための肯定応答指示方法は、以下の段階を備え得る。
【０１４９】
２０１：基地局が、肯定応答グループにおける各ユーザ機器（ＵＥ）がデータを伝送したかどうかを検出し、検出結果を取得する。
【０１５０】
本発明のこの実施形態において、基地局は、複数のアクセスされたＵＥをグループ化し、複数のＵＥを複数の肯定応答グループにグループ化し得て、その結果、基地局は、グループにおけるＵＥに対して一括処理を実行できる。１つの肯定応答グループには、データが基地局によって検出されることになっている各ＵＥが含まれ、すなわち、基地局は、肯定応答グループに含まれる各ＵＥに対してデータ検出を実行できる。各肯定応答グループについて、基地局は、肯定応答グループにおける各ＵＥがデータを伝送したかどうかをリアルタイムに検出して検出結果を取得し得て、または、基地局は、肯定応答グループにおける各ＵＥがデータを伝送したかどうかを予め設定された時間間隔で検出して検出結果を取得し得る。これは、本発明のこの実施形態において限定されるものではない。
【０１５１】
本発明のこの実施形態において、基地局は主に、コンテンション方式を用いて伝送されるアップリンクデータを検出する。すなわち、コンテンション伝送領域にある、肯定応答グループにおけるＵＥによって伝送されたデータに対してブラインド検出を実行し、検出結果を取得し得る。
【０１５２】
任意の実装において、基地局が、ビットマップを使用することによって、肯定応答指示メッセージを複数のＵＥへ同時にフィードバックするとき、基地局が、肯定応答グループにおける各ユーザ機器（ＵＥ）がデータを伝送したかどうかを検出し、検出結果を取得する段階２０１を実行する前に、図２に記載される方法は、以下の段階をさらに備え得る。
【０１５３】
２１）基地局は、肯定応答グループにおける各ユーザ機器（ＵＥ）へ構成情報を送信し、構成情報は、各ＵＥが属する肯定応答グループと、肯定応答グループにおけるＵＥの数と、肯定応答グループにおける各ＵＥに対応するフラグビットとを示すために使用される。
【０１５４】
この実装において、図３を参照すると、図３は、本発明の実施形態に係る、ビットマップベースの肯定応答指示の初期構成の概略図である。図３に示されるように、基地局は、アクセスされたＵＥを肯定応答グループ１、肯定応答グループ２、...、および肯定応答グループｎにグループ化し得て、各肯定応答グループは、複数のＵＥを含み、ｎは０より大きい正の整数である。複数の肯定応答グループは、同一の数のＵＥを有し得るか、または、異なる数のＵＥ有し得て、各ＵＥは、ＵＥが属する肯定応答グループにおける対応するフラグビット、すなわち、ＵＥが属する肯定応答グループにおけるＵＥの位置を有し得る。
【０１５５】
この実装において、ＵＥが基地局にアクセスするとき、基地局は、ＵＥについて、アップリンクデータ肯定応答に関連する構成情報を構成し得て、構成情報をＵＥへ送信し得る。構成情報は、セル固有構成情報（図３において示されていない）およびＵＥ固有構成情報（図３において示される）を含み得る。セル固有構成情報は、ＵＥが位置するセルのセルＩＤ（すなわちセルアイデンティティ）およびセルＳＲＳ（Ｓｏｕｎｄｉｎｇ  Ｒｅｆｅｒｅｎｃｅ  Ｓｉｇｎａｌ、サウンディング参照信号）、セルＳＲＳの送信期間、期間におけるオフセット、および同様のものを示すために使用され得て、セル固有構成情報は、同一セルにおけるすべてのＵＥについて同一である。ＵＥが属する肯定応答グループ、肯定応答グループにおけるＵＥの数、および、肯定応答グループにおけるＵＥに対応するフラグビットに加えて、ＵＥ固有構成情報が、Ｃ‐ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ、セル無線ネットワーク一時識別子）、すなわち、基地局によってＵＥに割り当てられた動的識別子を示すために使用され得る。異なるＵＥは、異なるＵＥ固有構成情報を有する。
【０１５６】
２０２：基地局は、検出結果に従って、第１レベル肯定応答指示メッセージを生成し、第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は基地局がデータを発見しなかったことを示すために使用される。
【０１５７】
本発明のこの実施形態において、基地局は、肯定応答グループにおけるＵＥがデータを伝送したかどうかを検出することによって取得された検出結果に従って、第１レベル肯定応答指示メッセージを生成し得る。第１レベル肯定応答指示メッセージは、肯定応答グループにおける各ＵＥに対応するフラグビットステータスを示すために使用され得て、各ＵＥに対応するフラグビットステータスは、第１状態または第２状態を含み得て、第１状態は、ＵＥによって伝送されたデータを基地局が発見したことを示すために使用され、第２状態は、ＵＥによって伝送されたデータを基地局が発見しなかったことを示すために使用される。
【０１５８】
本発明のこの実施形態において、フラグビットステータスは、１ビットによって表され得て、０および１はそれぞれ、２つの状態を表す。例えば、１は第１状態、すなわち、基地局がデータを発見したことを表し、０は第２状態、すなわち、基地局がデータを発見しなかったことを表す。基地局が、肯定応答グループにおいて、特定のＵＥによって伝送されたデータを発見したとき、基地局は、第１レベル肯定応答指示メッセージにおける、当該ＵＥに対応するフラグビットを１に設定する。基地局が、肯定応答グループにおいて、特定のＵＥによって伝送されたデータを発見しなかったとき、基地局は、第１レベル肯定応答指示メッセージにおける、当該ＵＥに対応するフラグビットを０にリセットする。加えて、代替的に、第１状態を表すために０が使用され得て、第２状態を表すために１が使用され得る。これは、本発明のこの実施形態において限定されるものではない。
【０１５９】
本発明のこの実施形態において、第１レベル肯定応答指示メッセージのデータ長は、肯定応答グループにおけるＵＥの数によって決定され得る。例えば、１つのＵＥが１ビットによって表され、かつ、肯定応答グループが合計で１０のＵＥを含むとき、第１レベル肯定応答指示メッセージのデータ長は１０ビットである。１つのＵＥが２ビットによって表されるとき、第１レベル肯定応答指示メッセージのデータ長は２０ビットである。
【０１６０】
２０３：基地局が第１レベル肯定応答指示メッセージを送信する。
【０１６１】
本発明のこの実施形態において、基地局は、ブロードキャストを用いて第１レベル肯定応答指示メッセージを送信し得て、その結果、肯定応答グループにおける、データを伝送したＵＥは、第１レベル肯定応答指示メッセージを受信できる。
【０１６２】
任意の実装において、基地局が第１レベル肯定応答指示メッセージを送信する段階２０３の具体的な実装は、基地局が、肯定応答グループに対応する第１肯定応答リソース上で第１レベル肯定応答指示メッセージを送信する段階を含み得る。
【０１６３】
この実装において、肯定応答グループに対応する第１肯定応答リソースは、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）またはＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）を含み得るが、これらに限定されるものではない。各肯定応答グループは、対応する肯定応答リソースを有し、異なる肯定応答グループは、異なる肯定応答リソースに対応する。
【０１６４】
この実装において、基地局は、肯定応答グループに対応する第１肯定応答リソース上で第１レベル肯定応答指示メッセージを送信し、肯定応答グループにおけるＵＥは、第１レベル肯定応答指示メッセージを受信でき、基地局によって送信された構成情報に従って、第１レベル肯定応答指示メッセージに基づいて、ＵＥに対応するフラグビットステータスを解析し、ＵＥによって伝送されたデータが未検出かどうかを決定する。
【０１６５】
図２に記載される方法において、基地局は、肯定応答グループにおける各ＵＥがデータを伝送したかどうかを検出し、検出結果を取得し得て、検出結果に従って、第１レベル肯定応答指示メッセージを生成し得る。第１レベル肯定応答指示メッセージは、肯定応答グループにおける各ＵＥに対応するフラグビットステータスを示すために使用され、各ＵＥに対応するフラグビットステータスは、第１状態または第２状態を含み、第１状態は、ＵＥによって伝送されたデータを基地局が発見したことを示すために使用され、第２状態は、ＵＥによって伝送されたデータを基地局が発見しなかったことを示すために使用される。基地局は、第１レベル肯定応答指示メッセージを送信し得て、その結果、ＵＥは、第１レベル肯定応答指示メッセージを受信し、第１レベル肯定応答指示メッセージに基づいて、ＵＥに対応するフラグビットステータスを解析し、解析の結果に従って、ＵＥによって送信されたデータが基地局によって発見されたかどうかを認識できる。図２に記載の方法によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できるということが分かり得る。このようにして、ＵＥがデータを伝送したが、基地局がデータを検出し損ない、肯定応答指示メッセージをフィードバックしないという問題を解決できる。
【０１６６】
図１に示されるネットワークアーキテクチャに基づいて、本発明の実施形態は、データ伝送のための別の肯定応答指示方法を開示する。図４を参照すると、図４は、本発明の実施形態に係る、データ伝送のための別の肯定応答指示方法の概略フローチャートである。図４に記載される方法において、肯定応答指示メッセージは、ビットマップ指示方式で、複数のＵＥへ同時にフィードバックされる。図４に示されるように、データ伝送のための肯定応答指示方法は、以下の段階を備え得る。
【０１６７】
４０１：基地局が、肯定応答グループにおける各ユーザ機器（ＵＥ）がデータを伝送したかどうかを検出し、検出結果を取得する。
【０１６８】
本発明のこの実施形態において、基地局は、肯定応答グループにおける各ＵＥとの通信接続を確立する必要がある。肯定応答グループには、データが基地局によって検出されることになっている各ＵＥが含まれる。
【０１６９】
任意の実装において、段階４０１の前に、図４に記載の方法は、以下の段階をさらに備え得る。
【０１７０】
４１）基地局は、肯定応答グループにおける各ユーザ機器（ＵＥ）へ構成情報を送信し、構成情報は、各ＵＥが属する肯定応答グループと、肯定応答グループにおけるＵＥの数と、肯定応答グループにおける各ＵＥに対応するフラグビットとを示すために使用される。
【０１７１】
４０２：基地局が、検出結果に従って、第１レベル肯定応答指示メッセージを生成し、第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は基地局がデータを発見しなかったことを示すために使用される。
【０１７２】
本発明のこの実施形態において、第１レベル肯定応答指示メッセージのデータ長は、肯定応答グループにおけるＵＥの数によって決定される。
【０１７３】
４０３：基地局が第１レベル肯定応答指示メッセージを送信する。
【０１７４】
任意の実装において、基地局が第１レベル肯定応答指示メッセージを送信する段階４０３の具体的な実装は、基地局が、肯定応答グループに対応する第１肯定応答リソース上で第１レベル肯定応答指示メッセージを送信する段階を含む。
【０１７５】
４０４：肯定応答グループにおけるＵＥの中に目標ＵＥがあるとき、基地局は、目標ＵＥによって伝送されたデータを点検し、点検結果を取得する。
【０１７６】
本発明のこの実施形態において、目標ＵＥは、フラグビットステータスが第１状態であるすべてのＵＥ、すなわち、データが基地局によって発見されたＵＥである。基地局は、データが発見されたすべての目標ＵＥによって伝送されたデータを点検し、点検結果を取得し得る。
【０１７７】
４０５：基地局が、点検結果に従って第２レベル肯定応答指示メッセージを生成する。第２レベル肯定応答指示メッセージは、目標ＵＥによって伝送されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される。
【０１７８】
本発明のこの実施形態において、基地局は、すべての目標ＵＥによって伝送されたデータを点検することによって取得された点検結果に従って第２レベル肯定応答指示メッセージを生成し得る。第２レベル肯定応答指示メッセージは、目標ＵＥによって伝送されたデータに対応する肯定応答フィードバック情報のタイプを示すために使用され得て、各目標ＵＥに対応する肯定応答フィードバック情報のタイプは、第１タイプまたは第２タイプを含み得る。第１タイプは、目標ＵＥによって伝送されたデータに対して基地局によって実行された点検が成功したことを示すために使用され、第２タイプは、目標ＵＥによって伝送されたデータに対して基地局によって実行された点検が失敗したことを示すために使用される。
【０１７９】
本発明のこの実施形態において、肯定応答フィードバック情報のタイプは、１ビットによって表され得て、０および１はそれぞれ、２つのタイプを表す。例えば、１は第１タイプ、すなわち、基地局によって実行されたデータ点検が成功したことを表し、０は第２タイプ、すなわち、基地局によって実行されたデータ点検が失敗したことを表す。特定の目標ＵＥによって伝送されたデータに対して基地局によって実行された点検が成功したとき、基地局は、第２レベル肯定応答指示メッセージにおける、当該目標ＵＥに対応する位置を１に設定する。これは、基地局による、目標ＵＥに対する肯定応答のフィードバックとみなされ得る。特定の目標ＵＥによって伝送されたデータに対して基地局によって実行された点検が失敗したとき、基地局は、第２レベル肯定応答指示メッセージにおける、当該目標ＵＥに対応する位置を０にリセットする。これは、基地局による、目標ＵＥに対する否定応答のフィードバックとみなされ得る。加えて、代替的に、０は第１タイプを表すために使用され得て、１は第２タイプを示すために使用され得る。これは、本発明のこの実施形態において限定されるものではない。
【０１８０】
本発明のこの実施形態において、第２レベル肯定応答指示メッセージのデータ長は、肯定応答グループにおける、フラグビットステータスが第１状態である目標ＵＥの数によって決定される。例えば、１つの目標ＵＥが１ビットによって表され、かつ、５つの目標ＵＥがあるとき、第２レベル肯定応答指示メッセージのデータ長は５ビットである。１つの目標ＵＥが２ビットによって表されるとき、第２レベル肯定応答指示メッセージのデータ長は１０ビットである。基地局は、肯定応答グループにおける各目標ＵＥの位置に従って、肯定応答グループにおける、フラグビットステータスが第１状態である目標ＵＥの数についての統計を収集することによって、第２レベル肯定応答指示メッセージにおける各目標ＵＥに対応する位置を決定し得る。
【０１８１】
図５を参照すると、図５は、本発明の実施形態に係るビットマップベースの肯定応答指示メッセージの概略図である。図５に示されるように、基地局は最初に、各肯定応答グループについて、第１レベル肯定応答指示メッセージを生成する。各ＵＥは、１ビットによって表され、１は基地局がＵＥによって伝送されたデータを発見したことを表し、０は基地局がＵＥによって伝送されたデータを発見しなかったことを表し、第１レベル肯定応答指示メッセージのデータ長は、肯定応答グループにおけるＵＥの数によって決定される。例えば、肯定応答グループの中に１０のＵＥがあるとき、第１レベル肯定応答指示メッセージのデータ長は１０ビットである。基地局は、第１レベル肯定応答指示メッセージにおける、フラグビットステータスが第１状態（すなわち、フラグビットステータスが１）であるすべての目標ＵＥを取得し得て、これらの目標ＵＥによって伝送されたデータを点検し、第２レベル肯定応答指示メッセージを生成し得る。図５に示されるように、各目標ＵＥは、第２レベル肯定応答指示メッセージにおいて、１ビットによって表され得る。肯定応答グループ１に対応する第２レベル肯定応答指示メッセージのデータ長は４ビットであり（すなわち、４つの目標ＵＥがある）、肯定応答グループ２に対応する第２レベル肯定応答指示メッセージのデータ長は５ビットであり（すなわち、５つの目標ＵＥがある）、肯定応答グループｎに対応する第２レベル肯定応答指示メッセージのデータ長は６ビットである（すなわち、６つの目標ＵＥがある）。第２レベル肯定応答指示メッセージにおいて、１は、目標ＵＥによって伝送されたデータに対して基地局によって実行された点検が成功したことを表し、０は、目標ＵＥによって伝送されたデータに対して基地局によって実行された点検が失敗したことを表す。
【０１８２】
任意の実装において、第２レベル肯定応答指示メッセージが、少なくとも１つの目標ＵＥによって伝送されたデータに対応する肯定応答フィードバック情報のタイプが第２タイプであることを示すとき、すなわち、少なくとも１つの目標ＵＥによって伝送されたデータに対して基地局によって実行された点検が失敗したとき、第２レベル肯定応答指示メッセージはさらに、少なくとも１つの目標ＵＥによって伝送されたデータに対応する点検失敗ステータスを示すために使用され得る。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０１８３】
この実装において、点検失敗ステータスは、データ点検失敗の理由とみなされ得る。この場合、各目標ＵＥは、第２レベル肯定応答指示メッセージにおいて２ビットによって表され得る。１ビットは、目標ＵＥによって伝送されたデータに対して基地局によって実行された点検が成功したかどうかを示すために使用され、例えば、１は点検が成功したことを表し、０は点検が失敗したことを表す。他のビットは、目標ＵＥによって伝送されたデータに対して基地局によって実行された点検が失敗した理由を示すために使用される。例えば１は、データ点検失敗が、低いアップリンクマルチユーザマッチング度によって生じた衝突によって引き起こされたことを表し、０は、低いデータ伝送チャネル品質によって引き起こされたデータ点検失敗を表す。この場合、第２レベル肯定応答指示メッセージのデータ長は、１つの目標ＵＥが１ビットによって表されるときに取得されるデータ長の２倍である。例えば、１つの目標ＵＥが１ビットによって表され、かつ、５つの目標ＵＥがあるとき、第２レベル肯定応答指示メッセージのデータ長は５ビットである。１つの目標ＵＥが２ビットによって表されるとき、第２レベル肯定応答指示メッセージのデータ長は１０ビットである。特定の目標ＵＥによって伝送されたデータに対して基地局によって実行された点検が成功したとき、データ点検失敗ステータスを示すために使用されるビットは、無効文字Ｉｎｖａｌｉｄもしくはヌル文字Ｎｕｌｌによって表され得るか、または、別の規定の方式によって表され得る。これはこの実装に限定されるものではない。この実装によれば、ＵＥは、ＵＥによって伝送されたデータに対して基地局によって実行された点検が失敗した理由を認識することができ、その結果、基地局とＵＥとの間の通信は、透明性がより高くなる。
【０１８４】
４０６：基地局が第２レベル肯定応答指示メッセージを送信する。
【０１８５】
任意の実装において、基地局が第２レベル肯定応答指示メッセージを送信する段階４０６の具体的な実装は、基地局が、肯定応答グループに対応する第２肯定応答リソース上で第２レベル肯定応答指示メッセージを送信する段階を含み得る。
【０１８６】
この実装において、第１レベル肯定応答指示メッセージを送信するために使用される第１肯定応答リソース、および、第２レベル肯定応答指示メッセージを送信するために使用される第２肯定応答リソースは、異なる肯定応答リソースであり得る。基地局が肯定応答グループに対応するＰＤＣＣＨ上で第１レベル肯定応答指示メッセージを送信するとき、基地局は、肯定応答グループに対応するＰＤＣＣＨ上で第２レベル肯定応答指示メッセージも送信し得る。この場合、第１レベル肯定応答指示メッセージおよび第２レベル肯定応答指示メッセージは、ＰＤＣＣＨ上の異なる周波数領域リソース上で送信され、すなわち、ＰＤＣＣＨの異なる周波数領域サブチャネル上で送信される。同様に、基地局が肯定応答グループに対応するＰＤＳＣＨ上で第１レベル肯定応答指示メッセージを送信するとき、基地局は、肯定応答グループに対応するＰＤＳＣＨ上で第２レベル肯定応答指示メッセージも送信し得る。この場合、第１レベル肯定応答指示メッセージおよび第２レベル肯定応答指示メッセージは、ＰＤＳＣＨ上の異なる周波数領域リソース上で送信され、すなわち、ＰＤＳＣＨの異なる周波数領域サブチャネル上で送信される。
【０１８７】
任意の実装において、肯定応答グループにおけるすべてのＵＥに対応するフラグビットステータスが第２状態であるとき、すなわち、基地局が、肯定応答グループにおけるすべてのＵＥによって伝送されたデータのうちのいずれも発見しなかったとき、基地局は、データ点検操作を実行する必要は無く、すなわち、段階４０４から４０６を実行する必要は無く、第１レベル肯定応答指示メッセージのみを送信する必要がある。
【０１８８】
図４に記載の方法によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できる。このようにして、ＵＥがデータを伝送したが、基地局がデータを検出し損ない、肯定応答指示メッセージをフィードバックしないという問題を解決できる。加えて、肯定応答メッセージが、ビットマップを使用することによってフィードバックされるとき、フィードバックは、２つのレベルの指示を使用することによって実行され得て、その結果、データ検出結果に加えて、データ点検結果を示すことができ、ＵＥは、ＵＥによって伝送されたデータに対して基地局によって実行された点検が成功したかどうかを適時に認識できる。
【０１８９】
図１に示されるネットワークアーキテクチャに基づいて、本発明の実施形態は、データ伝送のためのさらに別の肯定応答指示方法を開示する。図６を参照すると、図６は、本発明の実施形態に係る、データ伝送のためのさらに別の肯定応答指示方法の概略フローチャートである。図６に記載される方法において、肯定応答指示メッセージは、インデックス指示方式で、複数のＵＥへ同時にフィードバックされる。図６に示されるように、データ伝送のための肯定応答指示方法は、以下の段階を備え得る。
【０１９０】
６０１：基地局が、肯定応答グループにおける各ＵＥがデータを伝送したかどうかを検出し、検出結果を取得する。
【０１９１】
本発明のこの実施形態では、基地局は、コンテンション伝送に基づくアップリンクデータ伝送モードにおいて、複数のアクセスされたＵＥをグループ化し、複数のＵＥを複数の肯定応答グループにグループ化し得る。１つの肯定応答グループには、データが基地局によって検出されることになっている各ＵＥが含まれる。各肯定応答グループについて、基地局は、肯定応答グループにおける各ＵＥがデータを伝送したかどうかをリアルタイムに検出して検出結果を取得し得て、または、基地局は、肯定応答グループにおける各ＵＥがデータを伝送したかどうかを予め設定された時間間隔で検出して検出結果を取得し得る。これは、本発明のこの実施形態において限定されるものではない。
【０１９２】
任意の実装において、基地局が、インデックスを使用することによって、肯定応答指示メッセージを複数のＵＥへ同時にフィードバックするとき、基地局が段階６０１を実行する前に、図６に記載される方法はさらに、以下の段階を備え得る。
【０１９３】
６１）基地局は、肯定応答グループにおける各ＵＥへ構成情報を送信し、構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される。
【０１９４】
この実装において、ＵＥが基地局にアクセスするとき、基地局は、ＵＥについて、アップリンクデータ肯定応答に関連する構成情報を構成し得て、構成情報をＵＥへ送信し得る。構成情報は、セル固有構成情報およびＵＥ固有構成情報を含み得る。セル固有構成情報は、ＵＥが位置するセルのセルＩＤおよびセルＳＲＳ、セルＳＲＳの送信期間、期間におけるオフセット、および同様のものを示すために使用され得て、セル固有構成情報は、同一セルにおけるすべてのＵＥについて同一である。ＵＥ固有構成情報は、ＵＥが属する肯定応答グループと、基地局が肯定応答グループにおいて予め設定した、フィードバックするＵＥの数と、肯定応答グループにおけるＵＥに対応するインデックス番号とに加えて、Ｃ‐ＲＮＴＩを示すために使用され得る。異なるＵＥは異なるＵＥ固有構成情報を有する。
【０１９５】
この実装において、肯定応答グループにおけるＵＥに対応するインデックス番号は、アラビア数字１、２、もしくは３などによって表され得るか、または、二進数００、０１、もしくは０１１などによって表され得るか、または、文字Ａ、Ｂ、Ａ１、もしくはＡ２などによって表され得る。これは、本発明のこの実施形態に限定されるものではない。
【０１９６】
６０２：基地局は、検出結果に従って肯定応答指示メッセージを生成する。肯定応答指示メッセージは、肯定応答グループにおける目標ＵＥに対応するインデックス番号を示すために使用される。
【０１９７】
本発明のこの実施形態において、基地局は、肯定応答グループにおけるＵＥがデータを伝送したかどうかを検出することによって取得される検出結果に従って肯定応答指示メッセージを生成し得て、肯定応答指示メッセージは、肯定応答グループにおける目標ＵＥに対応するインデックス番号を示すために使用され得る。目標ＵＥは、肯定応答グループにおける、データが基地局によって発見された少なくとも１つのＵＥであり、インデックス番号は、肯定応答グループにおける目標ＵＥの番号であり、肯定応答グループにおける異なる目標ＵＥは、異なるインデックス番号に対応する。基地局が、肯定応答グループにおいて、特定の目標ＵＥによって伝送されたデータを発見したとき、基地局は、当該目標ＵＥに対応するインデックス番号を肯定応答指示メッセージに追加する。基地局が、肯定応答グループにおいて、特定の目標ＵＥによって伝送されたデータを発見しなかったとき、基地局は、当該目標ＵＥに対応するインデックス番号を肯定応答指示メッセージに追加しない。基地局が、肯定応答グループにおいて、ＵＥによって伝送されたデータを発見しなかったとき、目標ＵＥが無く、無効文字Ｉｎｖａｌｉｄまたはヌル文字Ｎｕｌｌが肯定応答指示メッセージに入り得る。
【０１９８】
本発明のこの実施形態において、肯定応答指示メッセージのデータ長は、予め設定されたデータ長であり得て、すなわち、肯定応答指示メッセージのデータ長は、構成可能であり、基地局によって予め設定され得て、肯定応答グループにおけるＵＥの数によって異なるということはない。肯定応答指示メッセージのデータ長は、構成情報の中にある、基地局が肯定応答グループにおいて予め設定した、フィードバックするＵＥの数によって決定され得て、通常、肯定応答指示メッセージに含まれるインデックス番号の数は、予め設定されたデータ長を超えない。例えば、基地局が肯定応答グループにおいて予め設定した、フィードバックするＵＥの数が５つであるとき、肯定応答指示メッセージは、最大で５つのインデックス番号を含むことができる。基地局が、５つより多くの目標ＵＥによって伝送されたデータを発見したとき、基地局は、過剰な目標ＵＥに対応するインデックス番号を破棄する。基地局が、５つより少ない目標ＵＥによって伝送されたデータを発見したとき、基地局は、無効文字Ｉｎｖａｌｉｄまたはヌル文字Ｎｕｌｌを使用して、肯定応答指示メッセージにおける過剰な位置を表す。リソースの浪費を回避するために、通常、予め設定されたデータ長として構成され得る最大長は、肯定応答グループにおけるＵＥの数によって決定され得る。例えば、１つのＵＥが１ビットによって示され、肯定応答グループが１０のＵＥを含むとき、予め設定されたデータ長は最大１０ビットであり得る。１つのＵＥが２ビットによって示されるとき、予め設定されたデータ長は最大２０ビットであり得る。異なる肯定応答グループでは、基地局によって設定される肯定応答指示メッセージのデータ長は異なり得る。
【０１９９】
６０３：基地局が肯定応答指示メッセージを送信する。
【０２００】
本発明のこの実施形態において、基地局は、ブロードキャストを用いて肯定応答指示メッセージを送信し得る。
【０２０１】
任意の実装において、基地局が肯定応答指示メッセージを送信する段階６０３の具体的な実装は、基地局が、肯定応答グループに対応する肯定応答リソース上で肯定応答指示メッセージを送信する段階を含み得る。
【０２０２】
この実装において、肯定応答グループに対応する肯定応答リソースは、これらに限定されないが、ＰＤＣＣＨまたはＰＤＳＣＨを含み得て、各肯定応答グループは、対応する肯定応答リソースを有し、異なる肯定応答グループは、異なる肯定応答リソースに対応する。
【０２０３】
この実装において、基地局は、肯定応答グループに対応する肯定応答リソース上で肯定応答指示メッセージを送信し、肯定応答グループにおけるＵＥは、肯定応答指示メッセージを受信し得て、基地局によって送信された構成情報に従って肯定応答指示メッセージを解析し得て、肯定応答指示メッセージの中に、ＵＥに対応するインデックス番号があるかどうかを検出する。特定のＵＥが、肯定応答指示メッセージの中に、当該ＵＥに対応するインデックス番号を発見したとき、これは、当該ＵＥによって伝送されたデータを基地局が発見したことを示し得る。特定のＵＥが、肯定応答指示メッセージの中に、当該ＵＥに対応するインデックス番号を発見しなかったとき、これは、当該ＵＥによって伝送されたデータを基地局が発見しなかったことを示し得る。
【０２０４】
図６に記載される方法において、基地局は、肯定応答グループにおける各ＵＥがデータを伝送したかどうかを検出し、検出結果を取得し得て、検出結果に従って、肯定応答指示メッセージを生成し得る。肯定応答指示メッセージは、肯定応答グループにおける目標ＵＥに対応するインデックス番号を示すために使用され、目標ＵＥは、基地局によってデータが発見された、肯定応答グループにおける少なくとも１つのＵＥである。基地局は肯定応答指示メッセージを送信し得る。図６に記載の方法によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できるということが分かり得る。このようにして、ＵＥがデータを伝送したが、基地局がデータを検出し損ない、肯定応答指示メッセージをフィードバックしないという問題を解決できる。
【０２０５】
図１に示されるネットワークアーキテクチャに基づいて、本発明の実施形態は、データ伝送のためのさらに別の肯定応答指示方法を開示する。図７を参照すると、図７は、本発明の実施形態に係る、データ伝送のためのさらに別の肯定応答指示方法の概略フローチャートである。図７に記載される方法において、肯定応答指示メッセージは、インデックス指示方式で、複数のＵＥへ同時にフィードバックされる。図７に示されるように、データ伝送のための肯定応答指示方法は、以下の段階を備え得る。
【０２０６】
７０１：基地局は、肯定応答グループにおける各ＵＥがデータを伝送したかどうかを検出し、検出結果を取得する。肯定応答グループは、データが基地局によって検出されることになっている各ＵＥを含む。
【０２０７】
任意の実装において、図７に記載の方法は、段階７０１の前に、以下の段階をさらに備え得る。
【０２０８】
７１）基地局は、肯定応答グループにおける各ＵＥへ構成情報を送信し、構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される。
【０２０９】
７０２：基地局は、検出結果に従って肯定応答指示メッセージを生成する。肯定応答指示メッセージは、肯定応答グループにおける目標ＵＥに対応するインデックス番号と、目標ＵＥに対応するインデックス番号のフラグビットとを示すために使用される。
【０２１０】
本発明のこの実施形態において、目標ＵＥは、肯定応答グループにおける、データが基地局によって発見された少なくとも１つのＵＥであり、インデックス番号は、肯定応答グループにおける目標ＵＥの番号であり、肯定応答グループにおける異なる目標ＵＥは、異なるインデックス番号に対応する。
【０２１１】
本発明のこの実施形態において、肯定応答指示メッセージのデータ長は、予め設定されたデータ長であり、肯定応答指示メッセージによって示される、目標ＵＥに対応するインデックス番号の数は、予め設定されたデータ長を超えない。
【０２１２】
７０３：基地局は、目標ＵＥによって伝送されたデータを点検し、点検結果を取得する。
【０２１３】
本発明のこの実施形態において、基地局が、肯定応答グループにおいて、目標ＵＥによって伝送されたデータを発見したとき、基地局は、目標ＵＥによって伝送されたデータを点検し、点検結果を取得し得る。
【０２１４】
７０４：基地局は、点検結果に従って、目標ＵＥに対応するインデックス番号のフラグビットステータスを生成する。インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される。
【０２１５】
本発明のこの実施形態において、肯定応答指示メッセージによって示される各インデックス番号の後に、１つのフラグビットが確保され得て、フラグビットステータスは、データ点検結果を使用することによって生成され得て、０および１は、フラグビットの２つの状態を表すために、それぞれ使用され得る。例えば、１は第１状態を表し、０は第２状態を表す。特定の目標ＵＥによって伝送されたデータに対して基地局によって実行された点検が成功したとき、基地局は、目標ＵＥに対応するインデックス番号のフラグビットを１に設定する。これは、基地局による、目標ＵＥに対する肯定応答のフィードバックとみなされ得る。特定の目標ＵＥによって伝送されたデータに対して基地局によって実行された点検が失敗したとき、基地局は、目標ＵＥに対応するインデックス番号のフラグビットを０にリセットする。これは、基地局による、目標ＵＥに対する否定応答のフィードバックとみなされ得る。加えて、代替的に、０は第１タイプを表すために使用され得て、１は第２タイプを示すために使用され得る。これは、本発明のこの実施形態において限定されるものではない。
【０２１６】
図８を参照すると、図８は、本発明の実施形態に係る、インデックスベースの肯定応答指示メッセージの概略図である。図８に示されるように、各肯定応答グループについて、基地局は、肯定応答グループに対応する肯定応答指示メッセージに、データが基地局によって発見されたＵＥに対応するインデックス番号Ｉｎｄｅｘを追加し、インデックス番号の後に１つのフラグビットを確保する。フラグビットステータスが１であるとき、これは、インデックス番号に対応するＵＥによって伝送されたデータに対して基地局によって実行された点検が成功したことを示す。この場合、基地局は、肯定応答をＵＥへフィードバックする。フラグビットステータスが０であるとき、これは、インデックス番号に対応するＵＥによって伝送されたデータに対して基地局によって実行された点検が失敗したことを示す。この場合、基地局は、否定応答をＵＥへフィードバックする。各肯定応答グループに対応する肯定応答指示メッセージのデータ長は、各基地局によって予め設定される。従って、肯定応答グループにおける、データが基地局によって発見されたＵＥの数が、肯定応答指示メッセージのデータ長を超えたとき、過剰なＵＥは破棄される。肯定応答グループにおける、データが基地局によって発見されたＵＥの数が、肯定応答指示メッセージのデータ長より少ないとき、ＮｕｌｌまたはＩｎｖａｌｉｄが過剰位置に入り得る。
【０２１７】
任意の実装において、フラグビットステータスが第２状態であるインデックス番号に対応する目標ＵＥがあること、すなわち、目標ＵＥによって伝送されたデータに対して基地局によって実行された点検が失敗したことを肯定応答指示メッセージが示すとき、肯定応答指示メッセージはさらに、フラグビットステータスが第２状態であるインデックス番号に対応する目標ＵＥによって伝送されたデータに対応する点検失敗ステータスを示すために使用され得る。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０２１８】
この実装において、データが発見された各目標ＵＥは、肯定応答指示メッセージにおける３つのビットによって示され得る。第１ビットは、目標ＵＥのインデックス番号を示すために使用される。第２ビットは、インデックス番号のフラグビットステータスを示すために使用される。例えば、１は点検が成功したことを表し、０は点検が失敗したことを表す。第３ビットは、目標ＵＥによって伝送されたデータに対応する点検失敗ステータスを示すために使用される。例えば１は、データ点検失敗が、低いアップリンクマルチユーザマッチング度によって生じた衝突によって引き起こされたことを表し、０は、データ点検失敗が、低いデータ伝送チャネル品質によって引き起こされたことを表す。この実装によれば、ＵＥは、ＵＥによって伝送されたデータに対して基地局によって実行された点検が失敗した理由を認識することができ、その結果、基地局とＵＥとの間の通信の透明性がより高くなる。
【０２１９】
７０５：基地局が肯定応答指示メッセージを送信する。
【０２２０】
任意の実装において、基地局が肯定応答指示メッセージを送信する段階７０５の具体的な実装は、基地局が、肯定応答グループに対応する肯定応答リソース上で肯定応答指示メッセージを送信する段階を含み得る。
【０２２１】
図７に記載の方法によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できる。このようにして、ＵＥがデータを伝送したが、基地局がデータを検出し損ない、肯定応答指示メッセージをフィードバックしないという問題を解決できる。加えて、肯定応答メッセージが、インデックスを使用することによってフィードバックされるとき、データ検出結果に加えて、データ点検結果を示すことができ、その結果、ＵＥは、ＵＥによって伝送されたデータに対して基地局によって実行された点検が成功したかどうかを適時に認識できる。
【０２２２】
図１に示されるネットワークアーキテクチャに基づいて、本発明の実施形態は、データ伝送のためのなおさらに別の肯定応答指示方法を開示する。図９を参照すると、図９は、本発明の実施形態に係る、データ伝送のためのなおさらに別の肯定応答指示方法の概略フローチャートである。図９に記載される方法において、肯定応答指示メッセージは、ビットマップ指示方式で、複数のＵＥへ同時にフィードバックされる。図９に示されるように、データ伝送のための肯定応答指示方法は、以下の段階を備え得る。
【０２２３】
９０１：ユーザ機器（ＵＥ）は、データを基地局へ送信した後に、基地局によってフィードバックされた第１レベル肯定応答指示メッセージを受信し、第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される。
【０２２４】
本発明のこの実施形態において、ＵＥがアップリンクデータを基地局へ送信した後に、ＵＥは、ビットマップを使用することによって基地局によってフィードバックされた第１レベル肯定応答指示メッセージを受信し得る。第１レベル肯定応答指示メッセージは、ＵＥが属する肯定応答グループにおける各ＵＥに対応するフラグビットステータスを示すために使用され、フラグビットステータスは、ＵＥによって送信されたデータが基地局によって発見されたかどうかを示すために使用され得る。肯定応答グループは、データが基地局によって検出されることになっている各ＵＥを含む。
【０２２５】
本発明のこの実施形態において、第１レベル肯定応答指示メッセージのデータ長は、ＵＥが属する肯定応答グループにおけるＵＥの数によって決定される。
【０２２６】
任意の実装において、図９に記載の方法は、段階９０１の前に、以下の段階をさらに備え得る。
【０２２７】
９１）ＵＥは、基地局によって送信された構成情報を受信し、構成情報は、ＵＥが属する肯定応答グループと、肯定応答グループにおけるＵＥの数と、肯定応答グループにおけるＵＥに対応するフラグビットとを示すために使用される。
【０２２８】
この実装において、構成情報はさらに、ＵＥが位置するセルのセルＩＤおよびセルＳＲＳ、セルＳＲＳの送信期間、ならびに、期間におけるオフセットなどの情報を示すために使用され得る。
【０２２９】
９０２：ＵＥは、第１レベル肯定応答指示メッセージに基づいて、肯定応答グループにおけるＵＥに対応するフラグビットステータスを解析する。
【０２３０】
本発明のこの実施形態において、ＵＥは、基地局によってフィードバックされた第１レベル肯定応答指示メッセージを受信した後に、受信した構成情報に従って、第１レベル肯定応答指示メッセージに基づいて、肯定応答グループにおけるＵＥに対応するフラグビットステータスを解析し得る。フラグビットステータスは、１ビットによって表され得て、０および１は、２つの状態をそれぞれ表す。例えば、１は第１状態、すなわち、基地局がデータを発見したことを表し、０は第２状態、すなわち、基地局がデータを発見しなかったことを表す。ＵＥが、第１レベル肯定応答指示メッセージを解析することによって、肯定応答グループにおけるＵＥのフラグビットステータスが１である（すなわち、第１状態）ことを認識したとき、これは、基地局が、ＵＥによって送信されたデータを発見したことを示す。ＵＥが、第１レベル肯定応答指示メッセージを解析することによって、肯定応答グループにおけるＵＥのフラグビットステータスが０である（すなわち、第２状態）ことを認識したとき、これは、基地局が、ＵＥによって送信されたデータを検出し損なったことを示す。
【０２３１】
図９に記載の方法によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できる。
【０２３２】
図１に示されるネットワークアーキテクチャに基づいて、本発明の実施形態は、データ伝送のためのさらなる肯定応答指示方法を開示する。図１０を参照すると、図１０は、本発明の実施形態に係る、データ伝送のためのさらなる肯定応答指示方法の概略フローチャートである。図１０に記載される方法において、肯定応答指示メッセージは、ビットマップ指示方式で、複数のＵＥへ同時にフィードバックされる。図１０示されるように、データ伝送のための肯定応答指示方法は、以下の段階を備え得る。
【０２３３】
１００１：ユーザ機器（ＵＥ）は、データを基地局へ送信した後に、基地局によってフィードバックされた第１レベル肯定応答指示メッセージを受信し、第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される。
【０２３４】
本発明のこの実施形態において、肯定応答グループは、データが基地局によって検出されることになっている各ＵＥを含む。第１レベル肯定応答指示メッセージのデータ長は、ＵＥが属する肯定応答グループにおけるＵＥの数によって決定される。
【０２３５】
任意の実装において、ユーザ機器（ＵＥ）が、データを基地局へ送信した後に、基地局によってフィードバックされた第１レベル肯定応答指示メッセージを受信する段階１００１の具体的な実装は、ユーザ機器（ＵＥ）が、データを基地局へ送信した後に、ＵＥが属する肯定応答グループに対応する第１肯定応答リソース上で基地局によってフィードバックされた第１レベル肯定応答指示メッセージを受信する段階を含み得る。
【０２３６】
肯定応答グループに対応する第１肯定応答リソースには、これらに限定されないが、ＰＤＣＣＨまたはＰＤＳＣＨを含み得て、異なる肯定応答グループは、異なる肯定応答リソースに対応する。
【０２３７】
任意の実装において、図１０に記載の方法は、段階１００１の前に、以下の段階をさらに備え得る。
【０２３８】
１００）ＵＥは、基地局によって送信された構成情報を受信し、構成情報は、ＵＥが属する肯定応答グループと、肯定応答グループにおけるＵＥの数と、肯定応答グループにおけるＵＥに対応するフラグビットとを示すために使用される。
【０２３９】
１００２：ＵＥが、第１レベル肯定応答指示メッセージに基づいて、肯定応答グループにおけるＵＥに対応するフラグビットステータスを解析し、フラグビットステータスが第１状態であるかどうかを検出する。フラグビットステータスが第１状態である場合、段階１００３を実行する。または、フラグビットステータスが第１状態でない場合、段階１００５を実行する。
【０２４０】
１００３：ＵＥは、基地局によってフィードバックされた第２レベル肯定応答指示メッセージを受信する。第２レベル肯定応答指示メッセージは、目標ＵＥによって送信されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される。
【０２４１】
本発明のこの実施形態において、肯定応答グループにおけるＵＥに対応するフラグビットステータスが第１状態である、すなわち、基地局がＵＥによって送信されたデータを発見したと、ＵＥが解析を用いて認識したとき、ＵＥは、基地局によってフィードバックされた第２レベル肯定応答指示メッセージを受信し得る。目標ＵＥは、肯定応答グループにおける、フラグビットステータスが第１状態であるすべてのＵＥである。
【０２４２】
任意の実装において、基地局によってフィードバックされた第２レベル肯定応答指示メッセージをＵＥが受信する段階１００３の具体的な実装は、ＵＥが属する肯定応答グループに対応する第２肯定応答リソース上で基地局によってフィードバックされた第２レベル肯定応答指示メッセージをＵＥが受信する段階を含み得る。
【０２４３】
第２肯定応答リソースは、第１肯定応答リソースと異なっており、第１レベル肯定応答指示メッセージをフィードバックするために使用される第１肯定応答リソースと、第２レベル肯定応答指示メッセージをフィードバックするために使用される第２肯定応答リソースは、ＰＤＣＣＨの異なる周波数領域サブチャネルであり得るか、または、ＰＤＳＣＨの異なる周波数領域サブチャネルであり得る。これは、本発明のこの実施形態において限定されるものではない。
【０２４４】
１００４：ＵＥは、第２レベル肯定応答指示メッセージに基づいて、ＵＥによって送信されたデータに対応する肯定応答フィードバック情報のタイプを解析する。
【０２４５】
本発明のこの実施形態において、ＵＥは、解析を用いて、肯定応答グループにおけるＵＥに対応するフラグビットステータスが第１状態であることを認識する。すなわち、ＵＥは、解析を用いて、ＵＥによって送信されたデータを基地局が発見したことを認識する。さらに、ＵＥは、基地局によってフィードバックされた第２レベル肯定応答指示メッセージを受信し得て、第２レベル肯定応答指示メッセージを解析することによって、ＵＥによって送信されたデータに対して実行される点検が成功したかどうかを検出する。ＵＥによって送信されたデータに対応する肯定応答フィードバック情報のタイプが第１タイプであるとき、これは、ＵＥによって送信されたデータに対して基地局によって実行された点検が成功したこと、および、この場合、基地局が肯定応答をＵＥへフィードバックしたことを示す。ＵＥによって送信されたデータに対応する肯定応答フィードバック情報のタイプが第２タイプであるとき、これは、ＵＥによって送信されたデータに対して基地局によって実行された点検が失敗したこと、および、この場合、基地局が否定応答をＵＥへフィードバックしたことを示す。
【０２４６】
本発明のこの実施形態において、第２レベル肯定応答指示メッセージのデータ長は、肯定応答グループにおける、フラグビットステータスが第１状態である目標ＵＥの数によって決定される。
【０２４７】
任意の実装において、ＵＥが第２レベル肯定応答指示メッセージに基づいて、ＵＥによって送信されたデータに対応する肯定応答フィードバック情報のタイプを解析する段階１００４の具体的な実装は、以下の段階を含み得る。
【０２４８】
１０１）ＵＥは、目標ＵＥの数についての統計を収集する。
【０２４９】
１０２）ＵＥは、目標ＵＥにおけるＵＥの位置を決定する。第２レベル肯定応答指示メッセージにおけるＵＥの位置は、目標ＵＥにおけるＵＥの位置によって決定される。
【０２５０】
１０３）ＵＥは、第２レベル肯定応答指示メッセージにおけるＵＥの位置に基づいて、ＵＥによって送信されたデータに対応する肯定応答フィードバック情報のタイプを解析する。
【０２５１】
この実装において、ＵＥは、第１レベル肯定応答指示メッセージを受信した後に、第１レベル肯定応答指示メッセージの中にある、フラグビットステータスが第１状態である目標ＵＥの数についての統計を収集し得て、第１レベル肯定応答指示メッセージにおけるＵＥの位置に従って、目標ＵＥにおけるＵＥの位置を決定し得る。第１レベル肯定応答指示メッセージにおける目標ＵＥのシーケンスに従って、第２レベル肯定応答指示メッセージにおける目標ＵＥのシーケンスが決定され得て、これにより、第２レベル肯定応答指示メッセージにおけるＵＥの位置をさらに決定し、第２レベル肯定応答指示メッセージにおけるＵＥの位置に基づいて、ＵＥによって送信されたデータの肯定応答フィードバック情報のタイプを解析し得る。
【０２５２】
任意の実装において、図１０に記載の方法は、以下の段階をさらに備え得る。
【０２５３】
１０４）ＵＥが、解析を用いて、ＵＥによって送信されたデータに対応する肯定応答フィードバック情報のタイプが第１タイプであると認識したとき、ＵＥは、ＵＥによって送信されたデータに対して基地局によって実行された点検が成功したと決定する。
【０２５４】
任意の実装において、図１０に記載の方法は、以下の段階をさらに備え得る。
【０２５５】
１０５）ＵＥが、解析を用いて、ＵＥによって送信されたデータに対応する肯定応答フィードバック情報のタイプが第２タイプであると認識したとき、ＵＥは、ＵＥによって送信されたデータに対して基地局によって実行された点検が失敗したと決定する。
【０２５６】
任意の実装において、第２レベル肯定応答指示メッセージが、少なくとも１つの目標ＵＥによって伝送されたデータに対応する肯定応答フィードバック情報のタイプが第２タイプであることを示すとき、第２レベル肯定応答指示メッセージはさらに、少なくとも１つの目標ＵＥによって送信されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０２５７】
対応して、ＵＥが、解析を用いて、ＵＥによって送信されたデータの肯定応答フィードバック情報のタイプが第２タイプであると認識したとき、図１０に記載の方法は、以下の段階をさら備え得る。
【０２５８】
１０６）ＵＥは、第２レベル肯定応答指示メッセージに基づいて、ＵＥによって送信されたデータに対応する点検失敗ステータスを解析する。
【０２５９】
１０７）ＵＥが、解析を用いて、ＵＥによって送信されたデータに対応する点検失敗ステータスが第３状態であると認識するとき、ＵＥは、ＵＥによって送信されたデータに対して基地局によって実行された点検が、低いアップリンクマルチユーザマッチング度によって生じた衝突に起因して失敗したと決定する。
【０２６０】
１０８）ＵＥが、解析を用いて、ＵＥによって送信されたデータに対応する点検失敗ステータスが第４状態であると認識するとき、ＵＥは、ＵＥによって送信されたデータに対して基地局によって実行された点検が、低いデータ伝送チャネル品質に起因して失敗したと決定する。
【０２６１】
１００５：ＵＥが、ＵＥによって送信されたデータを基地局が発見しなかったと決定する。
【０２６２】
本発明のこの実施形態において、ＵＥが解析を用いて、肯定応答グループにおけるＵＥに対応するフラグビットステータスが第１状態でないと認識したとき、これは、肯定応答グループにおけるＵＥに対応するフラグビットステータスが第２状態であること、すなわち、ＵＥによって送信されたデータを基地局が発見しなかったことを示し、ＵＥは、ＵＥによって送信されたデータを基地局が検出し損なったと決定する。この場合、ＵＥは、データを基地局へ再度送信し得る。
【０２６３】
図１０に記載の方法によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できる。加えて、ビットマップを使用することによって肯定応答情報がフィードバックされるとき、肯定応答は、２つのレベルの指示を使用することによってフィードバックされ得る。ＵＥは、第１レベル肯定応答指示メッセージを解析することによって、ＵＥによって送信されたデータが、基地局によって発見されたと認識した後に、第２レベル肯定応答指示メッセージに基づいて、データ点検結果を解析し得て、その結果、ＵＥは、ＵＥによって送信されたデータに対して基地局によって実行された点検が成功したかどうかを適時に認識する。
【０２６４】
図１に示されるネットワークアーキテクチャに基づいて、本発明の実施形態は、データ伝送のためのなおさらなる肯定応答指示方法を開示する。図１１を参照すると、図１１は、本発明の実施形態に係る、データ伝送のためのなおさらなる肯定応答指示方法の概略フローチャートである。図１１に記載される方法において、肯定応答指示メッセージは、インデックス指示方式で、複数のＵＥへ同時にフィードバックされる。図１１に示されるように、データ伝送のための肯定応答指示方法は、以下の段階を備え得る。
【０２６５】
１１０１：ユーザ機器（ＵＥ）が、データを基地局へ送信した後に、基地局によってフィードバックされた肯定応答指示メッセージを受信する。肯定応答指示メッセージは、ＵＥが属する肯定応答グループにおける目標ＵＥに対応するインデックス番号を示すために使用される。
【０２６６】
本発明のこの実施形態において、目標ＵＥは、肯定応答グループにおける、データが基地局によって発見された少なくとも１つのＵＥであり、インデックス番号は、肯定応答グループにおける目標ＵＥの一時的な番号であり、肯定応答グループにおける異なる目標ＵＥは、異なるインデックス番号に対応し、肯定応答グループは、データが基地局によって検出されることになっている各ＵＥを含む。
【０２６７】
本発明のこの実施形態において、肯定応答指示メッセージのデータ長は、予め設定されたデータ長であり、肯定応答指示メッセージによって示される、肯定応答グループにおける目標ＵＥに対応するインデックス番号の数は、予め設定されたデータ長を超えない。
【０２６８】
任意の実装において、ユーザ機器（ＵＥ）が、データを基地局へ送信した後に、基地局によってフィードバックされた肯定応答指示メッセージを受信する段階１１０１の具体的な実装は、ユーザ機器（ＵＥ）が、データを基地局へ送信した後に、ＵＥが属する肯定応答グループに対応する肯定応答リソース上で基地局によってフィードバックされた肯定応答指示メッセージを受信する段階を含み得る。
【０２６９】
肯定応答グループに対応する肯定応答リソースには、これらに限定されないが、ＰＤＣＣＨまたはＰＤＳＣＨを含み得て、異なる肯定応答グループは、異なる肯定応答リソースに対応する。
【０２７０】
任意の実装において、図１１に記載の方法は、段階１１０１の前に、以下の段階をさらに備え得る。
【０２７１】
１１０）ＵＥは、基地局によって送信された構成情報を受信し、構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される。
【０２７２】
この実装において、構成情報はさらに、ＵＥが位置するセルのセルＩＤおよびセルＳＲＳ、セルＳＲＳの送信期間、ならびに、期間におけるオフセットなどの情報を示すために使用され得る。
【０２７３】
１１０２：ＵＥは、肯定応答指示メッセージを解析し、肯定応答指示メッセージの中に、ＵＥに対応するインデックス番号があるかどうかを検出する。
【０２７４】
本発明のこの実施形態において、肯定応答指示メッセージは、データが基地局によって発見された目標ＵＥに対応するインデックス番号を含み、ＵＥは、構成情報に従って肯定応答指示メッセージを解析することによって、当該ＵＥに対応するインデックス番号があるかどうかを認識し得る。肯定応答指示メッセージの中に、当該ＵＥに対応するインデックス番号があるとき、これは、当該ＵＥによって送信されたデータを基地局が発見したことを示し得る。肯定応答指示メッセージの中に、当該ＵＥに対応するインデックス番号が無いとき、これは、当該ＵＥによって送信されたデータを基地局が検出し損なったことを示し得る。加えて、肯定応答指示メッセージのデータ長は、基地局によって予め設定される固定長なので、データが基地局によって発見されたＵＥの数が、肯定応答指示メッセージのデータ長を超えるとき、基地局は過剰なＵＥを破棄し、従って、肯定応答指示メッセージは、長さの制限に起因して、インデックス番号を示すことができないので、肯定応答指示メッセージの中には、ＵＥに対応するインデックス番号が無い。この場合、ＵＥは、基地局がデータを発見しなかったとみなし得て、ＵＥは、データを基地局へ再度送信する。
【０２７５】
図１１に記載の方法によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できる。
【０２７６】
図１に示されるネットワークアーキテクチャに基づいて、本発明の実施形態は、データ伝送のためのなおさらなる肯定応答指示方法を開示する。図１２を参照すると、図１２は、本発明の実施形態に係る、データ伝送のためのなおさらなる肯定応答指示方法の概略フローチャートである。図１２に記載される方法において、肯定応答指示メッセージは、インデックス指示方式で、複数のＵＥへ同時にフィードバックされる。図１２に示されるように、データ伝送のための肯定応答指示方法は、以下の段階を備え得る。
【０２７７】
１２０１：ユーザ機器（ＵＥ）が、データを基地局へ送信した後に、基地局によってフィードバックされた肯定応答指示メッセージを受信する。肯定応答指示メッセージは、ＵＥが属する肯定応答グループにおける目標ＵＥに対応するインデックス番号と、目標ＵＥに対応するインデックス番号のフラグビットとを示すために使用される。
【０２７８】
本発明のこの実施形態において、目標ＵＥは、肯定応答グループにおける、データが基地局によって発見された少なくとも１つのＵＥであり、インデックス番号は、肯定応答グループにおける目標ＵＥの一時的な番号であり、肯定応答グループにおける異なる目標ＵＥは、異なるインデックス番号に対応し、肯定応答グループは、データが基地局によって検出されることになっている各ＵＥを含む。
【０２７９】
本発明のこの実施形態において、肯定応答指示メッセージのデータ長は、予め設定されたデータ長であり、肯定応答指示メッセージによって示される、目標ＵＥに対応するインデックス番号の数は、予め設定されたデータ長を超えない。
【０２８０】
任意の実装において、図１２に記載の方法は、以下の段階をさらに備え得る。
【０２８１】
１２０）ＵＥは、基地局によって送信された構成情報を受信し、構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される。
【０２８２】
１２０２：ＵＥは、肯定応答指示メッセージを解析し、肯定応答指示メッセージの中に、当該ＵＥに対応するインデックス番号があるかどうかを検出する。肯定応答指示メッセージの中に、当該ＵＥに対応するインデックス番号がある場合、段階１２０３を実行する。または、肯定応答指示メッセージの中に、当該ＵＥに対応するインデックス番号が無い場合、段階１２０４を実行する。
【０２８３】
１２０３：ＵＥは、ＵＥに対応するインデックス番号のフラグビットステータスを解析する。インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される。
【０２８４】
本発明のこの実施形態において、ＵＥが、解析を用いて、肯定応答指示メッセージの中に、ＵＥに対応するインデックス番号があることを認識したとき、ＵＥはさらに、ＵＥに対応するインデックス番号のフラグビットステータスを解析し得る。
【０２８５】
任意の実装において、図１２に記載の方法は、以下の段階をさらに備え得る。
【０２８６】
１２１）ＵＥが、解析を用いて、ＵＥに対応するインデックス番号のフラグビットステータスが第１状態であることを認識したとき、ＵＥは、ＵＥによって送信されたデータに対して基地局によって実行された点検が成功したと決定する。
【０２８７】
任意の実装において、図１２に記載の方法は、以下の段階をさらに備え得る。
【０２８８】
１２２）ＵＥが、解析を用いて、ＵＥに対応するインデックス番号のフラグビットステータスが第２状態であることを認識したとき、ＵＥは、ＵＥによって送信されたデータに対して基地局によって実行された点検が失敗したと決定する。
【０２８９】
任意の実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって送信されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０２９０】
対応して、ＵＥが解析を用いて、ＵＥに対応するインデックス番号のフラグビットステータスが第２状態であると認識したとき、図１２に記載の方法はさらに、以下の段階を備え得る。
【０２９１】
１２３）ＵＥは、肯定応答指示メッセージに基づいて、ＵＥによって送信されたデータに対応する点検失敗ステータスを解析する。
【０２９２】
１２４）ＵＥが、解析を用いて、ＵＥによって送信されたデータに対応する点検失敗ステータスが第３状態であると認識したとき、ＵＥは、ＵＥによって送信されたデータに対して基地局によって実行された点検が、低いアップリンクマルチユーザマッチング度によって生じた衝突に起因して失敗したと決定する。
【０２９３】
１２５）ＵＥが、解析を用いて、ＵＥによって送信されたデータに対応する点検失敗ステータスが第４状態であると認識したとき、ＵＥは、ＵＥによって送信されたデータに対して基地局によって実行された点検が、低いデータ伝送チャネル品質に起因して失敗したと決定する。
【０２９４】
１２０４：ＵＥが、ＵＥによって送信されたデータを基地局が発見しなかったと決定する。
【０２９５】
本発明のこの実施形態において、ＵＥが解析を用いて、肯定応答指示メッセージの中に、ＵＥに対応するインデックス番号が無いと認識したとき、これは、基地局が、ＵＥによって送信されたデータを発見しなかったことを示し、ＵＥは、ＵＥによって送信されたデータを基地局が検出し損なったと決定し得る。
【０２９６】
図１２に記載の方法によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できる。加えて、インデックスを使用することによって肯定応答情報がフィードバックされたとき、ＵＥは、解析を用いて、ＵＥによって送信されたデータが基地局によって発見されたと認識した後に、データ点検結果をさらに解析し得て、その結果、ＵＥは、ＵＥによって送信されたデータに対して基地局によって実行された点検が成功したかどうかを適時に認識する。
【０２９７】
図１に示されるネットワークアーキテクチャに基づいて、本発明の実施形態は基地局を開示する。図１３を参照すると、図１３は、本発明の実施形態に係る基地局の概略構造図である。基地局は、本発明の実施形態に係る、データ伝送のための肯定応答指示方法を実行するように構成され得る。図１３に示されるように、基地局は、検出ユニット１３０１、生成ユニット１３０２および送信ユニット１３０３を備え得る。
【０２９８】
検出ユニット１３０１は、肯定応答グループにおける各ユーザ機器（ＵＥ）がデータを伝送したかどうかを検出し、検出結果を取得するように構成されている。
【０２９９】
本発明のこの実施形態において、基地局は、複数のアクセスされたＵＥをグループ化し得て、複数のＵＥを複数の肯定応答グループにグループ化する。１つの肯定応答グループには、データが基地局によって検出されることになっている各ＵＥが含まれ、すなわち、検出ユニット１３０１は、肯定応答グループに含まれる各ＵＥに対してデータ検出を実行できる。各肯定応答グループについて、検出ユニット１３０１は、肯定応答グループにおける各ＵＥがデータを伝送したかどうかをリアルタイムに検出して検出結果を取得し得て、または、基地局は、肯定応答グループにおける各ＵＥがデータを伝送したかどうかを予め設定された時間間隔で検出して検出結果を取得し得る。これは、本発明のこの実施形態において限定されるものではない。
【０３００】
生成ユニット１３０２は、検出結果に従って第１レベル肯定応答指示メッセージを生成するように構成されている。第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される。
【０３０１】
本発明のこの実施形態において、生成ユニット１３０２は、肯定応答グループにおけるＵＥがデータを伝送したかどうかを検出ユニット１３０１が検出することによって取得された検出結果に従って、第１レベル肯定応答指示メッセージを生成し得る。第１レベル肯定応答指示メッセージは、肯定応答グループにおける各ＵＥに対応するフラグビットステータスを示すために使用され得て、各ＵＥに対応するフラグビットステータスは、第１状態または第２状態を含み得て、第１状態は、ＵＥによって伝送されたデータを基地局が発見したことを示すために使用され、第２状態は、ＵＥによって伝送されたデータを基地局が発見しなかったことを示すために使用される。
【０３０２】
本発明のこの実施形態において、フラグビットステータスは、１ビットによって表され得て、０および１はそれぞれ、２つの状態を表す。例えば、１は第１状態、すなわち、基地局がデータを発見したことを表し、０は第２状態、すなわち、基地局がデータを発見しなかったことを表す。検出ユニット１３０１が、肯定応答グループにおいて、特定のＵＥによって伝送されたデータを発見したとき、生成ユニット１３０２は、第１レベル肯定応答指示メッセージにおける、当該ＵＥに対応するフラグビットを１に設定する。検出ユニット１３０１が、肯定応答グループにおいて、特定のＵＥによって伝送されたデータを発見しなかったとき、生成ユニット１３０２は、第１レベル肯定応答指示メッセージにおける、当該ＵＥに対応するフラグビットを０にリセットする。加えて、代替的に、第１状態を表すために０が使用され得て、第２状態を表すために１が使用され得る。これは、本発明のこの実施形態において限定されるものではない。
【０３０３】
本発明のこの実施形態において、第１レベル肯定応答指示メッセージのデータ長は、肯定応答グループにおけるＵＥの数によって決定され得る。
【０３０４】
送信ユニット１３０３は、第１レベル肯定応答指示メッセージを送信するように構成されている。
【０３０５】
本発明のこの実施形態において、送信ユニット１３０３は、ブロードキャストを用いて第１レベル肯定応答指示メッセージを送信し得て、その結果、肯定応答グループにおける、データを伝送したＵＥは、第１レベル肯定応答指示メッセージを受信でき、第１レベル肯定応答指示メッセージに基づいて、ＵＥに対応するフラグビットステータスを解析し、ＵＥによって伝送されたデータが未検出かどうかを決定する。
【０３０６】
任意の実装において、送信ユニット１３０３が第１レベル肯定応答指示メッセージを送信する具体的な実装は、送信ユニット１３０３が、肯定応答グループに対応する第１肯定応答リソース上で、第１レベル肯定応答指示メッセージを送信することであり得る。
【０３０７】
この実装において、肯定応答グループに対応する第１肯定応答リソースは、これらに限定されないが、ＰＤＣＣＨまたはＰＤＳＣＨを含み得る。各肯定応答グループは、対応する肯定応答リソースを有し、異なる肯定応答グループは、異なる肯定応答リソースに対応する。
【０３０８】
図１４を参照すると、図１４は、本発明の実施形態に係る別の基地局の概略構造図である。基地局は、本発明の実施形態に係る、データ伝送のための肯定応答指示方法を実行するように構成されている。図１４に示される基地局は、図１３に示される基地局をさらに最適化することによって取得される。図１３に示される基地局と比較すると、図１４に示される基地局は、生成ユニット１３０２によって生成された第１レベル肯定応答指示メッセージが、肯定応答グループにおけるＵＥの中に目標ＵＥがあることを示すとき、目標ＵＥによって伝送されたデータを点検し、点検結果を取得するように構成されている点検ユニット１３０４をさらに備え得る。
【０３０９】
本発明のこの実施形態において、目標ＵＥは、フラグビットステータスが第１状態であるすべてのＵＥ、すなわち、データが検出ユニット１３０１によって発見されたＵＥである。点検ユニット１３０４は、データが発見されたすべての目標ＵＥによって伝送されたデータを点検し、点検結果を取得し得る。
【０３１０】
生成ユニット１３０２はさらに、点検結果に従って第２レベル肯定応答指示メッセージを生成するように構成されている。第２レベル肯定応答指示メッセージは、目標ＵＥによって伝送されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される。
【０３１１】
本発明のこの実施形態において、生成ユニット１３０２は、すべての目標ＵＥによって伝送されたデータを点検ユニット１３０４が点検することによって取得された点検結果に従って第２レベル肯定応答指示メッセージを生成し得る。第２レベル肯定応答指示メッセージは、目標ＵＥによって伝送されたデータに対応する肯定応答フィードバック情報のタイプを示すために使用され得て、各目標ＵＥに対応する肯定応答フィードバック情報のタイプは、第１タイプまたは第２タイプを含み得る。第１タイプは、目標ＵＥによって伝送されたデータに対して基地局によって実行された点検が成功したことを示すために使用され、第２タイプは、目標ＵＥによって伝送されたデータに対して基地局によって実行された点検が失敗したことを示すために使用される。
【０３１２】
本発明のこの実施形態において、第２レベル肯定応答指示メッセージのデータ長は、肯定応答グループにおける、フラグビットステータスが第１状態である目標ＵＥの数によって決定される。
【０３１３】
送信ユニット１３０３は、第２レベル肯定応答指示メッセージを送信するようにさらに構成されている。
【０３１４】
任意の実装において、送信ユニット１３０３が第２レベル肯定応答指示メッセージを送信する具体的な実装は、送信ユニット１３０３が、肯定応答グループに対応する第２肯定応答リソース上で、第２レベル肯定応答指示メッセージを送信することであり得る。
【０３１５】
この実装において、第１レベル肯定応答指示メッセージを送信するために使用される第１肯定応答リソース、および、第２レベル肯定応答指示メッセージを送信するために使用される第２肯定応答リソースは、異なる肯定応答リソースであり得る。第１レベル肯定応答指示メッセージおよび第２レベル肯定応答指示メッセージは、ＰＤＣＣＨの異なる周波数領域サブチャネル上で送信され得るか、または、第１レベル肯定応答指示メッセージおよび第２レベル肯定応答指示メッセージは、ＰＤＳＣＨの異なる周波数領域サブチャネル上で送信され得る。
【０３１６】
任意の実装において、第２レベル肯定応答指示メッセージが、少なくとも１つの目標ＵＥによって伝送されたデータに対応する肯定応答フィードバック情報のタイプが第２タイプであることを示すとき、第２レベル肯定応答指示メッセージはさらに、少なくとも１つの目標ＵＥによって伝送されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０３１７】
任意の実装において、肯定応答グループにおける各ユーザ機器（ＵＥ）がデータを伝送したかどうかを検出ユニット１３０１が検出して検出結果を取得する前に、送信ユニット１３０３はさらに、構成情報を肯定応答グループにおける各ユーザ機器（ＵＥ）へ送信するように構成されている。構成情報は、各ＵＥが属する肯定応答グループと、肯定応答グループにおけるＵＥの数と、肯定応答グループにおける各ＵＥに対応するフラグビットとを示すために使用される。
【０３１８】
この実装において、構成情報は、セル固有構成情報およびＵＥ固有構成情報を含み得る。セル固有構成情報は、ＵＥが位置するセルのセルＩＤおよびセルＳＲＳ、セルＳＲＳの送信期間、期間におけるオフセット、および同様のものを示すために使用され得て、セル固有構成情報は、同一セルにおけるすべてのＵＥについて同一である。ＵＥが属する肯定応答グループ、肯定応答グループにおけるＵＥの数、および、肯定応答グループにおけるＵＥに対応するフラグビットに加えて、ＵＥ固有構成情報が、Ｃ‐ＲＮＴＩ、すなわち、基地局によってＵＥに割り当てられた動的識別子を示すために使用され得る。異なるＵＥは、異なるＵＥ固有構成情報を有する。
【０３１９】
具体的には、図１３または図１４に示される基地局は、本発明において図２または図４を参照して説明されている、データ伝送のための肯定応答指示方法の実施形態における、いくつかまたはすべての手順を実装し得る。
【０３２０】
図１３および図１４に示される基地局によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できるということが分かり得る。このようにして、ＵＥがデータを伝送したが、基地局がデータを検出し損ない、肯定応答指示メッセージをフィードバックしないという問題を解決できる。加えて、２つのレベルの指示を使用することによってフィードバックが実行されるとき、データ検出結果に加えて、データ点検結果を示すことができ、その結果、ＵＥは、ＵＥによって伝送されたデータに対して基地局によって実行された点検が成功したかどうかを適時に認識できる。
【０３２１】
図１に示されるネットワークアーキテクチャに基づいて、本発明の実施形態は、さらに別の基地局を開示する。図１５を参照すると、図１５は、本発明の実施形態に係るさらに別の基地局の概略構造図である。基地局は、本発明の実施形態に係る、データ伝送のための肯定応答指示方法を実行するように構成されている。図１５に示されるように、基地局１５００は、ＣＰＵ（Ｃｅｎｔｒａｌ  Ｐｒｏｃｅｓｓｉｎｇ  Ｕｎｉｔ、中央演算処理装置）などの少なくとも１つのプロセッサ１５０１、少なくとも１つの出力装置１５０２、メモリ１５０３および通信バス１５０４を備え得る。通信バス１５０４は、これらのコンポーネントの間の接続および通信を実装するように構成されている。当業者であれば、図１５に示される基地局の構造は、本発明に対して制限を設けないことを理解し得る。構造は、バス型構造であり得るか、またはスター型構造であり得て、さらに、図１５に示されるものより多い、または、より少ない部分を含み得るか、または、いくつかの部分を組み合わせ得るか、または、異なる部品配置を有し得る。
【０３２２】
本発明のこの実施形態において、出力装置１５０２は、肯定応答指示メッセージを送信するように構成され得る。
【０３２３】
本発明のこの実施形態において、メモリ１５０３は、少なくとも１つの磁気ディスクストレージなどの、高速ＲＡＭメモリまたは不揮発性メモリ（ｎｏｎ−ｖｏｌａｔｉｌｅ  ｍｅｍｏｒｙ）であり得る。任意で、メモリ１５０３は、プロセッサ１５０１から遠く離れた少なくとも１つの記憶装置であり得る。図１５に示されるように、コンピュータ記憶媒体として使用されるメモリ１５０３は、アプリケーションプログラムおよびデータなどを含み得る。これは、本発明のこの実施形態において限定されるものではない。
【０３２４】
図１５に示される基地局において、プロセッサ１５０１は、肯定応答グループにおける各ユーザ機器（ＵＥ）がデータを伝送したかどうかを検出して検出結果を取得する操作であって、肯定応答グループは、データが基地局によって検出されることになっている各ＵＥを含む、操作と、検出結果に従って第１レベル肯定応答指示メッセージを生成する操作であって、第１レベル肯定応答指示メッセージは、肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される、操作と、第１レベル肯定応答指示メッセージを送信するように出力装置１５０２を制御する操作とを実行するために、メモリ１５０３に記憶されたアプリケーションプログラムを呼び出すように構成され得る。
【０３２５】
任意の実装において、第１レベル肯定応答指示メッセージのデータ長は、肯定応答グループにおけるＵＥの数によって決定される。
【０３２６】
任意の実装において、プロセッサ１５０１が、第１レベル肯定応答指示メッセージを送信するように出力装置１５０２を制御する具体的な実装は、肯定応答グループに対応する第１肯定応答リソース上で第１レベル肯定応答指示メッセージを送信するように出力装置１５０２を制御することであり得る。
【０３２７】
任意の実装において、プロセッサ１５０１はさらに、肯定応答グループにおけるＵＥの中に目標ＵＥがあるとき、目標ＵＥによって伝送されたデータを点検し、点検結果を取得する段階であって、目標ＵＥは、フラグビットステータスが第１状態であるすべてのＵＥである、段階と、点検結果に従って、第２レベル肯定応答指示メッセージを生成する段階であって、第２レベル肯定応答指示メッセージは、目標ＵＥによって伝送されたデータに対応する肯定応答フィードバック情報のタイプを示すために使用され、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される、段階と、第２レベル肯定応答指示メッセージを送信するように出力装置１５０２を制御する段階とを実行するために、メモリ１５０３に記憶されたアプリケーションプログラムを呼び出すように構成されている。
【０３２８】
任意の実装において、プロセッサ１５０１が、第２レベル肯定応答指示メッセージを送信するように出力装置１５０２を制御する具体的な実装は、肯定応答グループに対応する第２肯定応答リソース上で第２レベル肯定応答指示メッセージを送信するように出力装置１５０２を制御することであり得る。
【０３２９】
任意の実装において、第２レベル肯定応答指示メッセージのデータ長は、目標ＵＥの数によって決定される。
【０３３０】
任意の実装において、第２レベル肯定応答指示メッセージが、少なくとも１つの目標ＵＥによって伝送されたデータに対応する肯定応答フィードバック情報のタイプが第２タイプであることを示すとき、第２レベル肯定応答指示メッセージはさらに、少なくとも１つの目標ＵＥによって伝送されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０３３１】
任意の実装において、肯定応答グループにおける各ユーザ機器（ＵＥ）がデータを伝送したかどうかを検出して検出結果を取得する前に、プロセッサ１５０１はさらに、メモリ１５０３に記憶されたデータに含まれる構成情報を肯定応答グループにおける各ユーザ機器（ＵＥ）へ送信するように出力装置１５０２を制御する段階であって、構成情報は、各ＵＥが属する肯定応答グループと、肯定応答グループにおけるＵＥの数と、肯定応答グループにおける各ＵＥに対応するフラグビットとを示すために使用される、段階を実行するために、メモリ１５０３に記憶されたアプリケーションプログラムを呼び出すように構成されている。
【０３３２】
具体的には、図１５に示される基地局は、本発明において図２または図４を参照して説明されている、データ伝送のための肯定応答指示方法の実施形態における、いくつかまたはすべての手順を実装し得る。
【０３３３】
図１５に示される基地局によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できるということが分かり得る。このようにして、ＵＥがデータを伝送したが、基地局がデータを検出し損ない、肯定応答指示メッセージをフィードバックしないという問題を解決できる。加えて、２つのレベルの指示を使用することによってフィードバックが実行されるとき、データ検出結果に加えて、データ点検結果を示すことができ、その結果、ＵＥは、ＵＥによって伝送されたデータに対して基地局によって実行された点検が成功したかどうかを適時に認識できる。
【０３３４】
図１に示されるネットワークアーキテクチャに基づいて、本発明の実施形態は、さらに別の基地局を開示する。図１６を参照すると、図１６は、本発明の実施形態に係るさらに別の基地局の概略構造図である。基地局は、本発明の実施形態に係る、データ伝送のための肯定応答指示方法を実行するように構成されている。図１６に示されるように、基地局は、検出ユニット１６０１、生成ユニット１６０２および送信ユニット１６０３を備え得る。
【０３３５】
検出ユニット１６０１は、肯定応答グループにおける各ユーザ機器（ＵＥ）がデータを伝送したかどうかを検出し、検出結果を取得するように構成されている。
【０３３６】
本発明のこの実施形態において、肯定応答グループは、データが基地局によって検出されることになっている各ＵＥを含む。検出ユニット１６０１は、肯定応答グループにおける各ＵＥがデータを伝送したかどうかをリアルタイムに検出して検出結果を取得し得て、または、検出ユニット１６０１は、肯定応答グループにおける各ＵＥがデータを伝送したかどうかを予め設定された時間間隔で検出して検出結果を取得し得る。これは、本発明のこの実施形態において限定されるものではない。
【０３３７】
生成ユニット１６０２は、検出結果に従って肯定応答指示メッセージを生成するように構成されている。肯定応答指示メッセージは、肯定応答グループにおける目標ＵＥに対応するインデックス番号を示すために使用される。
【０３３８】
本発明のこの実施形態において、生成ユニット１６０２は、肯定応答グループにおけるＵＥがデータを伝送したかどうかを検出ユニット１６０１が検出することによって取得される検出結果に従って肯定応答指示メッセージを生成し得て、肯定応答指示メッセージは、肯定応答グループにおける目標ＵＥに対応するインデックス番号を示すために使用され得る。目標ＵＥは、肯定応答グループにおける、データが基地局によって発見された少なくとも１つのＵＥであり、インデックス番号は、肯定応答グループにおける目標ＵＥの番号であり、肯定応答グループにおける異なる目標ＵＥは、異なるインデックス番号に対応する。
【０３３９】
本発明のこの実施形態において、肯定応答指示メッセージのデータ長は、予め設定されたデータ長であり得て、すなわち、肯定応答指示メッセージのデータ長は、構成可能であり、基地局によって予め設定され得て、肯定応答グループにおけるＵＥの数によって異なるということはない。肯定応答指示メッセージに含まれるインデックス番号の数は、通常、予め設定されたデータ長を超えない。
【０３４０】
送信ユニット１６０３は、肯定応答指示メッセージを送信するように構成されている。
【０３４１】
任意の実装において、送信ユニット１６０３が肯定応答指示メッセージを送信する具体的な実装は、送信ユニット１６０３が、肯定応答グループに対応する肯定応答リソース上で、肯定応答指示メッセージを送信することであり得る。
【０３４２】
この実装において、肯定応答グループに対応する肯定応答リソースは、これらに限定されないが、ＰＤＣＣＨまたはＰＤＳＣＨを含み得て、各肯定応答グループは、対応する肯定応答リソースを有し、異なる肯定応答グループは、異なる肯定応答リソースに対応する。
【０３４３】
任意の実装において、肯定応答指示メッセージは、肯定応答グループにおける目標ＵＥに対応するインデックス番号加えて、目標ＵＥに対応するインデックス番号のフラグビットを示すために使用され得る。
【０３４４】
図１７を参照すると、図１７は、本発明の実施形態に係るなおさらに別の基地局の概略構造図である。基地局は、本発明の実施形態に係る、データ伝送のための肯定応答指示方法を実行するように構成されている。図１７に示される基地局は、図１６に示される基地局をさらに最適化することによって取得される。図１６に示される基地局と比較して、図１７に示される基地局はさらに、送信ユニット１６０３が肯定応答指示メッセージを送信する前に、目標ＵＥによって伝送されたデータを点検し、点検結果を取得するように構成されている点検ユニット１６０４を備え得る。
【０３４５】
生成ユニット１６０２はさらに、点検結果に従って、目標ＵＥに対応するインデックス番号のフラグビットステータスを生成するように構成されている。インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される。
【０３４６】
本発明のこの実施形態において、肯定応答指示メッセージによって示される各インデックス番号の後に、１つのフラグビットが確保され得て、フラグビットステータスは、データ点検結果に従って生成され得る。
【０３４７】
任意の実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって伝送されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０３４８】
任意の実装において、肯定応答グループにおける各ユーザ機器（ＵＥ）がデータを伝送したかどうかを検出ユニット１６０１が検出して検出結果を取得する前に、送信ユニット１６０３はさらに、構成情報を肯定応答グループにおける各ユーザ機器（ＵＥ）へ送信するように構成されている。構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される。
【０３４９】
この実装において、構成情報は、セル固有構成情報およびＵＥ固有構成情報を含み得る。セル固有構成情報は、ＵＥが位置するセルのセルＩＤおよびセルＳＲＳ、セルＳＲＳの送信期間、期間におけるオフセット、および同様のものを示すために使用され得て、セル固有構成情報は、同一セルにおけるすべてのＵＥについて同一である。ＵＥ固有構成情報は、ＵＥが属する肯定応答グループと、基地局が肯定応答グループにおいて予め設定した、フィードバックするＵＥの数と、肯定応答グループにおけるＵＥに対応するインデックス番号とに加えて、Ｃ‐ＲＮＴＩを示すために使用され得る。異なるＵＥは異なるＵＥ固有構成情報を有する。
【０３５０】
具体的には、図１６または図１７に示される基地局は、本発明において図６または図７を参照して説明されている、データ伝送のための肯定応答指示方法の実施形態における、いくつかまたはすべての手順を実装し得る。
【０３５１】
図１６および図１７に示される基地局によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できるということが分かり得る。このようにして、ＵＥがデータを伝送したが、基地局がデータを検出し損ない、肯定応答指示メッセージをフィードバックしないという問題を解決できる。加えて、データ検出結果に加えて、データ点検結果を示すことができ、その結果、ＵＥは、ＵＥによって伝送されたデータに対して基地局によって実行された点検が成功したかどうかを適時に認識できる。
【０３５２】
図１に示されるネットワークアーキテクチャに基づいて、本発明の実施形態は基地局をさらに開示する。図１８を参照すると、図１８は、本発明の実施形態に係る、さらなる基地局の概略構造図である。基地局は、本発明の実施形態に係る、データ伝送のための肯定応答指示方法を実行するように構成されている。図１８に示されるように、基地局１８００は、ＣＰＵなどの少なくとも１つのプロセッサ１８０１、少なくとも１つの出力装置１８０２、メモリ１８０３および通信バス１８０４を備え得る。通信バス１８０４は、これらのコンポーネントの間で接続および通信を実装するように構成されている。当業者であれば、図１８に示される基地局の構造が、本発明に対して制限を設けるものではないことを理解し得る。構造は、バス型構造であり得るか、またはスター型構造であり得て、さらに、図１８に示されるものより多い、または、より少ない部分を含み得るか、または、いくつかの部分を組み合わせ得るか、または、異なる部品配置を有し得る。
【０３５３】
本発明のこの実施形態において、出力装置１８０２は、肯定応答指示メッセージを送信するように構成され得る。
【０３５４】
本発明のこの実施形態において、メモリ１８０３は、少なくとも１つの磁気ディスクストレージなどの、高速ＲＡＭメモリまたは不揮発性メモリ（ｎｏｎ−ｖｏｌａｔｉｌｅ  ｍｅｍｏｒｙ）であり得る。任意で、メモリ１８０３は、プロセッサ１８０１から遠く離れた少なくとも１つの記憶装置であり得る。図１８に示されるように、コンピュータ記憶媒体として使用されるメモリ１８０３は、アプリケーションプログラムおよびデータなどを含み得る。これは、本発明のこの実施形態において限定されるものではない。
【０３５５】
図１８に示される基地局において、プロセッサ１８０１は、肯定応答グループにおける各ユーザ機器（ＵＥ）がデータを伝送したかどうかを検出し、検出結果を取得する操作であって、肯定応答グループは、データが基地局によって検出されることになっている各ＵＥを含む、操作と、検出結果に従って、肯定応答指示メッセージを生成する操作であって、肯定応答指示メッセージは、肯定応答グループにおける目標ＵＥに対応するインデックス番号を示すために使用され、目標ＵＥは、データが肯定応答グループにおける基地局によって発見された少なくとも１つのＵＥであり、インデックス番号は、肯定応答グループにおける目標ＵＥの番号であり、肯定応答グループにおける異なる目標ＵＥは、異なるインデックス番号に対応する、操作と、肯定応答指示メッセージを送信するように出力装置１８０２を制御する操作とを実行するために、メモリ１８０３に記憶されたアプリケーションプログラムを呼び出すように構成され得る。
【０３５６】
任意の実装において、プロセッサ１８０１が、肯定応答指示メッセージを送信するように出力装置１８０２を制御する具体的な実装は、肯定応答グループに対応する肯定応答リソース上で肯定応答指示メッセージを送信するように出力装置１８０２を制御することであり得る。
【０３５７】
任意の実装において、肯定応答指示メッセージはさらに、目標ＵＥに対応するインデックス番号のフラグビットを示すために使用され、肯定応答指示メッセージを送信するように出力装置１８０２を制御する前に、プロセッサ１８０１はさらに、目標ＵＥによって伝送されたデータを点検し、点検結果を取得する段階と、点検結果に従って、目標ＵＥに対応するインデックス番号のフラグビットステータスを生成する段階であって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、段階とを実行するために、メモリ１８０３に記憶されたアプリケーションプログラムを呼び出すように構成されている。
【０３５８】
任意の実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって伝送されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０３５９】
任意の実装において、肯定応答指示メッセージのデータ長は、予め設定されたデータ長であり、肯定応答指示メッセージによって示される、肯定応答グループにおける目標ＵＥに対応するインデックス番号の数は、予め設定されたデータ長を超えない。
【０３６０】
任意の実装において、肯定応答グループにおける各ユーザ機器（ＵＥ）がデータを伝送したかどうかを検出して検出結果を取得する前に、プロセッサ１８０１はさらに、メモリ１８０３に記憶されたデータに含まれる構成情報を、肯定応答グループにおける各ユーザ機器（ＵＥ）へ送信するように出力装置１８０２を制御する段階であって、構成情報は、各ＵＥが属する肯定応答グループと、基地局が肯定応答グループにおいて予め設定した、フィードバックするＵＥの数と、肯定応答グループにおける各ＵＥに対応するインデックス番号とを示すために使用される、段階を実行するために、メモリ１８０３に記憶されたアプリケーションプログラムを呼び出すように構成されている。
【０３６１】
具体的には、図１８に示される基地局は、本発明において図６または図７を参照して説明されている、データ伝送のための肯定応答指示方法の実施形態における、いくつかまたはすべての手順を実装し得る。
【０３６２】
図１８に示される基地局によれば、コンテンション伝送に基づくアップリンクデータ伝送モードにおいて、基地局は、肯定応答グループにおける複数のＵＥへ肯定応答指示メッセージを同時にフィードバックでき、その結果、ＵＥは、ＵＥによって伝送されたデータが基地局によって発見されたかどうかを適時に認識できるということが分かり得る。このようにして、ＵＥがデータを伝送したが、基地局がデータを検出し損ない、肯定応答指示メッセージをフィードバックしないという問題を解決できる。加えて、データ検出結果に加えて、データ点検結果を示すことができ、その結果、ＵＥは、ＵＥによって伝送されたデータに対して基地局によって実行された点検が成功したかどうかを適時に認識できる。
【０３６３】
図１に示されるネットワークアーキテクチャに基づいて、本発明の実施形態は、ユーザ機器（ＵＥ）を開示する。図１９を参照すると、図１９は、本発明の実施形態に係るユーザ機器の概略構造図である。ユーザ機器は、本発明の実施形態に係る、データ伝送のための肯定応答指示方法を実行するように構成されている。図１９に示されるように、ユーザ機器（ＵＥ）は、受信ユニット１９０１および第１解析ユニット１９０２を備え得る。
【０３６４】
受信ユニット１９０１は、ＵＥがデータを基地局へ送信した後に、基地局によってフィードバックされた第１レベル肯定応答指示メッセージを受信するように構成されている。第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用される。
【０３６５】
本発明のこの実施形態において、ＵＥがアップリンクデータを基地局へ送信した後に、受信ユニット１９０１は、基地局によってフィードバックされた第１レベル肯定応答指示メッセージを受信し得る。第１レベル肯定応答指示メッセージは、ＵＥが属する肯定応答グループにおける各ＵＥに対応するフラグビットステータスを示すために使用され、フラグビットステータスは、ＵＥによって送信されたデータが基地局によって発見されたかどうかを示すために使用され得る。肯定応答グループは、データが基地局によって検出されることになっている各ＵＥを含む。
【０３６６】
本発明のこの実施形態において、第１レベル肯定応答指示メッセージのデータ長は、ＵＥが属する肯定応答グループにおけるＵＥの数によって決定される。
【０３６７】
第１解析ユニット１９０２は、第１レベル肯定応答指示メッセージに基づいて、肯定応答グループにおけるＵＥに対応するフラグビットステータスを解析するように構成されている。
【０３６８】
本発明のこの実施形態において、受信ユニット１９０１が、基地局によってフィードバックされた第１レベル肯定応答指示メッセージを受信した後に、第１解析ユニット１９０２は、第１レベル肯定応答指示メッセージに基づいて、肯定応答グループにおけるＵＥに対応するフラグビットステータスを解析し得る。
【０３６９】
任意の実装において、受信ユニット１９０１はさらに、第１解析ユニット１９０２が、解析を用いて、肯定応答グループにおけるＵＥに対応するフラグビットステータスが第１状態であると認識したとき、基地局によってフィードバックされた第２レベル肯定応答指示メッセージを受信するように構成されている。第２レベル肯定応答指示メッセージは、目標ＵＥによって送信されたデータに対応する肯定応答フィードバック情報のタイプを示すために使用され、目標ＵＥは、肯定応答グループにおける、フラグビットステータスが第１状態であるすべてのＵＥであり、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される。
【０３７０】
第２レベル肯定応答指示メッセージのデータ長は、目標ＵＥの数によって決定される。
【０３７１】
対応して、図２０を参照すると、図２０は、本発明の実施形態に係る別のユーザ機器の概略構造図である。ユーザ機器は、本発明の実施形態に係る、データ伝送のための肯定応答指示方法を実行するように構成されている。図２０に示されるユーザ機器は、図１９に示されるユーザ機器をさらに最適化することによって取得される。図１９に示されるユーザ機器と比較して、図２０に示されるユーザ機器は、受信ユニット１９０１によって受信された第２レベル肯定応答指示メッセージに基づいて、ＵＥによって送信されたデータに対応する肯定応答フィードバック情報のタイプを解析するように構成されている第２解析ユニット１９０３をさらに備え得る。
【０３７２】
任意の実装において、第２解析ユニット１９０３は、目標ＵＥの数についての統計を収集するように構成されている統計収集サブユニット１９０３ａと、目標ＵＥにおけるＵＥの位置を決定するように構成され、第２レベル肯定応答指示メッセージにおけるＵＥの位置は、目標ＵＥにおけるＵＥの位置によって決定される、決定サブユニット１９０３ｂと、第２レベル肯定応答指示メッセージにおけるＵＥの位置に基づいて、ＵＥによって送信されたデータに対応する肯定応答フィードバック情報のタイプを解析するように構成されている解析サブユニット１９０３ｃとをさらに有し得る。
【０３７３】
任意の実装において、図２０に示されるユーザ機器は、第２解析ユニット１９０３が、解析を用いて、ＵＥによって送信されたデータに対応する肯定応答フィードバック情報のタイプが第１タイプであると認識したとき、ＵＥによって送信されたデータに対して基地局によって実行された点検が成功したと決定するように構成されている第１決定ユニット１９０４と、第２解析ユニット１９０３が、解析を用いて、ＵＥによって送信されたデータに対応する肯定応答フィードバック情報のタイプが第２タイプであると認識したとき、ＵＥによって送信されたデータに対して基地局によって実行された点検が失敗したと決定するように構成されている第２決定ユニット１９０５とをさらに有し得る。
【０３７４】
任意の実装において、第２レベル肯定応答指示メッセージが、少なくとも１つの目標ＵＥによって伝送されたデータに対応する肯定応答フィードバック情報のタイプが第２タイプであることを示すとき、第２レベル肯定応答指示メッセージはさらに、少なくとも１つの目標ＵＥによって送信されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０３７５】
任意の実装において、図２０に示されるユーザ機器は、第２解析ユニット１９０３が、解析を用いて、ＵＥによって送信されたデータに対応する肯定応答フィードバック情報のタイプが第２タイプであると認識したとき、第２レベル肯定応答指示メッセージに基づいて、ＵＥによって送信されたデータに対応する点検失敗ステータスを解析するように構成されている第３解析ユニット１９０６をさらに備え得る。
【０３７６】
対応して、図２０に示されるユーザ機器は、第３解析ユニット１９０６が、解析を用いて、ＵＥによって送信されたデータに対応する点検失敗ステータスが第３状態であると認識したとき、ＵＥによって送信されたデータに対して基地局によって実行された点検が、低いアップリンクマルチユーザマッチング度によって生じた衝突に起因して失敗したと決定するように構成されている第３決定ユニット１９０７と、第３解析ユニット１９０６が、解析を用いて、ＵＥによって送信されたデータに対応する点検失敗ステータスが第４状態であると認識したとき、ＵＥによって送信されたデータに対して基地局によって実行された点検が、低いデータ伝送チャネル品質に起因して失敗したと決定するように構成されている第４決定ユニット１９０８とをさらに備え得る。
【０３７７】
任意の実装において、図２０に示されるユーザ機器は、第１解析ユニット１９０２が、解析を用いて、肯定応答グループにおけるＵＥに対応するフラグビットステータスが第２状態であると認識したとき、ＵＥによって送信されたデータを基地局が発見しなかったと決定するように構成されている第５決定ユニット１９０９をさらに備え得る。
【０３７８】
任意の実装において、受信ユニット１９０１はさらに、ＵＥがデータを基地局へ送信した後、基地局によってフィードバックされた第１レベル肯定応答指示メッセージを受信する前に、基地局によって送信された構成情報を受信するように構成されている。構成情報は、ＵＥが属する肯定応答グループと、肯定応答グループにおけるＵＥの数と、肯定応答グループにおけるＵＥに対応するフラグビットとを示すために使用される。
【０３７９】
具体的には、図１９または図２０に示されるユーザ機器は、本発明において図９または図１０を参照して説明される、データ伝送のための肯定応答指示方法の実施形態におけるいくつかまたはすべての手順を実装し得る。
【０３８０】
図１９および図２０に示されるユーザ機器によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できることが分かり得る。加えて、２つのレベルの指示を使用することによって肯定応答がフィードバックされたとき、ＵＥは、第１レベル肯定応答指示メッセージを解析することによって、ＵＥによって送信されたデータが、基地局によって発見されたと認識した後に、第２レベル肯定応答指示メッセージに基づいて、データ点検結果を解析し得て、その結果、ＵＥは、ＵＥによって送信されたデータに対して基地局によって実行された点検が成功したかどうかを適時に認識する。
【０３８１】
図１に示されるネットワークアーキテクチャに基づいて、本発明の実施形態は、さらに別のユーザ機器を開示する。図２１を参照すると、図２１は、本発明の実施形態に係るさらに別のユーザ機器の概略構造図である。ユーザ機器は、本発明の実施形態に係る、データ伝送のための肯定応答指示方法を実行するように構成されている。図２１に示されるように、ユーザ機器２１００は、ＣＰＵなどの少なくとも１つのプロセッサ２１０１と、少なくとも１つの出力装置２１０２と、少なくとも１つの入力装置２１０３と、メモリ２１０４と、通信バス２１０５とを備え得る。通信バス２１０５は、これらのコンポーネントの間で接続および通信を実装するように構成されている。当業者であれば、図２１に示されるユーザ機器（ＵＥ）の構造は、本発明に対して制限を設けないことを理解し得る。構造は、バス型構造であり得るか、またはスター型構造であり得て、さらに、図２１に示されるものより多い、または、より少ない部分を含み得るか、または、いくつかの部分を組み合わせ得るか、または、異なる部品配置を有し得る。
【０３８２】
本発明のこの実施形態において、出力装置２１０２は、データを基地局へ送信するように構成され得て、入力装置２１０３は、基地局によってフィードバックされた肯定応答指示メッセージを受信するように構成され得る。
【０３８３】
本発明のこの実施形態において、メモリ２１０４は、少なくとも１つの磁気ディスクストレージなどの、高速ＲＡＭメモリまたは不揮発性メモリ（ｎｏｎ−ｖｏｌａｔｉｌｅ  ｍｅｍｏｒｙ）であり得る。任意で、メモリ２１０４は、プロセッサ２１０１から遠く離れた少なくとも１つの記憶装置であり得る。図２１に示されるように、コンピュータ記憶媒体として使用されるメモリ２１０４は、オペレーティングシステム、アプリケーションプログラムおよびデータなどを含み得る。これは、本発明のこの実施形態において限定されるものではない。
【０３８４】
図２１に示されるユーザ機器において、プロセッサ２１０１は、データを基地局へ送信するように出力装置２１０２を制御した後、基地局によってフィードバックされた第１レベル肯定応答指示メッセージを受信するように入力装置２１０３を制御する操作であって、第１レベル肯定応答指示メッセージは、ＵＥが属する肯定応答グループにおける各ＵＥに対応するフラグビットステータスを示すために使用され、フラグビットステータスは、第１状態または第２状態を含み、第１状態は、基地局がデータを発見したことを示すために使用され、第２状態は、基地局がデータを発見しなかったことを示すために使用され、肯定応答グループは、データが基地局によって検出されることになっている各ＵＥを含む、操作と、第１レベル肯定応答指示メッセージに基づいて、肯定応答グループにおけるＵＥに対応するフラグビットステータスを解析する操作とを実行するために、メモリ２１０４に記憶されたアプリケーションプログラムを呼び出すように構成され得る。
【０３８５】
任意の実装において、第１レベル肯定応答指示メッセージのデータ長は、肯定応答グループにおけるＵＥの数によって決定される。
【０３８６】
任意の実装において、プロセッサ２１０１はさらに、肯定応答グループにおけるＵＥに対応するフラグビットステータスが第１状態であることが、解析を用いて認識されたとき、基地局によってフィードバックされた第２レベル肯定応答指示メッセージを受信するように入力装置２１０３を制御する段階であって、第２レベル肯定応答指示メッセージは、目標ＵＥによって送信されたデータに対応する肯定応答フィードバック情報のタイプを示すために使用され、目標ＵＥは、肯定応答グループにおける、フラグビットステータスが第１状態であるすべてのＵＥであり、肯定応答フィードバック情報のタイプは、第１タイプまたは第２タイプを含み、第１タイプは、基地局によって実行されたデータ点検が成功したことを示すために使用され、第２タイプは、基地局によって実行されたデータ点検が失敗したことを示すために使用される、段階と、第２レベル肯定応答指示メッセージに基づいて、出力装置２１０２によって送信されたデータに対応する肯定応答フィードバック情報のタイプを解析する段階とを実行するために、メモリ２１０４に記憶されたアプリケーションプログラムを呼び出すように構成されている。
【０３８７】
任意の実装において、第２レベル肯定応答指示メッセージのデータ長は、目標ＵＥの数によって決定される。
【０３８８】
任意の実装において、プロセッサ２１０１が、第２レベル肯定応答指示メッセージに基づいて、出力装置２１０２によって送信されたデータに対応する肯定応答フィードバック情報のタイプを解析する具体的な実装は、目標ＵＥの数についての統計を収集することと、目標ＵＥにおけるＵＥの位置を決定することであって、第２レベル肯定応答指示メッセージにおけるＵＥの位置は、目標ＵＥにおけるＵＥの位置によって決定される、ことと、第２レベル肯定応答指示メッセージにおけるＵＥの位置に基づいて、出力装置２１０２によって送信されたデータに対応する肯定応答フィードバック情報のタイプを解析することとであり得る。
【０３８９】
任意の実装において、第２レベル肯定応答指示メッセージが、少なくとも１つの目標ＵＥによって伝送されたデータに対応する肯定応答フィードバック情報のタイプが第２タイプであることを示すとき、第２レベル肯定応答指示メッセージはさらに、少なくとも１つの目標ＵＥによって送信されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０３９０】
任意の実装において、プロセッサ２１０１はさらに、解析を用いて、出力装置２１０２によって送信されたデータに対応する肯定応答フィードバック情報のタイプが第１タイプであると認識されたとき、出力装置２１０２によって送信されたデータに対して基地局によって実行された点検が成功したと決定する段階を実行するために、メモリ２１０４に記憶されたアプリケーションプログラムを呼び出すように構成されている。
【０３９１】
任意の実装において、プロセッサ２１０１はさらに、解析を用いて、出力装置２１０２によって送信されたデータに対応する肯定応答フィードバック情報のタイプが第２タイプであると認識されたとき、出力装置２１０２によって送信されたデータに対して基地局によって実行された点検が失敗したと決定する段階を実行するために、メモリ２１０４に記憶されたアプリケーションプログラムを呼び出すように構成されている。
【０３９２】
任意の実装において、プロセッサ２１０１はさらに、解析を用いて、出力装置２１０２によって送信されたデータに対応する肯定応答フィードバック情報のタイプが第２タイプであると認識されたとき、第２レベル肯定応答指示メッセージに基づいて、出力装置２１０２によって送信されたデータに対応する点検失敗ステータスを解析する段階を実行するために、メモリ２１０４に記憶されたアプリケーションプログラムを呼び出すように構成されている。
【０３９３】
任意の実装において、プロセッサ２１０１はさらに、出力装置２１０２によって送信されたデータに対応する点検失敗ステータスが第３状態であることが、解析を用いて認識されたとき、出力装置２１０２によって送信されたデータに対して基地局によって実行された点検が、低いアップリンクマルチユーザマッチング度によって生じた衝突に起因して失敗したと決定する段階を実行するために、メモリ２１０４に記憶されたアプリケーションプログラムを呼び出すように構成されている。
【０３９４】
任意の実装において、プロセッサ２１０１はさらに、出力装置２１０２によって送信されたデータに対応する点検失敗ステータスが第４状態であることが、解析を用いて認識されたとき、出力装置２１０２によって送信されたデータに対して基地局によって実行された点検が、低いデータ伝送チャネル品質に起因して失敗したと決定する段階を実行するために、メモリ２１０４に記憶されたアプリケーションプログラムを呼び出すように構成されている。
【０３９５】
任意の実装において、プロセッサ２１０１はさらに、肯定応答グループにおけるＵＥに対応するフラグビットステータスが第２状態であることが解析を用いて認識されたとき、基地局が、出力装置２１０２によって送信されたデータを発見しなかったと決定する段階を実行するために、メモリ２１０４に記憶されたアプリケーションプログラムを呼び出すように構成されている。
【０３９６】
任意の実装において、データを基地局へ送信するように出力装置２１０２を制御した後、基地局によってフィードバックされた第１レベル肯定応答指示メッセージを受信するように入力装置２１０３を制御する段階の前に、プロセッサ２１０１はさらに、基地局によって送信された構成情報を受信するように入力装置２１０３を制御する段階であって、構成情報は、ＵＥが属する肯定応答グループと、肯定応答グループにおけるＵＥの数と、肯定応答グループにおけるＵＥに対応するフラグビットとを示すために使用される段階を実行するために、メモリ２１０４に記憶されたアプリケーションプログラムを呼び出すように構成されている。
【０３９７】
具体的には、図２１に示されるユーザ機器は、本発明において図９または図１０を参照して説明されているデータ伝送のための肯定応答指示方法の実施形態における、いくつかまたはすべての手順を実装し得る。
【０３９８】
図２１に示されるユーザ機器によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できることが分かり得る。加えて、２つのレベルの指示を使用することによって肯定応答がフィードバックされたとき、ＵＥは、第１レベル肯定応答指示メッセージを解析することによって、ＵＥによって送信されたデータが、基地局によって発見されたと認識した後に、第２レベル肯定応答指示メッセージに基づいて、データ点検結果を解析し得て、その結果、ＵＥは、ＵＥによって送信されたデータに対して基地局によって実行された点検が成功したかどうかを適時に認識する。
【０３９９】
図１に示されるネットワークアーキテクチャに基づいて、本発明の実施形態は、さらに別のユーザ機器を開示する。図２２を参照すると、図２２は、本発明の実施形態に係るさらに別のユーザ機器の概略構造図である。ユーザ機器は、本発明の実施形態に係る、データ伝送のための肯定応答指示方法を実行するように構成されている。図２２に示されるように、ユーザ機器（ＵＥ）は、受信ユニット２２０１および第１解析ユニット２２０２を備え得る。
【０４００】
受信ユニット２２０１は、ＵＥがデータを基地局へ送信した後に、基地局によってフィードバックされた肯定応答指示メッセージを受信するように構成されている。肯定応答指示メッセージは、ＵＥが属する肯定応答グループにおける目標ＵＥに対応するインデックス番号を示すために使用される。
【０４０１】
本発明のこの実施形態において、目標ＵＥは、肯定応答グループにおける、データが基地局によって発見された少なくとも１つのＵＥであり、インデックス番号は、肯定応答グループにおける目標ＵＥの番号であり、肯定応答グループにおける異なる目標ＵＥは、異なるインデックス番号に対応し、肯定応答グループは、データが基地局によって検出されることになっている各ＵＥを含む。
【０４０２】
本発明のこの実施形態において、肯定応答指示メッセージのデータ長は、予め設定されたデータ長であり、肯定応答指示メッセージによって示される、肯定応答グループにおける目標ＵＥに対応するインデックス番号の数は、予め設定されたデータ長を超えない。
【０４０３】
第１解析ユニット２２０２は、肯定応答指示メッセージを解析し、肯定応答指示メッセージの中に、ＵＥに対応するインデックス番号があるかどうかを検出するように構成されている。
【０４０４】
本発明のこの実施形態において、肯定応答指示メッセージは、データが基地局によって発見された目標ＵＥに対応するインデックス番号を含み、第１解析ユニット２２０２は、肯定応答指示メッセージを解析することによって、当該ＵＥに対応するインデックス番号があるかどうかを認識し得る。肯定応答指示メッセージの中に、当該ＵＥに対応するインデックス番号があるとき、これは、当該ＵＥによって送信されたデータを基地局が発見したことを示し得る。肯定応答指示メッセージの中に、当該ＵＥに対応するインデックス番号が無いとき、これは、当該ＵＥによって送信されたデータを基地局が検出し損なったことを示し得る。加えて、肯定応答指示メッセージのデータ長は、基地局によって予め設定される固定長なので、データが基地局によって発見されたＵＥの数が、肯定応答指示メッセージのデータ長を超えるとき、基地局は過剰なＵＥを破棄する。従って、肯定応答指示メッセージは、長さの制限に起因して、インデックス番号を示すことができないので、肯定応答指示メッセージの中には、ＵＥに対応するインデックス番号が無い。この場合、ＵＥは、基地局がデータを発見しなかったとみなし得て、ＵＥは、データを基地局へ再度送信する。
【０４０５】
任意の実装において、肯定応答指示メッセージは、ＵＥが属する肯定応答グループにおける目標ＵＥに対応するインデックス番号加えて、目標ＵＥに対応するインデックス番号のフラグビットを示すために使用され得る。
【０４０６】
対応して、図２３を参照すると、図２３は、本発明の実施形態に係るなおさらに別のユーザ機器の概略構造図である。ユーザ機器は、本発明の実施形態に係る、データ伝送のための肯定応答指示方法を実行するように構成されている。図２３に示されるユーザ機器は、図２２に示されるユーザ機器をさらに最適化することによって取得される。図２２に示されるユーザ機器と比較して、図２３に示されるユーザ機器はさらに、第１解析ユニット２２０２が解析を用いて、肯定応答指示メッセージの中に、ＵＥに対応するインデックス番号があると認識したとき、ＵＥに対応するインデックス番号のフラグビットステータスを解析するように構成されている第２解析ユニット２２０３を備え得る。インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される。
【０４０７】
任意の実装において、図２３に示されるユーザ機器は、第２解析ユニット２２０３が解析を用いて、ＵＥに対応するインデックス番号のフラグビットステータスが第１状態であると認識したとき、ＵＥによって送信されたデータに対して基地局によって実行された点検が成功したと決定するように構成されている第１決定ユニット２２０４と、第２解析ユニット２２０３が解析を用いて、ＵＥに対応するインデックス番号のフラグビットステータスが第２状態であると認識したとき、ＵＥによって送信されたデータに対して基地局によって実行された点検が失敗したと決定するように構成されている第２決定ユニット２２０５をさらに備え得る。
【０４０８】
任意の実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって送信されたデータに対応する点検失敗ステータスを示すために使用され得る。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０４０９】
対応して、図２３に示されるユーザ機器はさらに、第２解析ユニット２２０３が解析を用いて、ＵＥに対応するインデックス番号のフラグビットステータスが第２状態であると認識したとき、肯定応答指示メッセージに基づいて、ＵＥによって送信されたデータに対応する点検失敗ステータスを解析するように構成されている第３解析ユニット２２０６を備え得る。
【０４１０】
任意の実装において、図２３に示されるユーザ機器は、第３解析ユニット２２０６が、解析を用いて、ＵＥによって送信されたデータに対応する点検失敗ステータスが第３状態であると認識したとき、ＵＥによって送信されたデータに対して基地局によって実行された点検が、低いアップリンクマルチユーザマッチング度によって生じた衝突に起因して失敗したと決定するように構成されている第３決定ユニット２２０７と、第３解析ユニット２２０６が、解析を用いて、ＵＥによって送信されたデータに対応する点検失敗ステータスが第４状態であると認識したとき、ＵＥによって送信されたデータに対して基地局によって実行された点検が、低いデータ伝送チャネル品質に起因して失敗したと決定するように構成されている第４決定ユニット２２０８とをさらに備え得る。
【０４１１】
任意の実装において、図２３に示されるユーザ機器は、第１解析ユニット２２０２が解析を用いて、肯定応答指示メッセージの中に、ＵＥに対応するインデックス番号が無いと認識したとき、ＵＥによって送信されたデータを基地局が発見しなかったと決定するように構成されている第５決定ユニット２２０９をさらに備え得る。
【０４１２】
任意の実装において、受信ユニット２２０１はさらに、ＵＥがデータを基地局へ送信した後、基地局によってフィードバックされた肯定応答指示メッセージを受信する前に、基地局によって送信された構成情報を受信するように構成され得る。構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される。
【０４１３】
具体的には、図２２または図２３に示されるユーザ機器は、本発明において図１１または図１２を参照して説明される、データ伝送のための肯定応答指示方法の実施形態におけるいくつかまたはすべての手順を実装し得る。
【０４１４】
図２２および図２３に示されるユーザ機器によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できることが分かり得る。加えて、ＵＥは、解析を用いて、ＵＥによって送信されたデータが基地局によって発見されたと認識した後に、データ点検結果をさらに解析し得て、その結果、ＵＥは、ＵＥによって送信されたデータに対して基地局によって実行された点検が成功したかどうかを適時に認識する。
【０４１５】
図１に示されるネットワークアーキテクチャに基づいて、本発明の実施形態はさらに、ユーザ機器を開示する。図２４を参照すると、図２４は、本発明の実施形態に係るさらなるユーザ機器の概略構造図である。ユーザ機器は、本発明の実施形態に係る、データ伝送のための肯定応答指示方法を実行するように構成されている。図２４に示されるように、ユーザ機器２４００は、ＣＰＵなどの少なくとも１つのプロセッサ２４０１と、少なくとも１つの出力装置２４０２と、少なくとも１つの入力装置２４０３と、メモリ２４０４と、通信バス２４０５とを備え得る。通信バス２４０５は、これらのコンポーネントの間の接続および通信を実装するように構成されている。当業者であれば、図２４に示されるユーザ機器（ＵＥ）の構造は、本発明に対して制限を設けないことを理解し得る。構造は、バス型構造であり得るか、またはスター型構造であり得て、さらに、図２４に示されるものより多い、または、より少ない部分を含み得るか、または、いくつかの部分を組み合わせ得るか、または、異なる部品配置を有し得る。
【０４１６】
本発明のこの実施形態において、出力装置２４０２は、データを基地局へ送信するように構成され得て、入力装置２４０３は、基地局によってフィードバックされた肯定応答指示メッセージを受信するように構成され得る。
【０４１７】
本発明のこの実施形態において、メモリ２４０４は、少なくとも１つの磁気ディスクストレージなどの、高速ＲＡＭメモリまたは不揮発性メモリ（ｎｏｎ−ｖｏｌａｔｉｌｅ  ｍｅｍｏｒｙ）であり得る。任意で、メモリ２４０４は、プロセッサ２４０１から遠く離れた少なくとも１つの記憶装置であり得る。図２４に示されるように、コンピュータ記憶媒体として使用されるメモリ２４０４は、オペレーティングシステム、アプリケーションプログラムおよびデータなどを含み得る。これは、本発明のこの実施形態において限定されるものではない。
【０４１８】
図２４に示されるユーザ機器において、プロセッサ２４０１は、データを基地局へ送信するように出力装置２４０２を制御した後に、基地局によってフィードバックされた肯定応答指示メッセージを受信するように入力装置２４０３を制御する操作であって、肯定応答指示メッセージは、ＵＥが属する肯定応答グループにおける目標ＵＥに対応するインデックス番号を示すように使用され、目標ＵＥは、データが基地局によって発見された、肯定応答グループにおける少なくとも１つのＵＥであり、インデックス番号は、肯定応答グループにおける目標ＵＥの番号であり、肯定応答グループにおける異なる目標ＵＥは、異なるインデックス番号に対応し、肯定応答グループは、データが基地局によって検出されることになっている各ＵＥを含む、操作と、肯定応答指示メッセージを解析し、肯定応答指示メッセージの中に、ＵＥに対応するインデックス番号があるかどうかを検出する操作とを実行するために、メモリ２４０４に記憶されたアプリケーションプログラムを呼び出すように構成され得る。
【０４１９】
任意の実装において、肯定応答指示メッセージはさらに、目標ＵＥに対応するインデックス番号のフラグビットを示すために使用され、プロセッサ２４０１はさらに、解析を用いて、肯定応答指示メッセージの中に、ＵＥに対応するインデックス番号があることが認識されたされたとき、ＵＥに対応するインデックス番号のフラグビットステータスを解析する段階であって、インデックス番号のフラグビットステータスは、第１状態または第２状態を含み、第１状態は、基地局によって実行されたデータ点検が成功したことを示すために使用され、第２状態は、基地局によって実行されたデータ点検が失敗したことを示すために使用される、段階とを実行するために、メモリ２４０４に記憶されたアプリケーションプログラムを呼び出すように構成されている。
【０４２０】
任意の実装において、フラグビットステータスが第２状態であるインデックス番号に対応する目標ＵＥがあることを肯定応答指示メッセージが示すとき、肯定応答指示メッセージはさらに、フラグビットステータスが第２状態であるインデックス番号に対応する目標ＵＥによって送信されたデータに対応する点検失敗ステータスを示すために使用される。点検失敗ステータスは、第３状態または第４状態を含み、第３状態は、データ点検失敗が、低いアップリンクマルチユーザマッチング度によって生じた衝突によって引き起こされたことを示すために使用され、第４状態は、データ点検失敗が、低いデータ伝送チャネル品質によって引き起こされたことを示すために使用される。
【０４２１】
任意の実装において、プロセッサ２４０１はさらに、解析を用いて、ＵＥに対応するインデックス番号のフラグビットステータスが第１状態であると認識されたとき、出力装置２４０２によって送信されたデータに対して基地局によって実行された点検が成功したと決定する段階を実行するために、メモリ２４０４に記憶されたアプリケーションプログラムを呼び出すように構成されている。
【０４２２】
任意の実装において、プロセッサ２４０１はさらに、解析を用いて、ＵＥに対応するインデックス番号のフラグビットステータスが第２状態であると認識されたとき、出力装置２４０２によって送信されたデータに対して基地局によって実行された点検が失敗したと決定する段階を実行するために、メモリ２４０４に記憶されたアプリケーションプログラムを呼び出すように構成されている。
【０４２３】
任意の実装において、プロセッサ２４０１はさらに、解析を用いて、ＵＥに対応するインデックス番号のフラグビットステータスが第２状態であると認識されたとき、肯定応答指示メッセージに基づいて、出力装置２４０２によって送信されたデータに対応する点検失敗ステータスを解析する段階を実行するために、メモリ２４０４に記憶されたアプリケーションプログラムを呼び出すように構成されている。
【０４２４】
任意の実装において、プロセッサ２４０１はさらに、出力装置２４０２によって送信されたデータに対応する点検失敗ステータスが第３状態であることが、解析を用いて認識されたとき、出力装置２４０２によって送信されたデータに対して基地局によって実行された点検が、低いアップリンクマルチユーザマッチング度によって生じた衝突に起因して失敗したと決定する段階を実行するために、メモリ２４０４に記憶されたアプリケーションプログラムを呼び出すように構成されている。
【０４２５】
任意の実装において、プロセッサ２４０１はさらに、出力装置２４０２によって送信されたデータに対応する点検失敗ステータスが第４状態であることが、解析を用いて認識されたとき、出力装置２４０２によって送信されたデータに対して基地局によって実行された点検が、低いデータ伝送チャネル品質に起因して失敗したと決定する段階を実行するために、メモリ２４０４に記憶されたアプリケーションプログラムを呼び出すように構成されている。
【０４２６】
任意の実装において、プロセッサ２４０１はさらに、解析を用いて、ＵＥに対応するインデックス番号が肯定応答指示メッセージの中に無いと認識されたとき、出力装置２４０２によって送信されたデータを基地局が発見しなかったと決定する段階を実行するために、メモリ２４０４に記憶されたアプリケーションプログラムを呼び出すように構成されている。
【０４２７】
任意の実装において、肯定応答指示メッセージのデータ長は、予め設定されたデータ長であり、肯定応答指示メッセージによって示される、ＵＥが属する肯定応答グループにおける目標ＵＥに対応するインデックス番号の数は、予め設定されたデータ長を超えない。
【０４２８】
任意の実装において、データを基地局へ送信するように出力装置２４０２を制御した後、基地局によってフィードバックされた肯定応答指示メッセージを受信するように入力装置２４０３を制御する前に、プロセッサ２４０１はさらに、基地局によって送信された構成情報を受信するように入力装置２４０３を制御する段階であって、構成情報は、ＵＥが属する肯定応答グループと、基地局が肯定応答グループにおいて予め設定した、フィードバックするＵＥの数と、肯定応答グループにおけるＵＥに対応するインデックス番号とを示すために使用される、段階を実行するために、メモリ２４０４に記憶されたアプリケーションプログラムを呼び出すように構成されている。
【０４２９】
具体的には、図２４に示されるユーザ機器は、本発明において図１１または図１２を参照して説明されているデータ伝送のための肯定応答指示方法の実施形態における、いくつかまたはすべての手順を実装し得る。
【０４３０】
図２４に示されるユーザ機器によれば、ＵＥは、コンテンション方式を用いてデータを基地局へ送信した後、基地局によって複数のＵＥへ同時にフィードバックされた肯定応答指示メッセージを受信し得て、肯定応答指示メッセージを解析することによって、ＵＥによって送信されたデータが基地局によって発見されたかどうかを適時に認識し得て、その結果、ＵＥがデータを伝送したが、基地局がデータを検出し損ない、肯定応答指示メッセージをフィードバックしないという問題を解決できることが分かり得る。加えて、ＵＥは、解析を用いて、ＵＥによって送信されたデータが基地局によって発見されたと認識した後に、データ点検結果をさらに解析し得て、その結果、ＵＥは、ＵＥによって送信されたデータに対して基地局によって実行された点検が成功したかどうかを適時に認識する。
【０４３１】
本発明のすべての実施形態におけるモジュールまたはサブモジュールは、ＣＰＵなどの汎用集積回路を使用することによって、または、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）を使用することによって実装され得る。
【０４３２】
説明を簡潔にすべく、上述した方法の実施形態は、一連の動作として表されていることに留意すべきである。しかしながら、当業者であれば、本発明によれば、いくつかの段階は同時に、または、別の順序で実行され得るので、本発明が、動作の説明された順序に限定されるものではないことを理解するであろう。加えて、当業者であれば、本明細書で説明されているすべての実施形態は例示的な実施形態であり、それに関連する動作およびモジュールは、本発明に必須のものでは必ずしもないことも理解されよう。
【０４３３】
上述の実施形態において、実施形態の説明には、それぞれの焦点がある。実施形態において詳細に説明されていない部分については、他の実施形態における関連する説明を参照されたい。
【０４３４】
本発明の実施形態における方法の段階は、実際の要件に従って、調整、統合および削除され得る。
【０４３５】
本発明の実施形態における基地局またはユーザ機器（ＵＥ）におけるユニットまたはサブユニットは、実際の要件に従って、統合、分割および削除され得る。
【０４３６】
当業者であれば、本実施形態における本方法の段階のすべてまたは一部が、関連したハードウェアに命令するプログラムによって実装され得ることを理解し得る。プログラムは、コンピュータ可読記憶媒体内に記憶され得る。記憶媒体はフラッシュメモリ、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、および光ディスクなどを含み得る。
【０４３７】
本発明の実施形態に係る、データ伝送のための肯定応答指示方法および関連デバイスが、上で詳細に説明されている。本明細書において、具体的な例は、本発明の原理および実装例を説明するために使用され、実施形態の説明は、本発明の方法および核となる思想の理解を助けることのみが意図されている。加えて、当業者であれば、本発明の思想に基づいて、具体的な実装および適用範囲に関して修正を加え得る。従って、本明細書の内容は、本発明の限定として解釈されるものではない。
【図１】
0006562582.tif 000002
【図２】
0006562582.tif 000003
【図３】
0006562582.tif 000004
【図４】
0006562582.tif 000005
【図５】
0006562582.tif 000006
【図６】
0006562582.tif 000007
【図７】
0006562582.tif 000008
【図８】
0006562582.tif 000009
【図９】
0006562582.tif 000010
【図１０】
0006562582.tif 000011
【図１１】
0006562582.tif 000012
【図１２】
0006562582.tif 000013
【図１３】
0006562582.tif 000014
【図１４】
0006562582.tif 000015
【図１５】
0006562582.tif 000016
【図１６】
0006562582.tif 000017
【図１７】
0006562582.tif 000018
【図１８】
0006562582.tif 000019
【図１９】
0006562582.tif 000020
【図２０】
0006562582.tif 000021
【図２１】
0006562582.tif 000022
【図２２】
0006562582.tif 000023
【図２３】
0006562582.tif 000024
【図２４】
0006562582.tif 000025